(57)【要約】【課題】基地局装置１と端末装置２が通信する通信システムにおいて、効率的に通信を行なうことができる端末装置を提供する。【解決手段】基地局装置と端末装置で通信を行なう通信システムであって、端末装置がクロスキャリアスケジューリングを上りリンクと下りリンクとで独立に行なう機能をサポートしていれば、上りリンクと下りリンクで独立にクロスキャリアスケジューリングを行なう。【選択図】図６
2015095668.tif 000002
【特許請求の範囲】
【請求項１】
基地局装置と通信を行なう端末装置であって、
上りリンクおよび下りリンクに対するクロスキャリアスケジューリングを独立に行なう機能がある場合、上りリンクに対するクロスキャリアスケジューリングを行なう機能をサポートしていること、および／または、下りリンクに対するクロスキャリアスケジューリングを行なう機能をサポートしていることを示す機能情報を前記基地局装置に送信する
ことを特徴とする端末装置。
【請求項２】
基地局装置と通信を行なう端末装置であって、
上りリンクおよび下りリンクに対するクロスキャリアスケジューリングを独立に行なう機能がある場合、
上りリンクに対するクロスキャリアスケジューリングを行なう機能をサポートしているかを示す情報を前記基地局装置へ送信し、
下りリンクに対するクロスキャリアスケジューリングを行なう機能をサポートしているかを示す情報を前記基地局装置へ送信する
ことを特徴とする端末装置。
【請求項３】
端末装置と通信を行なう基地局装置であって、
前記端末装置から送信された機能情報に、上りリンクおよび下りリンクに対するクロスキャリアスケジューリングを独立に行なう機能がサポートされていることが示されていれば、前記端末装置に対して、上りリンクおよび下りリンクに対するクロスキャリアスケジューリングに関する設定を独立にセットし、設定情報を端末装置へ送信することを特徴とする基地局装置。
【請求項４】
端末装置と通信を行なう基地局装置であって、
前記端末装置から送信された機能情報に、上りリンクに対するクロスキャリアスケジューリングを独立に行なう機能が示されていれば、上りリンクに対するクロスキャリアスケジューリングに関する設定をセットし、設定情報を端末装置へ送信し、
前記端末装置から送信された機能情報に、下りリンクに対するクロスキャリアスケジューリングを独立に行なう機能が示されていれば、下りリンクに対するクロスキャリアスケジューリングに関する設定をセットし、前記設定情報を端末装置へ送信する
ことを特徴とする基地局装置。
【請求項５】
基地局装置と通信を行なう端末装置の通信方法であって、
上りリンクおよび下りリンクに対するクロスキャリアスケジューリングを独立に行なう機能がある場合、
上りリンクに対するクロスキャリアスケジューリングを行なう機能をサポートしているか否かを機能情報に設定するステップと、
下りリンクに対するクロスキャリアスケジューリングを行なう機能をサポートしているか否かを前記機能情報に設定するステップと、
前記機能情報を前記基地局装置に送信するステップと、を含む
ことを特徴とする通信方法。
【請求項６】
端末装置と通信を行なう基地局装置の通信方法であって、
前記端末装置から送信される機能情報を受信するステップと、
前記機能情報に、上りリンクに対するクロスキャリアスケジューリングを行なう機能をサポートしていることが示されていれば、上りリンクに対するクロスキャリアスケジューリングに関する設定を行なうステップと、
前記機能情報に、下りリンクに対するクロスキャリアスケジューリングを行なう機能をサポートしていることが示されていれば、下りリンクに対するクロスキャリアスケジューリングに関する設定を行なうステップと、
前記上りリンクに対するクロスキャリアスケジューリングに関する設定および／または前記下りリンクに対するクロスキャリアスケジューリングに関する設定を、上位層シグナリングを用いて前記端末装置へ送信するステップと、を含む
ことを特徴とする通信方法。
【発明の詳細な説明】
【技術分野】
【０００１】
本発明は、端末装置、基地局装置および通信方法に関する。
【背景技術】
【０００２】
３ＧＰＰ（Third Generation Partnership Project）によるＷＣＤＭＡ（Wideband Code Division Multiple Access）、ＬＴＥ（Long Term Evolution）、ＬＴＥ−Ａ（LTE-Advanced）やＩＥＥＥ（The Institute of Electrical and Electronics engineers）による無線ＬＡＮ（WLAN: Wireless Local Area Network）、ＷｉＭＡＸ（Worldwide Interoperability for Microwave Access）のような通信システムに含まれる、基地局装置（セル、第１の通信装置（端末装置とは異なる通信装置）、eNodeB）および端末装置（移動端末、移動局装置、第２の通信装置（基地局装置とは異なる通信装置）、ＵＥ（User Equipment）、ユーザ装置）は、複数の送受信アンテナをそれぞれ備え、ＭＩＭＯ（Multi Input Multi Output）技術を用いることにより、データ信号を空間多重し、高速なデータ通信を実現する。
【０００３】
また、３ＧＰＰにおいて、基地局装置と端末装置とのデータ通信の高速化を実現するために、複数のコンポーネントキャリアを用いて同時に通信を行なうキャリアアグリゲーション（CA: Carrier Aggregation）が採用されている（非特許文献１）。
【０００４】
３ＧＰＰでは、双方向の通信方式（複信方式）のフレーム構造タイプとして、周波数分割複信（FDD: Frequency Division Duplex）および時分割複信（TDD: Time Division Duplex）が採用されている。また、ＦＤＤにおいて、同時に双方向の通信が可能な全二重（フルデュプレックス）方式（Full Duplex）と一方向の通信を切り替えて双方向の通信を実現する半二重（ハーフデュプレックス）方式（Half Duplex）が採用されている（非特許文献２）。なお、ＴＤＤを採用したＬＴＥをＴＤ−ＬＴＥ，ＬＴＥ  ＴＤＤと呼称する場合もある。
【０００５】
また、３ＧＰＰでは、ＴＤＤをサポートしているコンポーネントキャリア（ＴＤＤキャリア）とＦＤＤをサポートしているコンポーネントキャリア（ＦＤＤキャリア）とを集約して通信を行なうＴＤＤ−ＦＤＤキャリアアグリゲーション（TDD-FDD CA）が検討されている（非特許文献３）。
【先行技術文献】
【非特許文献】
【０００６】
【非特許文献１】3rd Generation Partnership Project Technical Specification Group Radio Access Network; Evolved Universal Terrestrial Radio Access (E-UTRA) and Evolved Universal Terrestrial Radio Access Network (E-UTRAN); Overall description; Stage 2 (Release 10), TS36.300 v10.10.0 (2013-06).
【非特許文献２】3rd Generation Partnership Project Technical Specification Group Radio Access Network; Evolved Universal Terrestrial Radio Access (E-UTRA); Physical Channels and Modulation (Release 8), TS36.211 v8.8.0 (2009-09).
【非特許文献３】"Potential solutions of TDD-FDD joint operation", R1-132886, 3GPP TSG-RAN WG1 Meeting #74, Barcelona, Spain, 19th - 23rd Aug 2013.
【発明の概要】
【発明が解決しようとする課題】
【０００７】
ＴＤＤキャリアとＦＤＤキャリアによるキャリアアグリゲーションを行なうことにより処理遅延が増大するため、適切な通信が行なえないという問題が生じる。
【０００８】
本発明は、上記問題を鑑みてなされたものであり、適切な通信を可能とする端末装置、基地局装置および通信方法を提供することを目的とする。
【課題を解決するための手段】
【０００９】
（１）この発明は上述した課題を解決するためになされたもので、本発明の一態様による端末装置は、基地局装置と通信を行なう端末装置であって、上りリンクおよび下りリンクに対するクロスキャリアスケジューリングを独立に行なう機能がある場合、上りリンクに対するクロスキャリアスケジューリングを行なう機能をサポートしていること、および／または、下りリンクに対するクロスキャリアスケジューリングを行なう機能をサポートしていることを示す機能情報を前記基地局装置に送信することを特徴とする。
【００１０】
（２）また、本発明の一態様による端末装置は、基地局装置と通信を行なう端末装置であって、上りリンクおよび下りリンクに対するクロスキャリアスケジューリングを独立に行なう機能がある場合、上りリンクに対するクロスキャリアスケジューリングを行なう機能をサポートしているかを示す情報を前記基地局装置へ送信し、下りリンクに対するクロスキャリアスケジューリングを行なう機能をサポートしているかを示す情報を前記基地局装置へ送信することを特徴とする。
【００１１】
（３）また、本発明の一態様による基地局装置は、端末装置と通信を行なう基地局装置であって、前記端末装置から送信された機能情報に、上りリンクおよび下りリンクに対するクロスキャリアスケジューリングを独立に行なう機能がサポートされていることが示されていれば、前記端末装置に対して、上りリンクおよび下りリンクに対するクロスキャリアスケジューリングに関する設定を独立にセットし、設定情報を端末装置へ送信することを特徴とする。
【００１２】
（４）また、本発明の一態様による基地局装置は、端末装置と通信を行なう基地局装置であって、前記端末装置から送信された機能情報に、上りリンクに対するクロスキャリアスケジューリングを独立に行なう機能が示されていれば、上りリンクに対するクロスキャリアスケジューリングに関する設定をセットし、設定情報を端末装置へ送信し、前記端末装置から送信された機能情報に、下りリンクに対するクロスキャリアスケジューリングを独立に行なう機能が示されていれば、下りリンクに対するクロスキャリアスケジューリングに関する設定をセットし、前記設定情報を端末装置へ送信することを特徴とする。
【００１３】
（５）また、本発明の一態様による通信方法は、基地局装置と通信を行なう端末装置の通信方法であって、上りリンクおよび下りリンクに対するクロスキャリアスケジューリングを独立に行なう機能がある場合、上りリンクに対するクロスキャリアスケジューリングを行なう機能をサポートしているか否かを機能情報に設定するステップと、下りリンクに対するクロスキャリアスケジューリングを行なう機能をサポートしているか否かを前記機能情報に設定するステップと、前記機能情報を前記基地局装置に送信するステップと、を含むことを特徴とする。
【００１４】
（６）また、本発明の一態様による通信方法は、端末装置と通信を行なう基地局装置の通信方法であって、前記端末装置から送信される機能情報を受信するステップと、前記機能情報に、上りリンクに対するクロスキャリアスケジューリングを行なう機能をサポートしていることが示されていれば、上りリンクに対するクロスキャリアスケジューリングに関する設定を行なうステップと、前記機能情報に、下りリンクに対するクロスキャリアスケジューリングを行なう機能をサポートしていることが示されていれば、下りリンクに対するクロスキャリアスケジューリングに関する設定を行なうステップと、前記上りリンクに対するクロスキャリアスケジューリングに関する設定および／または前記下りリンクに対するクロスキャリアスケジューリングに関する設定を、上位層シグナリングを用いて前記端末装置へ送信するステップと、を含むことを特徴とする。
【００１５】
このことにより、端末装置および基地局装置は、適切な送信制御および受信制御を行なうことができる。
【発明の効果】
【００１６】
この発明によれば、基地局装置と端末装置が通信する通信システムにおいて、端末装置は適切な送信制御および受信制御を行なうことで、通信効率を向上させることができる。
【図面の簡単な説明】
【００１７】
【図１】本発明の第１の実施形態に係る基地局装置１の構成を示す概略ブロック図である。
【図２】本発明の第１の実施形態に係る端末装置２の構成を示す概略ブロック図である。
【図３】ＴＤＤ  ＵＬ／ＤＬ設定におけるサブフレームパターンの構成を示す図である。
【図４】本発明の第１の実施形態に係る端末装置２の処理１の手順を示すフローチャートである。
【図５】本発明の第１の実施形態に係る端末装置２の処理３の手順を示すフローチャートである。
【図６】本発明の第１の実施形態に係る端末装置２の処理６の手順を示すフローチャートである。
【発明を実施するための形態】
【００１８】
本実施形態の通信システムは、複数のコンポーネントキャリアを集約して通信を行なうキャリアアグリゲーションが適用される。セルはコンポーネントキャリアを用いて構成することができるため、キャリアアグリゲーションをセルアグリゲーションと呼称する場合もある。つまり、本実施形態の通信システムは、複数のセルを集約して通信を行なうことができる。また、本実施形態の通信システムにおけるセルアグリゲーションは、複数のセルのうち、ＴＤＤ方式が適用されるセル（ＴＤＤセル）とＦＤＤ方式が適用されるセル（ＦＤＤセル）を集約して通信を行なう。すなわち、本実施形態の通信システムは、異なるフレーム構造タイプ（Frame Structure Type）が設定された複数のセルにおけるセルアグリゲーションが適用される。なお、フレーム構造タイプは、デュプレックスモード（Duplex mode）と呼称される場合がある。ＬＴＥおよびＬＴＥ−Ａにおいて、フレーム構造タイプ１はＦＤＤ、フレーム構成タイプ２はＴＤＤと定義されている。
【００１９】
セルアグリゲーションは、１つのプライマリーセルと１つ以上のセカンダリーセルを集約して通信を行なうことである。また、プライマリーセルは、上りリンクコンポーネントキャリアおよび下りリンクコンポーネントキャリアを用いて構成されるのに対し、セカンダリーセルは、下りリンクコンポーネントキャリアのみ用いて構成されてもよい。
【００２０】
設定された複数のサービングセル（複数のセル）は、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣコネクションが確立された時点、または、後に、セカンダリーセルが設定されてもよい。なお、１つの基地局装置１によって複数のサービングセルが構成されてもよいし、複数の基地局装置１によって複数のサービングセルが構成されてもよい。
【００２１】
また、上りリンクおよび下りリンクの周波数帯（UL/DL operating band）とデュプレックスモード（ＴＤＤ、ＦＤＤ）が１つのインデックスに対応付けられている。また、１つのテーブルで上りリンクおよび下りリンクの周波数帯（オペレーティングバンド）とデュプレックスモードが管理されている。このインデックスをＥ−ＵＴＲＡオペレーティングバンド（E-UTRA Operating Band）やＥ−ＵＴＲＡバンド（E-UTRA Band）、バンドと呼称する場合もある。例えば、インデックス１はバンド１、インデックス２はバンド２、インデックスｎはバンドｎと呼称される場合もある。例えば、バンド１は、上りリンクのオペレーティングバンドが１９２０ＭＨｚ〜１９８０ＭＨｚで、下りリンクのオペレーティングバンドが２１１０ＭＨｚ〜２１７０ＭＨｚで、デュプレックスモードがＦＤＤである。また、バンド３３は、上りリンクおよび下りリンクのオペレーティングバンドが１９００ＭＨｚ〜１９２０ＭＨｚで、デュプレックスモードがＴＤＤである。
【００２２】
また、キャリアアグリゲーションが可能なバンドの組み合わせ（E-UTRA CA Band）が設定されてもよい。例えば、バンド１とバンド５内のコンポーネントキャリアによるキャリアアグリゲーションは可能であることが示されてもよい。すなわち、異なるバンドのコンポーネントキャリアによるキャリアアグリゲーションの可否が示されてもよい。
【００２３】
端末装置２がサポートしているバンドおよびキャリアアグリゲーションが可能なバンドの組み合わせは、端末装置２の機能情報（UE capability, UE-EUTRA-Capability）に設定され、基地局装置１は、端末装置２から機能情報が送信されることによって、その端末装置２が有している機能を把握することができる。
【００２４】
設定された複数のセルの一部に対して、本発明が適用されてもよい。端末装置２に設定されるセルを、サービングセルと呼称する場合もある。
【００２５】
ＴＤＤは、上りリンク信号と下りリンク信号を時分割多重することによって、単一の周波数帯域（キャリア周波数、コンポーネントキャリア）において下りリンクと上りリンクの通信を可能にする技術である。ＬＴＥでは、予め設定することで、サブフレーム単位で下りリンクと上りリンクを切り替えることができる。なお、ＴＤＤでは、下りリンク送信が可能なサブフレーム（下りリンクサブフレーム、下りリンク送信に対して予約されたサブフレーム）と上りリンク送信が可能なサブフレーム（上りリンクサブフレーム、上りリンク送信に対して予約されたサブフレーム）、さらに、ガード期間（GP: Guard Period）を設けることにより、下りリンク送信と上りリンク送信を時間領域（シンボル領域）で切り替え可能なサブフレーム（スペシャルサブフレーム）が定義されている。なお、スペシャルサブフレームにおいて、下りリンク送信が可能な時間領域（時間領域に対応するシンボル）を下りリンクパイロットタイムスロット（DwPTS: Downlink Pilot Time Slot）と呼称し、上りリンク送信が可能な時間領域（時間領域に対応するシンボル）を上りリンクパイロットタイムスロット（UpPTS: Uplink Pilot Time Slot）と呼称する。例えば、端末装置２は、サブフレームｉが下りリンクサブフレームである場合、基地局装置１から送信された下りリンク信号を受信することができ、サブフレームｉとは異なるサブフレームｊが上りリンクサブフレームである場合、端末装置２から基地局装置１へ上りリンク信号を送信することができる。また、サブフレームｉやサブフレームｊとは異なるサブフレームｋがスペシャルサブフレームである場合、下りリンクの時間領域ＤｗＰＴＳで下りリンク信号を受信することができ、上りリンクの時間領域ＵｐＰＴＳで上りリンク信号を送信することができる。
【００２６】
また、ＬＴＥ、ＬＴＥ−ＡにおいてＴＤＤ方式で通信を行なうために、特定の情報要素（ＴＤＤ  ＵＬ／ＤＬ設定（TDD UL/DL configuration(s), TDD uplink-downlink configuration(s)）、ＴＤＤ設定（TDD configuration(s), tdd-Config, TDD config）、ＵＬ／ＤＬ（ＵＬ−ＤＬ）設定（uplink-downlink configuration(s)））で通知される。端末装置２は、通知された情報に基づいて、あるサブフレームを上りリンクサブフレーム、下りリンクサブフレーム、スペシャルサブフレームの何れかとみなして、送受信処理を行なうことができる。
【００２７】
また、スペシャルサブフレームの構成（スペシャルサブフレーム内のＤｗＰＴＳとＵｐＰＴＳとＧＰの長さ）は、複数のパターンが定義され、テーブル管理されている。複数のパターンはそれぞれ値（インデックス）と対応付けられており、その値が通知されることによって、端末装置は、通知された値に対応付けられたパターンに基づいて、スペシャルサブフレームの処理を行なう。すなわち、スペシャルサブフレームの構成に関する情報も基地局装置１から端末装置２へ通知することができる。
【００２８】
また、上りリンクのトラフィックと下りリンクのトラフィック（情報量、データ量、通信量）に応じて、上りリンクリソースと下りリンクリソースの比率を変更するトラフィック適応制御技術をＴＤＤに適用してもよい。例えば、下りリンクサブフレームと上りリンクサブフレームの比率をダイナミックに変更することができる。あるサブフレームに対して、下りリンクサブフレームおよび上りリンクサブフレームを適応的に切り替えることができる。このようなサブフレームをフレキシブルサブフレームと呼称する。基地局装置１は、フレキシブルサブフレームにおいて、条件（状況）に応じて、上りリンク信号の受信または下りリンク信号の送信を行なうことができる。また、端末装置２は、基地局装置１によって、フレキシブルサブフレームにおいて上りリンク信号の送信を指示されない限り、該フレキシブルサブフレームを下りリンクサブフレームとみなして受信処理を行なうことができる。また、このような下りリンクサブフレームと上りリンクサブフレームの比率や上りリンクと下りリンクのサブフレーム、ＴＤＤ  ＵＬ／ＤＬ（再）設定をダイナミックに変更するＴＤＤをダイナミックＴＤＤ（DTDD: Dynamic TDD）あるいはｅＩＭＴＡ（enhanced Interference Mitigation and Traffic Adaptation）と呼称する場合もある。例えば、Ｌ１シグナリングでＴＤＤ  ＵＬ／ＤＬ設定情報が送信されてもよい。
【００２９】
一方、ＦＤＤは、異なる周波数帯域（キャリア周波数、コンポーネントキャリア）において下りリンクと上りリンクの通信を可能にする技術である。
【００３０】
その通信システムは、基地局装置１がカバーするエリアをセル状に複数配置するセルラー通信システムが適用されてもよい。また、単一の基地局装置１は複数のセルを管理してもよい。また、単一の基地局装置１は複数のＲＲＨ（Remote Radio Head）を管理してもよい。また、単一の基地局装置１は複数のローカルエリアを管理してもよい。また、単一の基地局装置１は複数のＨｅｔＮｅｔ（Heterogeneous Network）を管理してもよい。また、単一の基地局装置１は複数の小電力基地局装置（LPN: Low Power Node）を管理してもよい。
【００３１】
その通信システムにおいて、端末装置２は、セル固有参照信号（CRS: Cell-specific Reference Signal(s)）に基づいて参照信号受信電力（RSRP: Reference Signal Received Power）を測定している。
【００３２】
その通信システムにおいて、ＬＴＥで定義されている一部の物理チャネルや信号が配置されないキャリア（コンポーネントキャリア）を使用し、通信を行なってもよい。ここで、そのようなキャリアをニューキャリアタイプ（NCT: New Carrier Type）と呼称する。例えば、ニューキャリアタイプには、セル固有参照信号や物理下りリンク制御チャネル、同期信号（プライマリー同期信号、セカンダリー同期信号）が配置されなくてもよい。また、ニューキャリアタイプが設定されたセルにおいて、モビリティ測定、時間／周波数同期検出を行なうための物理チャネル（PDCH: Physical Discovery Channel, NDS: New Discovery Signal(s), DRS: Discovery Reference Signal, DS: Discovery Signal）の導入が検討されている。なお、ニューキャリアタイプは、追加キャリアタイプ（ACT: Additional Carrier Type）と呼称する場合もある。また、ＮＣＴに対し、既存のキャリアタイプをレガシーキャリアタイプ（LCT: Legacy Carrier Type）と呼称する場合もある。
【００３３】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００３４】
（物理チャネル）
ＬＴＥおよびＬＴＥ−Ａで使用される主な物理チャネル（または物理信号）について説明する。チャネルとは、信号の送信に用いられる媒体を意味する。物理チャネルとは、信号の送信に用いられる物理的な媒体を意味する。物理チャネルは、ＬＴＥおよびＬＴＥ−Ａおよびそれ以降の規格リリースにおいて、今後追加、または、その構造やフォーマット形式が変更または追加される可能性があるが、そのような場合でも本発明の各実施形態の説明に影響しない。
【００３５】
ＬＴＥおよびＬＴＥ−Ａでは、物理チャネルのスケジューリングについて無線フレームを用いて管理している。１無線フレームは１０ｍｓであり、１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、周波数軸を複数サブキャリア（例えば、１２サブキャリア）の集合で構成される一定の周波数領域と、一定の送信時間間隔（例えば、１スロット、７シンボル）で構成される領域で定義される。
【００３６】
通信精度を向上させるために、物理チャネルの冗長部に当たるサイクリックプレフィックス（CP: Cyclic Prefix）が物理チャネルに付与されて送信される。ＣＰの長さによって、１スロット内に配置されるシンボルの数が変わる。例えば、標準ＣＰ（Normal CP）の場合、１スロット内に７シンボル配置することができ、拡張ＣＰ（Extended CP）の場合、１スロット内に６シンボル配置することができる。
【００３７】
また、サブキャリア間隔を狭くすることで、１リソースブロック内に、２４サブキャリア配置することもできる。特定の物理チャネルに対して適用されてもよい。
【００３８】
物理チャネルは、上位層から出力される情報を伝送するリソースエレメントのセットに対応する。物理信号は、物理層で使用され、上位層から出力される情報を伝送しない。つまり、無線リソース制御（RRC: Radio Resource Control）メッセージやシステム情報（SI: System Information）などの上位層の制御情報は、物理チャネルで伝送される。
【００３９】
下りリンク物理チャネルには、物理下りリンク共用チャネル（PDSCH: Physical Downlink Shared Channel）、物理報知チャネル（PBCH: Physical Broadcast Channel）、物理マルチキャストチャネル（PMCH: Physical Multicast Channel）、物理制御フォーマットインディケータチャネル（PCFICH: Physical Control Format Indicator Channel）、物理下りリンク制御チャネル（PDCCH: Physical Downlink Control Channel）、物理ハイブリットＡＲＱインディケータチャネル（PHICH: Physical Hybrid ARQ Indicator Channel）、拡張物理下りリンク制御チャネル（EPDCCH: Enhanced Physical Downlink Control Channel）がある。また、下りリンク物理信号は、種々の参照信号と種々の同期信号がある。下りリンク参照信号（DL-RS: Downlink Reference Signal）には、セル固有参照信号（CRS: Cell specific Reference Signal）、端末装置固有参照信号（UERS: UE specific Reference Signal）、チャネル状態情報参照信号（CSI-RS: Channel State Information Reference Signal）がある。同期信号（Synchronization Signal）には、プライマリー同期信号（PSS: Primary Synchronization Signal）とセカンダリー同期信号（SSS: Secondary Synchronization Signal）がある。
【００４０】
上りリンク物理チャネルには、物理上りリンク共用チャネル（PUSCH: Physical Uplink Shared Channel）、物理上りリンク制御チャネル（PUCCH: Physical Uplink Control Channel）、物理ランダムアクセスチャネル（PRACH: Physical Random Access Channel）がある。また、上りリンク物理信号には、種々の参照信号がある。上りリンク参照信号には、復調参照信号（DMRS: Demodulation Reference Signal）とサウンディング参照信号（SRS: Sounding Reference Signal）がある。
【００４１】
同期信号（Synchronization Signal）は、３種類のＰＳＳと、周波数領域で互い違いに配置される３１種類の符号から構成されるＳＳＳとで構成され、ＰＳＳとＳＳＳとの組み合わせによって、基地局装置１を識別する５０４通りの物理層セル識別子（PCI: Physical layer Cell Identity, Physical Cell Identity, Physical Cell Identifier）と無線同期のためのフレームタイミングが示される。端末装置２は、セルサーチによって受信した同期信号のセル識別子を特定する。なお、セル識別子は、セルＩＤと呼称される場合もある。物理層セル識別子は、物理セルＩＤと呼称される場合もある。
【００４２】
物理報知チャネル（PBCH: Physical Broadcast Channel）は、セル内の端末装置２で共通に用いられる制御パラメータ（報知情報やシステムインフォメーション）を通知する目的で送信される。また、ＰＢＣＨで通知されない報知情報（例えば、ＳＩＢ１や一部のシステムインフォメーション）は、ＤＬ−ＳＣＨを介して、ＰＤＳＣＨで送信される。報知情報として、セル個別の識別子を示すセルグローバル識別子（CGI: Cell Global Identifier）、ページングによる待ち受けエリアを管理するトラッキングエリア識別子（TAI: Tracking Area Identifier）、ランダムアクセス設定情報（送信タイミングタイマーなど）、共通無線リソース設定情報（共有無線リソース設定情報）などが通知される。
【００４３】
下りリンク参照信号は、その用途によって複数のタイプに分類される。例えば、セル固有参照信号（CRS: Cell-specific reference signals）は、セル毎に所定の電力で送信されるパイロット信号であり、所定の規則に基づいて周波数領域および時間領域で周期的に繰り返される下りリンク参照信号である。端末装置２は、セル固有参照信号を受信することでセル毎の受信品質を測定する。また、端末装置２は、セル固有参照信号と同じアンテナポートで送信される物理下りリンク制御チャネル、または物理下りリンク共用チャネルの復調のための参照信号としてもセル固有参照信号を使用する。セル固有参照信号に使用される系列は、セル毎に識別可能な系列が用いられる。ＣＲＳは、基地局装置１より全ての下りリンクサブフレームで送信されてもよいが、端末装置２は、指定された下りリンクサブフレームでのみ受信してもよい。
【００４４】
また、下りリンク参照信号は下りリンクの伝搬路変動の推定にも用いられる。伝搬路変動の推定に用いられる下りリンク参照信号のことをチャネル状態情報参照信号（CSI-RS: Channel State Information Reference Signals）あるいはＣＳＩ参照信号と呼称してもよい。また、実際には信号の送られない、または、ゼロパワーで送信されるＣＳＩ参照信号は、ゼロパワーチャネル状態情報参照信号（ZP CSI-RS: Zero Power Channel State Information Reference Signals）あるいはゼロパワーＣＳＩ参照信号と呼称してもよい。また、実際に信号が送信されるＣＳＩ参照信号は、非ゼロパワーチャネル状態情報参照信号（NZP CSI-RS: Non Zero Power Channel State Information Reference Signals）あるいは非ゼロパワーＣＳＩ参照信号と呼称してもよい。
【００４５】
また、干渉成分を測定するために用いられる下りリンクリソースの事をチャネル状態情報干渉測定リソース（CSI-IMR: Channel State Information - Interference Measurement Resource）あるいはＣＳＩ−ＩＭリソースと呼称してもよい。ＣＳＩ−ＩＭリソースに含まれるゼロパワーＣＳＩ参照信号を用いて、端末装置２はＣＱＩの値を算出するために干渉信号の測定を行なってもよい。また、端末装置２毎に個別に設定される下りリンク参照信号は、端末装置固有参照信号（UERS: UE specific Reference Signals）または個別参照信号（Dedicated Reference Signals）、下りリンク復調参照信号（DL DMRS: Downlink Demodulation Reference Signals）などと称され、物理下りリンク制御チャネル、または物理下りリンク共用チャネルの復調に用いられる。
【００４６】
なお、これらの下りリンク参照信号の系列は、擬似ランダム系列に基づいて生成されてもよい。また、これらの下りリンク参照信号の系列は、Ｚａｄｏｆｆ−Ｃｈｕ系列に基づいて生成されてもよい。また、これらの下りリンク参照信号の系列は、ゴールド系列に基づいて生成されてもよい。また、これらの下りリンク参照信号の系列は、擬似ランダム系列やＺａｄｏｆｆ−Ｃｈｕ系列、ゴールド系列の亜種または変形であってもよい。
【００４７】
物理下りリンク共用チャネル（PDSCH: Physical Downlink Shared Channel）は、下りリンクデータ（ＤＬ−ＳＣＨ）を送信するために使用される。また、ＰＤＳＣＨは、システムインフォメーションがＤＬ−ＳＣＨで送信される場合にも使用される。物理下りリンク共用チャネルの無線リソース割り当て情報は、物理下りリンク制御チャネルで示される。また、ＰＤＳＣＨは、下りリンクと上りリンクに関するパラメータ（情報要素、ＲＲＣメッセージ）を通知するためにも使用される。
【００４８】
物理下りリンク制御チャネル（PDCCH: Physical Downlink Control Channel）は、各サブフレームの先頭からいくつかのＯＦＤＭシンボルで送信され、端末装置２に対して基地局装置１のスケジューリングに従ったリソース割り当て情報や、送信電力の増減の調整量を指示する目的で使用される。端末装置２は、レイヤー３メッセージ（ページング、ハンドオーバコマンド、ＲＲＣメッセージなど）を送受信する前に自局宛の物理下りリンク制御チャネルを監視（モニタ）し、送信時には上りリンクグラント、受信時には下りリンクグラント（下りリンクアサインメントとも呼称される）と呼ばれるリソース割り当て情報を自局宛の物理下りリンク制御チャネルから取得する必要がある。なお、物理下りリンク制御チャネルは、上述したＯＦＤＭシンボルで送信される以外に、基地局装置１から端末装置２に対して個別（ｄｅｄｉｃａｔｅｄ）に割り当てられるリソースブロックの領域で送信されるように構成することも可能である。この基地局装置１から端末装置２に対して個別（ｄｅｄｉｃａｔｅｄ）に割り当てられるリソースブロックの領域で送信される物理下りリンク制御チャネルはエンハンスト物理下りリンク制御チャネル（EPDCCH: Enhanced PDCCH）と呼称される場合もある。また、上述したＯＦＤＭシンボルで送信されるＰＤＣＣＨは第１の制御チャネルと呼称される場合もある。また、ＥＰＤＣＣＨは第２の制御チャネルと呼称される場合もある。また、ＰＤＣＣＨが割り当て可能なリソース領域は第１の制御チャネル領域、ＥＰＤＣＣＨが割り当て可能なリソース領域は第２の制御チャネル領域と呼称される場合もある。なお、本発明において、ＰＤＣＣＨには基本的にＥＰＤＣＣＨを含んでいるものとする。
【００４９】
基地局装置１は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号（ＰＳＳ／ＳＳＳ）、下りリンク参照信号を送信してもよい。また、基地局装置１は、スペシャルサブフレームのＤｗＰＴＳにおいて、ＰＢＣＨを送信しなくてもよい。
【００５０】
また、端末装置２は、スペシャルサブフレームのＵｐＰＴＳにおいて、ＰＲＡＣＨ、およびＳＲＳを送信してもよい。また、端末装置２は、スペシャルサブフレームのＵｐＰＴＳにおいて、ＰＵＣＣＨ、ＰＵＳＣＨ、およびＤＭＲＳを送信しなくてもよい。
【００５１】
また、端末装置２は、スペシャルサブフレームがＧＰおよびＵｐＰＴＳのみによって構成されている場合には、スペシャルサブフレームのＵｐＰＴＳにおいて、ＰＵＣＣＨおよび／またはＰＵＳＣＨおよび／またはＤＭＲＳを送信してもよい。
【００５２】
ここで、端末装置２は、ＰＤＣＣＨ候補（PDCCH candidates）および／またはＥＰＤＣＣＨ候補（EPDCCH candidates）のセットをモニタする。以下、説明の簡略化のために、ＰＤＣＣＨは、ＥＰＤＣＣＨを含んでもよい。ＰＤＣＣＨ候補とは、基地局装置１によって、ＰＤＣＣＨがマップおよび送信される可能性のある候補を示している。また、ＰＤＣＣＨ候補は、１つまたは複数の制御チャネル要素（CCE: Control Channel Element）から構成される。また、モニタとは、モニタされる全てのＤＣＩフォーマットに応じて、ＰＤＣＣＨ候補のセット内のＰＤＣＣＨそれぞれに対して、端末装置２がデコード（復号）を試みるということまで含まれてもよい。
【００５３】
ここで、端末装置２が、モニタするＰＤＣＣＨ候補のセットは、サーチスペースとも称される。サーチスペースとは、基地局装置１によってＰＤＣＣＨの送信に用いられる可能性のあるリソースのセットである。ＰＤＣＣＨ領域には、コモンサーチスペース（CSS: Common Search Space）と端末装置スペシフィックサーチスペース（USS: UE-specific Search Space）が構成（定義、設定）される。なお、ＣＳＳとＵＳＳはプライマリーセルにおいて、重複されてもよい。
【００５４】
ＣＳＳは、複数の端末装置２に対する下りリンク制御情報の送信に用いられる。すなわち、ＣＳＳは、複数の端末装置２に対して共通のリソースによって定義される。また、ＵＳＳは、ある特定の端末装置２に対する下りリンク制御情報の送信に用いられる。すなわち、ＵＳＳは、ある特定の端末装置２に対して個別に設定される。また、ＵＳＳは、複数の端末装置２に対して重複して設定されてもよい。
【００５５】
端末装置２は、プライマリーセルのノンＤＲＸサブフレーム毎に、アグリゲーションレベル４と８それぞれで１つのＣＳＳをモニタする。
【００５６】
端末装置２は、ＣＩＦ（Carrier Indicator Field）を伴わないＰＤＣＣＨに対するＣＳＳをモニタする。
【００５７】
下りリンク制御情報（ＤＣＩ）は、特定のフォーマット（構成、形式）で基地局装置１から端末装置２へ送信される。このフォーマットをＤＣＩフォーマットと呼称してもよい。なお、ＤＣＩフォーマットを送信するとは、あるフォーマットのＤＣＩを送信することを含む。ＤＣＩフォーマットは、ＤＣＩを送信するためのフォーマットと言い換えることができる。基地局装置１から端末装置２へ送信されるＤＣＩフォーマットには複数のフォーマットが用意されている（例えば、ＤＣＩフォーマット０／１／１Ａ／１Ｂ／１Ｃ／１Ｄ／２／２Ａ／２Ｂ／２Ｃ／２Ｄ／３／３Ａ／４）。ＤＣＩフォーマットには、種々の下りリンク制御情報に対応するフィールド（ビットフィールド）がセットされている。
【００５８】
基地局装置１は、複数の端末装置２に対して共通のＤＣＩ（単一のＤＣＩ）をあるＤＣＩフォーマットで送信する場合には、ＰＤＣＣＨ（またはＥＰＤＣＣＨ）ＣＳＳで送信し、端末装置２に対して個別にＤＣＩをあるＤＣＩフォーマットで送信する場合には、ＰＤＣＣＨ（またはＥＰＤＣＣＨ）ＵＳＳで送信する。
【００５９】
ＤＣＩフォーマットで送信されるＤＣＩには、ＰＵＳＣＨやＰＤＳＣＨのリソース割り当て、変調符号化方式、サウンディング参照信号要求（ＳＲＳリクエスト）、チャネル状態情報要求（ＣＳＩリクエスト）、単一のトランスポートブロックの初送または再送の指示、ＰＵＳＣＨに対する送信電力制御コマンド、ＰＵＣＣＨに対する送信電力制御コマンド、ＵＬ  ＤＭＲＳのサイクリックシフトおよびＯＣＣ（Orthogonal Code Cover）のインデックスなどがある。この他にも種々のＤＣＩは仕様書によって定義されている。
【００６０】
上りリンク送信制御（例えば、ＰＵＳＣＨのスケジューリングなど）に用いられるフォーマットを上りリンクＤＣＩフォーマット（例えば、ＤＣＩフォーマット０／４）または上りリンクに関連するＤＣＩと呼称してもよい。なお、上りリンク送信制御に用いられるＤＣＩフォーマットを上りリンクグラント（UL grant: Uplink grant）と呼称する場合もある。下りリンク受信制御（例えば、ＰＤＳＣＨのスケジューリングなど）に用いられるフォーマットを下りリンクＤＣＩフォーマット（例えば、ＤＣＩフォーマット１／１Ａ／１Ｂ／１Ｃ／１Ｄ／２／２Ａ／２Ｂ／２Ｃ／２Ｄ）または下りリンクに関連するＤＣＩと呼称してもよい。なお、下りリンク受信制御に用いられるＤＣＩフォーマットを下りリンクグラント（DL grant: Downlink grant）または下りリンクアサインメント（DL assignment: Downlink assignment）と呼称される場合もある。複数の端末装置２それぞれの送信電力を調整するために用いられるフォーマットをグループトリガリングＤＣＩフォーマット（例えば、ＤＣＩフォーマット３／３Ａ）と呼称してもよい。
【００６１】
例えば、ＤＣＩフォーマット０は、１つのサービングセルにおける１つのＰＵＳＣＨのスケジューリングを行なうために必要なＰＵＳＣＨのリソース割り当てに関する情報や変調方式に関する情報、ＰＵＳＣＨに対する送信電力制御（TPC: Transmit Power Control）コマンドに関する情報などを送信するために用いられる。また、これらのＤＣＩはＰＤＣＣＨ／ＥＰＤＣＣＨで送信される。ＤＣＩフォーマットは、少なくとも１つのＤＣＩで構成されていると言える。
【００６２】
端末装置２は、ＰＤＣＣＨ領域のＣＳＳおよび／またはＵＳＳにおいてＰＤＣＣＨをモニタし、自装置宛てのＰＤＣＣＨを検出する。
【００６３】
また、下りリンク制御情報の送信（ＰＤＣＣＨでの送信）には、基地局装置１が端末装置２に割り当てたＲＮＴＩが利用される。具体的には、ＤＣＩフォーマット（下りリンク制御情報でも良い）に巡回上長検査（CRC: Cyclic Redundancy check）パリティビットが付加され、付加された後に、ＣＲＣパリティビットがＲＮＴＩによってスクランブルされる。
【００６４】
端末装置２は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも呼称される）。すなわち、端末装置２は、ＲＮＴＩによってスクランブルされたＣＲＣを伴うＰＤＣＣＨに対してデコードを試み、ＣＲＣが成功したＰＤＣＣＨを、自装置宛のＰＤＣＣＨとして検出する。
【００６５】
端末装置２は、ＣＳＳおよびＵＳＳのアグリゲーションレベルとＰＤＣＣＨ候補数、ＤＣＩフォーマットのサイズ（ＤＣＩフォーマットサイズ、ＤＣＩフォーマットのペイロードサイズ）に合わせて、デコードを試みる（ブラインドデコーディングを行なう）。例えば、ＣＳＳでは、アグリゲーションレベルは４と８があり、それぞれＰＤＣＣＨ候補数は、４と２の計６候補あり、サイズの異なるＤＣＩフォーマットは２種類であるため、ＣＳＳに対するブラインドデコーディング数は１２回となる。つまり、ＣＳＳで端末装置２宛のＤＣＩがＰＤＣＣＨを用いて送信されていれば、端末装置２は、ＣＳＳで最大１２回のブラインドデコーディングを行なうことによって、何れかのＤＣＩフォーマットを検出することができる。また、ＵＳＳでは、アグリゲーションレベルは１、２、４、８があり、それぞれＰＤＣＣＨ候補数は、６、６、２、２の計１６候補あり、ＵＳＳにおいてはサイズの異なるＤＣＩフォーマットは３種類であるため、ＵＳＳに対するブラインドデコーディング数は４８回となる。つまり、ＵＳＳで端末装置２宛のＤＣＩがＰＤＣＣＨを用いて送信されていれば、端末装置２は、ＵＳＳで最大４８回のブラインドデコーディングを行なうことによって、何れかのＤＣＩフォーマットを検出することができる。すなわち、端末装置２は、自局宛のＤＣＩがＰＤＣＣＨを用いて送信されていれば、最大６０回のブラインドデコーディングを行なうことによって、何れかのＤＣＩフォーマットを検出することができる。なお、ブラインドデコーディング数は、サイズの異なるＤＣＩフォーマットの数（４０ビットや４４ビットなど異なるサイズのＤＣＩフォーマット）やサーチスペースのアグリゲーションレベルやＰＤＣＣＨ候補数、クロスキャリアスケジューリングを行なうコンポーネントキャリア（セル）の数によって決定する。また、端末装置２は、サイズが同じであれば、異なる種類のＤＣＩフォーマットであっても１つのＤＣＩフォーマットとしてブラインドデコーディングを行なう。例えば、ＤＣＩフォーマット０とＤＣＩフォーマット１Ａのサイズは同じであるため、１つのＤＣＩフォーマットとみなされてブラインドデコーディングが行なわれる。また、端末装置２がモニタするＤＣＩフォーマットは、各サービングセルに設定された送信モードに依存する。
【００６６】
また、端末装置２の受信処理遅延を考慮して、ブラインドデコーディングの総数（または閾値）は、予め設定（定義）されてもよい。なお、キャリアアグリゲーションが設定されているか否かによって、ブラインドデコーディングの総数は異なってもよい。つまり、ブラインドデコーディングを行なうコンポーネントキャリア（サービングセル）の数によって、ブラインドデコーディングの総数は、可変であってもよい。
【００６７】
キャリアアグリゲーションが設定された場合、端末装置２は、複数のサービングセルでスケジュールされてもよい。しかし、ランダムアクセスプロシージャはサービングセルの数に因らず、多くても１つしか行なわない。キャリアインディケータフィールド（CIF: Carrier Indicator Field）を伴うクロスキャリアスケジューリングにおいて、あるサービングセルのＰＤＣＣＨが他のサービングセルに対するリソースをスケジュールすることを可能にする。しかし、クロスキャリアスケジューリングはプライマリーセルには適用されない。プライマリーセルは、プライマリーセルのＰＤＣＣＨでスケジュールされる。また、セカンダリーセルのＰＤＣＣＨが設定された場合、そのセカンダリーセルに対してクロスキャリアスケジューリングは適用されない。セカンダリーセルのＰＤＣＣＨが設定されなかった場合、クロスキャリアスケジューリングはそのセカンダリーセルに対して適用されてもよい。
【００６８】
クロスキャリアスケジューリングは、あるセルで上りリンクグラント（上りリンクに関連するＤＣＩフォーマット）または下りリンクグラント（下りリンクに関連するＤＣＩフォーマット）にＣＩＦ（Carrier Indicator Field）が含まれて送信されることによって、異なるセルに対する上りリンクグラントまたは下りリンクグラントを送信することができる。つまり、ＣＩＦが含まれたＤＣＩフォーマットを用いて、１つのセルで複数のセルに対する上りリンク／下りリンク送信を制御することができる。
【００６９】
サービングセルｃでＰＤＣＣＨをモニタすることと関連するＣＩＦが設定された端末装置２は、ＣＩＦおよびサービングセルｃのＰＤＣＣＨ  ＵＳＳでＣ−ＲＮＴＩによってスクランブルされたＣＲＣが設定されたＰＤＣＣＨをモニタする。
【００７０】
プライマリーセルでＰＤＣＣＨをモニタすることと関連するＣＩＦが設定された端末装置２は、ＣＩＦおよびプライマリーセルのＰＤＣＣＨ  ＵＳＳでＳＰＳ−ＲＮＴＩによってスクランブルされたＣＲＣが設定されたＰＤＣＣＨをモニタする。
【００７１】
クロスキャリアスケジューリングは、端末装置２がその機能をサポートしていることを、機能情報（UE-EUTRA-Capability）を用いて基地局装置１へ通知し、基地局装置１がクロスキャリアスケジューリングに関する設定（CrossCarrierSchedulingConfig）を端末装置２に対して行ない、その設定情報を端末装置２に送信した場合に、クロスキャリアスケジューリングを用いて通信を行なうことができる。なお、この設定情報は、上位層シグナリングを用いて通知されてもよい。
【００７２】
クロスキャリアスケジューリングに関する設定には、ＰＤＣＣＨ／ＥＰＤＣＣＨのＤＣＩフォーマットにＣＩＦが含まれるか否かを示す情報（cif-Presence）が含まれてもよい。また、クロスキャリアスケジューリングに関する設定には、下りリンクアロケーション（下りリンクグラント）および上りリンクグラントをシグナルするセル（どのセルが下りリンクアロケーションおよび上りリンクグラントをシグナルするか）を示す情報（schedulingCellId）が含まれてもよい。この情報をスケジューリングセルＩＤ情報と呼称する。また、クロスキャリアスケジューリングに関する設定には、スケジューリングセルＩＤ情報によって示されるセルに対するＰＤＳＣＨの開始ＯＦＤＭシンボルを示す情報（pdsch-Start）が含まれてもよい。なお、上りリンクと下りリンクに対するクロスキャリアスケジューリングを行なう機能を独立にサポートする端末装置２に対して、スケジューリングセルＩＤ情報は、上りリンクと下りリンクで独立に設定されてもよい。また、ＰＤＳＣＨの開始ＯＦＤＭシンボルを示す情報は、下りリンクに対してのみ設定されてもよい。
【００７３】
キャリアアグリゲーションが設定された場合、セミパーシステントスケジューリングのための下りリンクリソースは、プライマリーセルで設定され、プライマリーセルに対するＰＤＣＣＨアロケーションだけは、セミパーシステントアロケーションよりも優先することができる。
【００７４】
キャリアアグリゲーションが設定された場合、セミパーシステントスケジューリングのための上りリンクリソースは、プライマリーセルで設定され、プライマリーセルに対するＰＤＣＣＨアロケーションだけは、セミパーシステントアロケーションよりも優先することができる。
【００７５】
また、上りリンクと下りリンク間のリンクは、ＣＩＦが無い場合の下りリンクグラントまたは上りリンクグラントが適用されるサービングセルを見分けることを可能にする。プライマリーセルで受信した下りリンクグラントは、プライマリーセルにおける下りリンク送信に対応する。また、プライマリーセルで受信した上りリンクグラントは、プライマリーセルにおける上りリンク送信に対応する。また、セカンダリーセル＃ｎで受信した下りリンクグラントは、セカンダリーセル＃ｎにおける下りリンク送信に対応する。また、セカンダリーセル＃ｎで受信した上りリンクグラントは、セカンダリーセル＃ｎにおける上りリンク送信に対応する。セカンダリーセル＃ｎに対して上りリンク利用が設定されなかった場合、その上りリンクグラントは、受信した端末装置２によって無視される。
【００７６】
他のサービングセルにおいて、あるセカンダリーセルに対応するＣＩＦを伴うＰＤＣＣＨをモニタすることが設定された場合、端末装置２は、そのセカンダリーセルのＰＤＣＣＨをモニタすることを期待しない。その際、基地局装置１は、端末装置２に対して、そのセカンダリーセルでＰＤＣＣＨを用いてＤＣＩを送信しなくてもよい。
【００７７】
ここで、ＲＮＴＩには、Ｃ−ＲＮＴＩ(Cell-Radio Network Temporary Identifier)が含まれる。Ｃ−ＲＮＴＩは、ＲＲＣ接続およびスケジューリングの識別に対して使用されるユニークな（一意的な）識別子である。Ｃ−ＲＮＴＩは、動的にスケジュールされるユニキャスト送信のために利用される。なお、Ｃ−ＲＮＴＩは、キャリアアグリゲーションが設定される場合、全てのサービングセルで同じ値のＣ−ＲＮＴＩ（同じＣ−ＲＮＴＩ）が適用される。
【００７８】
また、ＲＮＴＩには、Ｔｅｍｐｏｒａｒｙ  Ｃ−ＲＮＴＩが含まれる。Ｔｅｍｐｏｒａｒｙ  Ｃ−ＲＮＴＩは、ランダムアクセスプロシージャに対して使用される識別子である。例えば、端末装置２は、Ｔｅｍｐｏｒａｒｙ  Ｃ−ＲＮＴＩによってスクランブルされたＣＲＣが付加された上りリンクに関連するＤＣＩフォーマット（例えば、ＤＣＩフォーマット０）を、ＣＳＳのみでデコードしてもよい。また、端末装置２は、Ｔｅｍｐｏｒａｒｙ  Ｃ−ＲＮＴＩによってスクランブルされたＣＲＣが付加された下りリンクに関連するＤＣＩフォーマット（例えば、ＤＣＩフォーマット１Ａ）を、ＣＳＳおよびＵＳＳでデコードを試みてもよい。
【００７９】
また、基地局装置１は、ＤＣＩをＣＳＳで送信する場合、ＤＣＩ（ＤＣＩフォーマット）にＴｅｍｐｏｒａｒｙ  Ｃ−ＲＮＴＩまたはＣ−ＲＮＴＩでスクランブルしたＣＲＣパリティビットを付加し、ＤＣＩをＵＳＳで送信する場合、ＤＣＩ（ＤＣＩフォーマット）にＣ−ＲＮＴＩでスクランブルしたＣＲＣを付加してもよい。
【００８０】
物理上りリンク共用チャネル（Physical Uplink Shared Channel; PUSCH）は、主に上りリンクデータと上りリンク制御情報（Uplink Control Information; UCI）を送信するために用いられる。ＰＵＳＣＨで送信されるＵＣＩは、チャネル状態情報（CSI: Channel State Information）、および／または、ＡＣＫ／ＮＡＣＫを含む。また、ＰＵＳＣＨで送信されるＣＳＩは、アピリオディックＣＳＩ（A-CSI: Aperiodic CSI）とピリオディックＣＳＩ（P-CSI: Periodic CSI）を含む。また、下りリンクの場合と同様に物理上りリンク共用チャネルのリソース割り当て情報は、物理下りリンク制御チャネルで示される。また、ダイナミックスケジューリンググラントによってスケジュールされるＰＵＳＣＨは、上りリンクデータを伝送する。また、ランダムアクセスレスポンスグラントによってスケジュールされるＰＵＳＣＨは、ランダムアクセスに関連した自局の情報（例えば、端末装置２の識別情報、メッセージ３）を送信する。また、検出したグラントの種類に応じて、ＰＵＳＣＨでの送信に対する送信電力をセットするために使用されるパラメータが異なってもよい。なお、制御データは、チャネル品質情報（ＣＱＩおよび／またはＰＭＩ）、ＨＡＲＱ応答情報（ＨＡＲＱ−ＡＣＫ）、およびランク情報（ＲＩ）という形で送信される。つまり、制御データは、上りリンク制御情報という形で送信される。
【００８１】
物理上りリンク制御チャネル（PUCCH: Physical Uplink Control Channel）は、物理下りリンク共用チャネルで送信された下りリンクデータの受信確認応答（ACK/NACK: Acknowledgement/Negative Acknowledgement）や下りリンクの伝搬路情報（チャネル状態情報）の通知、上りリンクのリソース割り当て要求（無線リソース要求）であるスケジューリングリクエスト（SR: Scheduling Request）を行なうために使用される。チャネル状態情報（CSI: Channel State Information）は、チャネル品質指標（CQI: Channel Quality Indicator）、プリコーディングマトリックス指標（PMI: Precoding Matrix Indicator）、プリコーディングタイプ指標（PTI: Precoding Type Indicator）、ランク指標（RI: Rank Indicator）を含む。各インディケータ（Indicator）は、インディケーション（Indication）と表記される場合もあるが、その用途と意味は同じである。また、送信するＵＣＩに応じて、ＰＵＣＣＨのフォーマットを切り替えてもよい。例えば、ＵＣＩがＨＡＲＱ  ＡＣＫおよび／またはＳＲから構成される場合、ＵＣＩはフォーマット１／１ａ／１ｂ／３のＰＵＣＣＨ（PUCCH format 1/1a/1b/3）で送信されてもよい。また、ＵＣＩがＣＳＩから構成される場合、ＵＣＩはフォーマット２／２ａ／２ｂのＰＵＣＣＨ（PUCCH format 2/2a/2b）で送信されてもよい。また、ＰＵＣＣＨフォーマット１／１ａ／１ｂには、ＳＲＳとの衝突を避けるために、１シンボル分パンクチャした短縮フォーマット（shortened format）とパンクチャしていない標準フォーマット（Normal format）がある。例えば、同じサブフレームでＰＵＣＣＨとＳＲＳの同時送信が有効である場合は、ＳＲＳサブフレームでＰＵＣＣＨフォーマット１／１ａ／１ｂは短縮フォーマットで送信される。同じサブフレームでＰＵＣＣＨとＳＲＳの同時送信が有効でない場合は、ＳＲＳサブフレームでＰＵＣＣＨフォーマット１／１ａ／１ｂは標準フォーマットで送信される。その際、ＳＲＳの送信が生じたとしてもＳＲＳは送信されなくてもよい。
【００８２】
ＣＳＩ報告（CSI report）には、周期的またはＣＳＩ報告をトリガーするためのイベント条件が満たされた場合に、チャネル状態情報を報告するピリオディックＣＳＩ報告（P-CSI reporting）と、ＤＣＩフォーマットに含まれているＣＳＩリクエストによって、ＣＳＩ報告が要求された場合にチャネル状態情報を報告するアピリオディックＣＳＩ報告（A-CSI reporting）がある。ピリオディックＣＳＩ報告は、ＰＵＣＣＨまたはＰＵＳＣＨで行なわれ、アピリオディックＣＳＩ報告は、ＰＵＳＣＨで行なわれる。端末装置２は、ＤＣＩフォーマットに含まれる情報（ＣＳＩリクエスト）に基づいて指示された場合、ＰＵＳＣＨで上りリンクデータを伴わないＣＳＩを送信することもできる。すなわち、Ｐ−ＣＳＩは、ＰＵＣＣＨまたはＰＵＳＣＨを用いて送信され、Ａ−ＣＳＩは、ＰＵＳＣＨを用いて送信される。端末装置２は、ＤＣＩフォーマットに含まれる情報（ＣＳＩリクエスト）に基づいてＣＳＩ報告が要求される場合、ＰＵＳＣＨで上りリンクデータを伴わないＣＳＩ（Ａ−ＣＳＩ）を送信することもできる。
【００８３】
ＣＳＩ報告が可能なＰＵＣＣＨサブフレーム（reporting instances）は、上位層で設定されるインデックス（ＣＱＩＰＭＩインデックス、ＲＩインデックス）と関連付けられた周期およびサブフレームオフセットに基づいて決定される。なお、上位層で設定されるインデックスは、ＣＳＩを測定するために設定されるサブフレームセット毎に設定可能である。複数のサブフレームセットに対して１つのインデックスしか設定されない場合、そのインデックスは、サブフレームセット間で共通であるとみなしてもよい。
【００８４】
送信モード１〜９で設定された端末装置２に対して、各サービングセルに対して１つのＰ−ＣＳＩ報告は、上位層シグナリングによって設定される。
【００８５】
送信モード１０で設定された端末装置２に対して、各サービングセルに対して１つ以上のＰ−ＣＳＩ報告は、上位層シグナリングによって設定される。
【００８６】
送信モード９または１０で設定された端末装置２に対して、８ＣＳＩ−ＲＳポートが設定され、ワイドバンドＣＱＩでシングルＰＭＩの報告モード（モード１−１）が上位層シグナリングによってあるパラメータ（PUCCH_format1-1_CSI_reporting_mode）を用いてサブモード１もしくはサブモード２に設定される。
【００８７】
端末選択サブバンドＣＱＩ（UE-selected subband CQI）に対して、あるサービングセルのあるサブフレームでのＣＱＩ報告は、帯域幅パートとして示されるサービングセルの帯域幅の特定の部分（一部）におけるチャネル品質の報告である。
【００８８】
ＣＳＩ報告タイプは、ＰＵＣＣＨ  ＣＳＩ報告モードをサポートしている。ＣＳＩ報告タイプは、ＰＵＣＣＨ報告タイプ（PUCCH reporting type）と呼称される場合もある。タイプ１報告は、端末選択サブバンドに対するＣＱＩフィードバックをサポートしている。タイプ１ａ報告は、サブバンドＣＱＩと第２のＰＭＩフィードバンクをサポートしている。タイプ２、タイプ２ｂ、タイプ２ｃ報告は、ワイドバンドＣＱＩとＰＭＩフィードバックをサポートしている。タイプ２ａ報告は、ワイドバンドＰＭＩフィードバンクをサポートしている。タイプ３報告は、ＲＩフィードバックをサポートしている。タイプ４報告は、ワイドバンドＣＱＩをサポートしている。タイプ５報告は、ＲＩとワイドバンドＰＭＩフィードバックをサポートしている。タイプ６報告は、ＲＩとＰＴＩフィードバックをサポートしている。
【００８９】
上りリンク参照信号（UL-RS: Uplink Reference Signal）は、基地局装置１が、物理上りリンク制御チャネルＰＵＣＣＨおよび／または物理上りリンク共用チャネルＰＵＳＣＨを復調するために使用する復調参照信号（DMRS: Demodulation Reference Signal）と、基地局装置１が、主に、上りリンクのチャネル状態を推定するために使用するサウンディング参照信号（SRS: Sounding Reference Signal）が含まれる。また、サウンディング参照信号には、上位層によって周期的に送信するように設定される周期的サウンディング参照信号（P-SRS: Periodic SRS）と、下りリンク制御情報フォーマットに含まれるＳＲＳリクエストによって送信が要求される非周期的サウンディング参照信号（A-SRS: Aperiodic SRS）とがある。上りリンク参照信号は、上りリンクパイロット信号、上りリンクパイロットチャネルと呼称する場合もある。
【００９０】
なお、これらの上りリンク参照信号の系列は、擬似ランダム系列に基づいて生成されてもよい。また、これらの上りリンク参照信号の系列は、Ｚａｄｏｆｆ−Ｃｈｕ系列に基づいて生成されてもよい。また、これらの上りリンク参照信号の系列は、ゴールド系列に基づいて生成されてもよい。また、これらの上りリンク参照信号の系列は、擬似ランダム系列やＺａｄｏｆｆ−Ｃｈｕ系列、ゴールド系列の亜種・変形であってもよい。
【００９１】
また、周期的サウンディング参照信号をピリオディックサウンディング参照信号、トリガータイプ０サウンディング参照信号（Trigger Type 0 SRS）と呼称する場合もある。また、非周期的サウンディング参照信号をアピリオディックサウンディング参照信号、トリガータイプ１サウンディング参照信号（Trigger Type 1 SRS）と呼称する場合もある。
【００９２】
さらに、Ａ−ＳＲＳは、協調通信において、上りリンクのチャネル推定用に特化した信号（例えば、トリガータイプ１ａＳＲＳと呼称される場合もある）と、ＴＤＤにおけるチャネル相反性（channel reciprocity）を利用してチャネル状態（ＣＳＩ，ＣＱＩ，ＰＭＩ，ＲＩ）を基地局装置１に測定させるために使用される信号（例えば、トリガータイプ１ｂＳＲＳと呼称される場合もある）とに分けられてもよい。なお、ＤＭＲＳはＰＵＳＣＨとＰＵＣＣＨそれぞれに対応して、設定される。また、ＤＭＲＳは、ＰＵＳＣＨまたはＰＵＣＣＨと同じサブフレームで時間多重されて、送信される。
【００９３】
また、ＤＭＲＳは、ＰＵＳＣＨに対する場合とＰＵＣＣＨに対する場合で、時間多重方法が異なってもよい。例えば、ＰＵＳＣＨに対するＤＭＲＳは、７シンボルで構成される１スロット内に１シンボルだけ配置されるのに対して、ＰＵＣＣＨに対するＤＭＲＳは、７シンボルで構成される１スロット内に３シンボル配置される。
【００９４】
また、ＳＲＳは、上位層シグナリングによって種々のパラメータ（帯域幅、サイクリックシフト、送信サブフレームなど）が通知される。また、ＳＲＳは、上位層シグナリング（higher layer signaling）によって通知されるＳＲＳの設定に含まれる送信サブフレームに関する情報に基づいて、ＳＲＳを送信するサブフレームが決定される。送信サブフレームに関する情報には、セル固有に設定される情報（共有情報）と端末装置固有に設定される情報（専用情報、個別情報）とがある。セル固有に設定される情報には、セル内のすべての端末装置２が共有するＳＲＳが送信されるサブフレームを示す情報が含まれる。また、端末装置固有に設定される情報には、セル固有に設定されるサブフレームのサブセットとなるサブフレームオフセットと周期（periodicity）を示す情報が含まれる。これらの情報によって、端末装置２は、ＳＲＳを送信することができるサブフレーム（ＳＲＳサブフレーム、ＳＲＳ送信サブフレームと呼称する場合もある）を決定することができる。また、端末装置２は、セル固有に設定されたＳＲＳが送信されるサブフレームにおいて、ＰＵＳＣＨを送信する場合、ＳＲＳが送信されるシンボル分だけＰＵＳＣＨの時間リソースをパンクチャし、該時間リソースでＰＵＳＣＨを送信することができる。このことにより、端末装置２間のＰＵＳＣＨの送信とＳＲＳの送信の衝突を回避することができる。ＰＵＳＣＨを送信する端末装置２に対しては、特性劣化を防ぐことができる。また、ＳＲＳを送信する端末装置２に対しては、チャネル推定精度を確保することができる。ここで、端末装置固有に設定される情報は、Ｐ−ＳＲＳとＡ−ＳＲＳとで独立に設定されてもよい。
【００９５】
例えば、第１の上りリンク参照信号は、上位層シグナリングによって種々のパラメータが設定された場合に、設定された送信サブフレームに基づいて周期的に送信される。また、第２の上りリンク参照信号は、下りリンク制御情報フォーマットに含まれる第２の上りリンク参照信号の送信要求に関するフィールド（ＳＲＳリクエスト）によって、送信要求が指示される場合に、非周期的に送信される。端末装置２は、ある下りリンク制御情報フォーマットに含まれるＳＲＳリクエストがポジティブまたはポジティブに相当するインデックス（値）を示している場合、所定の送信サブフレームでＡ−ＳＲＳを送信する。また、端末装置２は、検出したＳＲＳリクエストがネガティブまたはネガティブに相当するインデックス（値）を示す場合、所定のサブフレームでＡ−ＳＲＳを送信しない。なお、セル固有に設定される情報（共有パラメータ、共有情報）は、システムインフォメーションまたは専用制御チャネル（DCCH: Dedicated Control Channel）を用いて通知される。また、端末装置固有に設定される情報（専用パラメータ、個別パラメータ、専用情報、個別情報）は、共有制御チャネル（CCCH: Common Control Channel）を用いて通知される。これらの情報は、ＲＲＣメッセージで通知されてもよい。ＲＲＣメッセージは、上位層によって通知されてもよい。
【００９６】
物理ランダムアクセスチャネル（PRACH: Physical Random Access Channel）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、端末装置２の基地局装置１へのアクセス手段として用いられる。端末装置２は、スケジューリング要求（SR: Scheduling Request）に対する物理上りリンク制御チャネル未設定時の無線リソース要求や、上りリンク送信タイミングを基地局装置の受信タイミングウィンドウに合わせるために必要な送信タイミング調整情報（タイミングアドバンス（TA: Timing Advance）とも呼称される）を基地局装置１に要求するために物理ランダムアクセスチャネルを用いる。
【００９７】
具体的には、端末装置２は、基地局装置１より設定された物理ランダムアクセスチャネル用の無線リソースを用いてプリアンブル系列を送信する。送信タイミング調整情報を受信した端末装置２は、報知情報によって共通的に設定される（またはレイヤー３メッセージで個別に設定される）送信タイミング調整情報の有効時間を計時する送信タイミングタイマーを設定し、送信タイミングタイマーの有効時間中（計時中）は送信タイミング調整状態、有効期間外（停止中）は送信タイミング非調整状態（送信タイミング未調整状態）として上りリンクの状態を管理する。レイヤー３メッセージは、端末装置２と基地局装置１の無線リソース制御（RRC: Radio Resource Control）層でやり取りされる制御平面（C-plane: Control-plane）のメッセージであり、ＲＲＣシグナリングまたはＲＲＣメッセージと同義の意味で使用される。また、ＲＲＣシグナリングは、上位層シグナリングや専用シグナリング（Dedicated signaling）と呼称する場合もある。
【００９８】
ランダムアクセスプロシージャには、コンテンションベースのランダムアクセスプロシージャ（Contention based Random Access procedure）とノンコンテンションベースのランダムアクセスプロシージャ（Non-contention based Random Access procedure）の２つのランダムアクセスプロシージャが含まれる。コンテンションベースのランダムアクセスプロシージャは、複数の端末装置２間で衝突が発生する可能性のあるランダムアクセスである。
【００９９】
また、ノンコンテンションベースのランダムアクセスプロシージャは、複数の端末装置２間で衝突が発生しないランダムアクセスである。
【０１００】
ノンコンテンションベースのランダムアクセスプロシージャは、３ステップから成り、下りリンクの専用シグナリング（Dedicated signaling）によって、ランダムアクセスプリアンブルアサインメント（Random Access Preamble assignment）が基地局装置１から端末装置２に通知される。その際、ランダムアクセスプリアンブルアサインメントは、基地局装置１が端末装置２に対してノンコンテンション用のランダムアクセスプリアンブルを割り当て、ハンドオーバに対するソース基地局装置（Source eNB）によって送信され、ターゲット基地局装置（Target eNB）によって生成されたハンドオーバコマンド、または、下りリンクデータアライバルの場合ＰＤＣＣＨによってシグナルされる。
【０１０１】
そのランダムアクセスプリアンブルアサインメントを受信した端末装置２は、上りリンクにおいてＲＡＣＨでランダムアクセスプリアンブル（メッセージ１）を送信する。その際、端末装置２は、割り当てられたノンコンテンション用のランダムアクセスプリアンブルを送信する。
【０１０２】
ランダムアクセスプリアンブルを受信した基地局装置１は、下りリンクデータ（DL-SCH: Downlink Shared Channel）でランダムアクセスレスポンスを端末装置２へ送信する。また、ランダムアクセスレスポンスで送信される情報には、ハンドオーバに対する最初の上りリンクグラント（ランダムアクセスレスポンスグラント）とタイミング調整情報（Timing Alignment information）、下りリンクデータアライバルに対するタイミング調整情報、ランダムアクセスプリアンブル識別子が含まれる。下りリンクデータは下りリンク共用チャネルデータ（ＤＬ−ＳＣＨデータ）と呼称される場合もある。
【０１０３】
ここで、ノンコンテンションベースのランダムアクセスプロシージャは、ハンドオーバ、下りリンクデータアライバル、ポジショニングに対して適用される。コンテンションベースのランダムアクセスプロシージャは、ＲＲＣ_ＩＤＬＥからの初期アクセス、ＲＲＣコネクションの再確立、ハンドオーバ、下りリンクデータアライバル、上りリンクデータアライバルに対して適用される。
【０１０４】
本実施形態に関わるランダムアクセスプロシージャは、コンテンションベースのランダムアクセスプロシージャである。コンテンションベースのランダムアクセスプロシージャの例を説明する。
【０１０５】
端末装置２は、基地局装置１によって送信されたシステムインフォメーションブロックタイプ２（ＳＩＢ２）を取得する。ＳＩＢ２は、セル内における全ての端末装置２（または、複数の端末装置２）に対して共通の設定（共通の情報）である。例えば、該共通の設定には、ＰＲＡＣＨの設定が含まれる。
【０１０６】
端末装置２は、ランダムアクセスプリアンブルの番号をランダムに選択する。また、端末装置２は、選択した番号のランダムアクセスプリアンブル（メッセージ１）を、ＰＲＡＣＨを用いて基地局装置１に送信する。基地局装置１は、ランダムアクセスプリアンブルを用いて上りリンクの送信タイミングを推定する。
【０１０７】
基地局装置１は、ＰＤＳＣＨを用いてランダムアクセスレスポンス（メッセージ２）を送信する。ランダムアクセスレスポンスには、基地局装置１によって検出されたランダムアクセスプリアンブルに対する複数の情報が含まれる。例えば、該複数の情報には、ランダムアクセスプリアンブルの番号、Ｔｅｍｐｏｒａｒｙ  Ｃ−ＲＮＴＩ、ＴＡコマンド（Timing Advance Command）、および、ランダムアクセスレスポンスグラントが含まれる。
【０１０８】
端末装置２は、ランダムアクセスレスポンスグラントを用いてスケジューリングされたＰＵＳＣＨで、上りリンクデータ（メッセージ３）を送信（初期送信）する。該上りリンクデータには、端末装置２を識別するための識別子（InitialUE-IdentityまたはC-RNTIを示す情報）が含まれる。
【０１０９】
基地局装置１は、上りリンクデータの復号に失敗した場合、Ｔｅｍｐｏｒａｒｙ  Ｃ−ＲＮＴＩによってスクランブルされたＣＲＣパリティビットが付加されたＤＣＩフォーマットを用いて、上りリンクデータの再送信を指示する。端末装置２は、該ＤＣＩフォーマットによって上りリンクデータの再送信を指示された場合、Ｔｅｍｐｏｒａｒｙ  Ｃ−ＲＮＴＩによってスクランブルされたＣＲＣパリティビットが付加されたＤＣＩフォーマットを用いてスケジュールされたＰＵＳＣＨで、同一の上りリンクデータを再送信する。
【０１１０】
また、基地局装置１は、上りリンクデータの復号に失敗した場合、ＰＨＩＣＨ（ＮＡＣＫ）を用いて、上りリンクデータの再送信を指示することができる。端末装置２は、該ＮＡＣＫによって上りリンクデータの再送信を指示された場合、ＰＵＳＣＨで、同一の上りリンクデータを再送信する。
【０１１１】
基地局装置１は、上りリンクデータの復号に成功し、上りリンクデータを取得することによって、何れの端末装置２がランダムアクセスプリアンブルおよび上りリンクデータの送信を行なっていたかを知ることができる。すなわち、基地局装置１は、上りリンクデータの復号に成功する前は、何れの端末装置２がランダムアクセスプリアンブルおよび上りリンクデータの送信を行なっているかを知ることはできない。
【０１１２】
基地局装置１は、InitialUE-Identityを含むメッセージ３を受信した場合、受信したInitialUE-Identityに基づいて生成したコンテンションレゾリューション識別子（contention resolution identity）（メッセージ４）を、ＰＤＳＣＨを用いて端末装置２に送信する。端末装置２は、受信したコンテンションレゾリューション識別子と、送信したInitialUE-Identityがマッチした場合に、（１）ランダムアクセスプリアンブルのコンテンションレゾリューションに成功したとみなし、（２）Ｔｅｍｐｏｒａｒｙ  Ｃ−ＲＮＴＩの値をＣ−ＲＮＴＩにセットし、（３）Ｔｅｍｐｏｒａｒｙ  Ｃ−ＲＮＴＩを破棄し、（４）ランダムアクセスプロシージャが正しく完了したとみなす。
【０１１３】
また、基地局装置１は、Ｃ−ＲＮＴＩを示す情報を含むメッセージ３を受信した場合、受信したＣ−ＲＮＴＩによってスクランブルされたＣＲＣパリティビットが付加されたＤＣＩフォーマット（メッセージ４）を、端末装置２に送信する。端末装置２は、Ｃ−ＲＮＴＩによってスクランブルされたＣＲＣパリティビットが付加されたＤＣＩフォーマットをデコードした場合に、（１）ランダムアクセスプリアンブルのコンテンションレゾリューションに成功したとみなし、（２）Ｔｅｍｐｏｒａｒｙ  Ｃ−ＲＮＴＩを破棄し、（３）ランダムアクセスプロシージャが正しく完了したとみなす。
【０１１４】
すなわち、基地局装置１は、コンテンションベースのランダムアクセスプロシージャの一環として（as part of contention based random access procedure）、ランダムアクセスレスポンスグラントを用いて、ＰＵＳＣＨをスケジュールする。
【０１１５】
端末装置２は、ランダムアクセスレスポンスグラントを用いてスケジュールされたＰＵＳＣＨで、上りリンクデータ（メッセージ３）を送信する。すなわち、端末装置２は、コンテンションベースのランダムアクセスプロシージャの一環として、ランダムアクセスレスポンスグラントに対応するＰＵＳＣＨでの送信を行なう。
【０１１６】
また、基地局装置１は、コンテンションベースのランダムアクセスプロシージャの一環として、Ｔｅｍｐｏｒａｒｙ  Ｃ−ＲＮＴＩによってスクランブルされたＣＲＣが付加されたＤＣＩフォーマットを用いて、ＰＵＳＣＨをスケジュールする。また、基地局装置１は、コンテンションベースのランダムアクセスプロシージャの一環として、ＰＨＩＣＨ（ＮＡＣＫ）を用いて、ＰＵＳＣＨでの送信をスケジュール／指示する。
【０１１７】
端末装置２は、Ｔｅｍｐｏｒａｒｙ  Ｃ−ＲＮＴＩによってスクランブルされたＣＲＣが付加されたＤＣＩフォーマットを用いてスケジュールされたＰＵＳＣＨで、上りリンクデータ（メッセージ３）を送信（再送信）する。また、端末装置２は、ＰＨＩＣＨの受信に応じて、スケジュールされたＰＵＳＣＨで、上りリンクデータ（メッセージ３）を送信（再送信）する。すなわち、端末装置２は、コンテンションベースのランダムアクセスプロシージャの一環として、同一の上りリンクデータ（トランスポートブロック）の再送信に対応するＰＵＳＣＨでの送信を行なう。
【０１１８】
ＴＤＤ方式において、基地局装置１は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信してもよい。また、基地局装置１は、スペシャルサブフレームのＤｗＰＴＳにおいて、ＰＢＣＨを送信しなくてもよい。
【０１１９】
また、ＴＤＤ方式において、端末装置２は、スペシャルサブフレームのＵｐＰＴＳにおいて、ＰＲＡＣＨ、およびＳＲＳを送信してもよい。また、端末装置２は、スペシャルサブフレームのＵｐＰＴＳにおいて、ＰＵＣＣＨ、ＰＵＳＣＨ、およびＤＭＲＳを送信しなくてもよい。
【０１２０】
また、ＴＤＤ方式において、端末装置２は、スペシャルサブフレームがＧＰおよびＵｐＰＴＳのみによって構成されている場合には、スペシャルサブフレームのＵｐＰＴＳにおいて、ＰＵＣＣＨおよび／またはＰＵＳＣＨおよび／またはＤＭＲＳを送信してもよい。
【０１２１】
以下、論理チャネルについて説明する。論理チャネルは、ＲＲＣメッセージや情報要素を伝送するために用いられる。また、論理チャネルは、トランスポートチャネルを介して、物理チャネルで送信される。
【０１２２】
報知制御チャネル（BCCH: Broadcast Control Channel）は、システム制御情報を報知するために用いられる論理チャネルである。例えば、システム情報や初期アクセスに必要な情報は、このチャネルを用いて送信される。ＭＩＢ（Master Information Block）やＳＩＢ１（System Information Block Type 1）は、この論理チャネルを用いて伝送される。
【０１２３】
共有制御チャネル（CCCH: Common Control Channel）は、ネットワークとＲＲＣコネクションを持たない端末装置とネットワーク間で制御情報を送信するために用いられる論理チャネルである。例えば、端末固有の制御情報や設定情報は、この論理チャネルを用いて送信される。
【０１２４】
専用制御チャネル（DCCH: Dedicated Control Channel）は、ＲＲＣコネクションを持つ端末装置２とネットワーク間を双方向で専用制御情報（個別制御情報）を送信するために用いられる論理チャネルである。例えば、セル固有の再設定情報は、この論理チャネルを用いて送信される。
【０１２５】
ＣＣＣＨやＤＣＣＨを用いるシグナリングをＲＲＣシグナリングと総称する場合もある。
【０１２６】
上りリンク電力制御に関する情報は、報知情報として通知される情報と、同じセル内の端末装置２間で共有される情報（共有情報）として通知される情報と、端末装置固有の専用情報として通知される情報と、がある。端末装置２は、報知情報として通知される情報のみ、または、報知情報／共有情報として通知される情報と、専用情報として通知される情報に基づいて送信電力をセットする。
【０１２７】
無線リソース制御設定共有情報は、報知情報（またはシステム情報）として通知されてもよい。また、無線リソース制御設定共有情報は、専用情報（モビリティ制御情報）として通知されてもよい。
【０１２８】
無線リソース設定は、ランダムアクセスチャネル（ＲＡＣＨ）設定、報知制御チャネル（ＢＣＣＨ）設定、ページング制御チャネル（ＰＣＣＨ）設定、物理ランダムアクセスチャネル（ＰＲＡＣＨ）設定、物理下りリンク共用チャネル（ＰＤＳＣＨ）設定、物理上りリンク共用チャネル（ＰＵＳＣＨ）設定、物理上りリンク制御チャネル（ＰＵＣＣＨ）設定、サウンディング参照信号（ＳＲＳ）設定、上りリンク電力制御に関する設定、上りリンクサイクリックプレフィックス長に関する設定などを含む。つまり、無線リソース設定は、物理チャネル／物理信号を生成するために用いられるパラメータを通知するために設定される。報知情報として通知される場合と再設定情報として通知される場合で、通知されるパラメータ（情報要素）は異なっていてもよい。
【０１２９】
種々の物理チャネル／物理信号（ＰＲＡＣＨ，ＰＵＣＣＨ，ＰＵＳＣＨ、ＳＲＳ，ＵＬ  ＤＭＲＳ、ＣＲＳ，ＣＳＩ−ＲＳ、ＰＤＣＣＨ、ＰＤＳＣＨ、ＰＳＳ／ＳＳＳ、ＵＥＲＳ，ＰＢＣＨ，ＰＭＣＨなど）に関するパラメータを設定するために必要な情報要素は、同一セル内の端末装置２間で共有する共有設定情報と、端末装置２毎に設定される専用設定情報で構成される。共有設定情報は、システムインフォメーションで送信されてもよい。また、共有設定情報は、再設定を行なう場合には、専用情報として送信されてもよい。これらの設定は、パラメータの設定を含む。パラメータの設定とは、パラメータの値の設定を含む。また、パラメータの設定とは、パラメータがテーブル管理されている場合、インデックスの値の設定を含む。
【０１３０】
上記物理チャネルのパラメータに関する情報は、ＲＲＣメッセージを用いて端末装置２へ送信される。つまり、端末装置２は、受信したＲＲＣメッセージに基づいて、各物理チャネルのリソース割り当てや送信電力を設定する。ＲＲＣメッセージには、報知チャネルに関するメッセージ、マルチキャストチャネルに関するメッセージ、ページングチャネルに関するメッセージ、下りリンクの各チャネルに関するメッセージ、上りリンクの各チャネルに関するメッセージなどがある。各ＲＲＣメッセージは、情報要素（IE: Information element）を含んで構成されてもよい。また、情報要素は、パラメータに相当する情報が含まれてもよい。なお、ＲＲＣメッセージは、メッセージと呼称される場合もある。また、メッセージクラスは、１つ以上のメッセージのセットである。メッセージには、情報要素が含まれてもよい。情報要素には、無線リソース制御に関する情報要素、セキュリティ制御に関する情報要素、モビリティ制御に関する情報要素、測定に関する情報要素、マルチメディアブロードキャストマルチキャストサービス（MBMS: Multimedia Broadcast Multicast Service）に関する情報要素などがある。また、情報要素には、下位の情報要素が含まれてもよい。情報要素は、パラメータとして設定されてもよい。また、情報要素は、１つ以上のパラメータを示す制御情報として定義されてもよい。
【０１３１】
情報要素（IE: Information Element）は、システムインフォメーション（SI: System Information）または専用シグナリング（Dedicated signaling）で種々のチャネル／信号／情報に対するパラメータを規定（指定、設定）するために使われる。また、ある情報要素は、１つ以上のフィールドを含む。情報要素は、１つ以上の情報要素で構成されてもよい。なお、情報要素に含まれるフィールドをパラメータと呼称する場合もある。つまり、情報要素は、１種類（１つ）以上のパラメータを含んでもよい。また、端末装置２は、種々のパラメータに基づいて無線リソース割り当て制御や上りリンク電力制御、送信制御等を行なう。また、システムインフォメーションは情報要素として定義されてもよい。
【０１３２】
情報要素を構成するフィールドには、情報要素が設定されてもよい。また、情報要素を構成するフィールドには、パラメータが設定されてもよい。
【０１３３】
ＲＲＣメッセージは、１つ以上の情報要素を含む。また、複数のＲＲＣメッセージがセットされたＲＲＣメッセージをメッセージクラスと呼称する。
【０１３４】
システムインフォメーションを用いて端末装置２に通知される上りリンク送信電力制御に関するパラメータには、ＰＵＳＣＨに対する標準電力、ＰＵＣＣＨに対する標準電力、伝搬路損失補償係数α、ＰＵＣＣＨフォーマット毎に設定される電力オフセットのリスト、プリアンブルとメッセージ３の電力オフセットがある。さらに、システムインフォメーションを用いて端末装置２に通知されるランダムアクセスチャネルに関するパラメータには、プリアンブルに関するパラメータ、ランダムアクセスチャネルの送信電力制御に係るパラメータ、ランダムアクセスプリアンブルの送信制御に係るパラメータがある。これらのパラメータは、初期アクセス時または無線リンク障害（RLF: Radio Link Failure）発生後の再接続／再確立時に使用される。
【０１３５】
送信電力を設定するために用いられる情報は、報知情報として端末装置２に通知されてもよい。また、送信電力を設定するために用いられる情報は、共有情報として端末装置２に通知されてもよい。また、送信電力を設定するために用いられる情報は、専用情報（個別情報）として端末装置２に通知されてもよい。
【０１３６】
（第１の実施形態）
以下、本発明の第１の実施形態について説明する。第１の実施形態における通信システムは、基地局装置１（以下、アクセスポイント、ポイント、送信ポイント、受信ポイント、セル、サービングセル、送信装置、受信装置、送信局、受信局、送信アンテナ群、送信アンテナポート群、受信アンテナ群、受信アンテナポート群、通信装置、通信端末、ｅＮｏｄｅＢとも呼称される）として、プライマリー基地局装置（マクロ基地局装置、第１の基地局装置、第１の通信装置、サービング基地局装置、アンカー基地局装置、マスター基地局装置、第１のアクセスポイント、第１のポイント、第１の送信ポイント、第１の受信ポイント、マクロセル、第１のセル、プライマリーセル、マスターセル、マスタースモールセルとも呼称される）を備える。なお、プライマリーセルとマスターセル（マスタースモールセル）は独立に構成されてもよい。さらに、第１の実施形態における通信システムは、セカンダリー基地局装置（ＲＲＨ（Remote Radio Head）、リモートアンテナ、張り出しアンテナ、分散アンテナ、第２のアクセスポイント、第２のポイント、第２の送信ポイント、第２の受信ポイント、参照点、小電力基地局装置（LPN: Low Power Node）、マイクロ基地局装置、ピコ基地局装置、フェムト基地局装置、スモール基地局装置、ローカルエリア基地局装置、ファントム基地局装置、家庭（屋内）向け基地局装置（Home eNodeB, Home NodeB, HeNB, HNB）、第２の基地局装置、第２の通信装置、協調基地局装置群、協調基地局装置セット、協調基地局装置、マイクロセル、ピコセル、フェムトセル、スモールセル、ファントムセル、ローカルエリア、第２のセル、セカンダリーセルとも呼称される）を備えてもよい。また、第１の実施形態に係る通信システムは、端末装置２（以下、移動局、移動局装置、移動端末、受信装置、送信装置、受信端末、送信端末、第３の通信装置、受信アンテナ群、受信アンテナポート群、送信アンテナ群、送信アンテナポート群、ユーザ装置、ユーザ端末（UE: User Equipment）とも呼称される）を備える。ここで、セカンダリー基地局装置は、複数のセカンダリー基地局装置として示されてもよい。例えば、プライマリー基地局装置とセカンダリー基地局装置は、ヘテロジーニアスネットワーク配置を利用して、セカンダリー基地局装置のカバレッジの一部または全てが、プライマリー基地局装置のカバレッジに含まれ、端末装置と通信が行なわれてもよい。
【０１３７】
また、第１の実施形態に係る通信システムは、基地局装置１と端末装置２とで構成される。単一の基地局装置１は、１つ以上の端末装置２を管理してもよい。また、単一の基地局装置１は、１つ以上のセル（サービングセル、プライマリーセル、セカンダリーセル、フェムトセル、ピコセル、スモールセル、ファントムセル）を管理してもよい。また、単一の基地局装置１は、１つ以上の周波数帯域（コンポーネントキャリア、キャリア周波数）を管理してもよい。また、単一の基地局装置１は、１つ以上の小電力基地局装置（LPN: Low Power Node）を管理してもよい。また、単一の基地局装置１は、１つ以上の家庭（屋内）向け基地局装置（HeNB: Home eNodeB）を管理してもよい。また、単一の基地局装置１は、１つ以上のアクセスポイントを管理してもよい。基地局装置１間は、有線（光ファイバ、銅線、同軸ケーブルなど）または無線（Ｘ２インタフェース、Ｘ３インタフェース、Ｘｎインタフェースなど）で接続されてもよい。つまり、複数の基地局装置１間では、光ファイバで高速（遅延なし）で通信してもよい（Ideal backhaul）し、Ｘ２インタフェースで低速で通信してもよい（Non ideal backhaul）。その際、端末装置２の種々の情報（設定情報やチャネル状態情報（CSI）、端末装置２の機能情報（UE capability）、ハンドオーバのための情報など）を通信してもよい。また、複数の基地局装置１は、ネットワークで管理されてもよい。また、単一の基地局装置１は、１つ以上の中継局装置（Relay）を管理してもよい。
【０１３８】
また、第１の実施形態に係る通信システムは、複数の基地局装置または小電力基地局装置または家庭用基地局装置で協調通信（CoMP: Coordination Multiple Points）を実現してもよい。つまり、第１の実施形態に係る通信システムは、端末装置２と通信を行なうポイント（送信ポイントおよび／または受信ポイント）をダイナミックに切り替えるダイナミックポイントセレクション（DPS: Dynamic Point Selection）を行なってもよい。また、第１の実施形態に係る通信システムは、協調スケジューリング（CS: Coordinated Scheduling）や協調ビームフォーミング（CB: Coordinated Beamforming）を行なってもよい。また、第１の実施形態に係る通信システムは、ジョイント送信（JT: Joint Transmission）やジョイント受信（JR: Joint Reception）を行なってもよい。
【０１３９】
また、近くに配置された複数の小電力基地局装置またはスモールセルは、クラスタリング（クラスター化、グループ化）されてもよい。クラスタリングされた複数の小電力基地局装置は、同じ設定情報を通知してもよい。また、クラスター化されたスモールセルの領域（カバレッジ）をローカルエリアと呼称する場合もある。
【０１４０】
下りリンク送信において、基地局装置１は、送信点（TP: Transmission Point）と呼称される場合もある。また、上りリンク送信において、基地局装置１は、受信点（RP: Reception Point）と呼称される場合もある。また、下りリンク送信点および上りリンク受信点は、下りリンクパスロス測定用のパスロス参照点（Pathloss Reference Point, Reference Point）になりうる。また、パスロス測定用の参照点は、送信点や受信点とは独立に設定されてもよい。
【０１４１】
また、スモールセルやファントムセル、ローカルエリアセルは、第３のセルとして設定されてもよい。また、スモールセルやファントムセル、ローカルエリアセルは、プライマリーセルとして再設定されてもよい。また、スモールセルやファントムセル、ローカルエリアセルは、セカンダリーセルとして再設定されてもよい。スモールセルやファントムセル、ローカルエリアセルは、サービングセルとして再設定されてもよい。また、スモールセルやファントムセル、ローカルエリアセルはサービングセルに含まれてもよい。
【０１４２】
スモールセルを構成可能な基地局装置１は必要に応じて、間欠受信（DRX: Discrete Reception）や間欠送信（DTX: Discrete Transmission）を行なってもよい。また、スモールセルを構成可能な基地局装置１は、断続的または準静的に、一部の装置（例えば、送信部や受信部）の電源のオン／オフを行なってもよい。
【０１４３】
マクロセルを構成する基地局装置１とスモールセルを構成する基地局装置１とは、独立な識別子（ID: Identity, Identifier）が設定される場合がある。つまり、マクロセルとスモールセルの識別子は、独立に設定される場合がある。例えば、セル固有参照信号（CRS: Cell specific Reference Signal）がマクロセルおよびスモールセルから送信される場合、送信周波数および無線リソースが同じであっても、異なる識別子でスクランブルされる場合もある。マクロセルに対するセル固有参照信号は物理層セルＩＤ（PCI: Physical layer Cell Identity）でスクランブルされ、スモールセルに対するセル固有参照信号は仮想セルＩＤ（VCI: Virtual Cell Identity）でスクランブルされてもよい。マクロセルでは物理層セルＩＤ（PCI: Physical layer Cell Identity）でスクランブルされ、スモールセルではグローバルセルＩＤ（GCI: Global Cell Identity）でスクランブルされてもよい。マクロセルでは第１の物理層セルＩＤでスクランブルされ、スモールセルでは第２の物理層セルＩＤでスクランブルされてもよい。マクロセルでは第１の仮想セルＩＤでスクランブルされ、スモールセルでは第２の仮想セルＩＤでスクランブルされてもよい。ここで、仮想セルＩＤは、物理チャネル／物理信号に設定されるＩＤであってもよい。また、仮想セルＩＤは、物理層セルＩＤとは独立に設定されるＩＤであってもよい。また、仮想セルＩＤは、物理チャネル／物理信号に用いられる系列のスクランブルに使用されるＩＤであってもよい。
【０１４４】
また、スモールセルまたはスモールセルとして設定されたサービングセルまたはスモールセルに対応するコンポーネントキャリアでは、一部の物理チャネル／物理信号が送信されなくてもよい。例えば、セル固有参照信号（CRS: Cell specific Reference Signal(s)）や物理下りリンク制御チャネル（PDCCH: Physical Downlink Control Channel）が送信されなくてもよい。また、スモールセルまたはスモールセルとして設定されたサービングセルまたはスモールセルに対応するコンポーネントキャリアでは、新しい物理チャネル／物理信号が送信されてもよい。
【０１４５】
第１の実施形態では、セルアグリゲーション（キャリアアグリゲーション）を行なう端末装置２は、プライマリーセルと少なくとも１つのセカンダリーセルにおいて、異なるフレーム構造タイプ（ＦＤＤ（タイプ１）およびＴＤＤ（タイプ２））が適用される場合、端末装置２にプライマリーセルとセカンダリーセルそれぞれがサポートしているバンド間において、同時に送受信を行なう機能（性能、能力）がなければ、プライマリーセルとセカンダリーセルとで同時に送受信を行なわない。
【０１４６】
図４は、本発明の第１の実施形態に係る端末装置２の処理１の手順を示すフローチャートである。端末装置２は、複数のセルでセルアグリゲーションを行なう場合、異なるフレーム構造タイプの複数のセルが集約されているか否かを判定する（ステップＳ４０１）。異なるフレーム構造タイプの複数のセルが集約されている場合（Ｓ４０１：ＹＥＳ）、端末装置２は、異なるフレーム構造タイプの複数のセルで同時に送受信を行なう機能を有しているか否かを判定する（ステップＳ４０２）。異なるフレーム構造タイプの複数のセルで同時に送受信を行なう機能を有している場合（Ｓ４０２：ＹＥＳ）、端末装置２は、同じサブフレームにおいて、異なるフレーム構造タイプの複数のセルで同時に送受信を行なうことができる（ステップＳ４０３）。異なるフレーム構造タイプの複数のセルが集約されていない場合（Ｓ４０１：ＮＯ）、すなわち、同じフレーム構造タイプの複数のセルが集約されている場合、処理３へ移行する。また、異なるフレーム構造タイプの複数のセルで同時に送受信を行なう機能を有していない場合（Ｓ４０２：ＮＯ）、処理２へ移行する。
【０１４７】
以下に処理２の例を示す。
【０１４８】
異なるフレーム構造タイプが適用される複数のセルが集約され、端末装置２に集約された複数のセル間で同時に送受信を行なう機能（性能、能力）がない場合、端末装置２は、プライマリーセルのサブフレームの種類に応じて、同じサブフレームのセカンダリーセルにおいて、同時に送受信を行なうか決定する。
【０１４９】
また、異なるフレーム構造タイプが適用される複数のセルが集約され、端末装置２に集約された複数のセル間で同時に送受信を行なう機能がない場合、プライマリーセルのサブフレームが下りリンクサブフレームであれば、端末装置２は、同じサブフレームのセカンダリーセルにおいて、上りリンク信号（上りリンク信号を含むどのチャネルまたは信号）の送信を行なわない。この際、基地局装置１は、そのサブフレームにおいて、端末装置２から上りリンク信号が送信されることを期待しない。すなわち、基地局装置１は、そのサブフレームにおいて、端末装置２から送信される上りリンク信号の受信を行なわなくてもよい。
【０１５０】
また、異なるフレーム構造タイプが適用される複数のセルが集約され、端末装置２に集約された複数のセル間で同時に送受信を行なう機能がない場合、プライマリーセルのサブフレームが上りリンク送信が要求された上りリンクサブフレーム（有効な上りリンクサブフレーム）であれば、端末装置２は、同じサブフレームのセカンダリーセルにおいて、下りリンク信号が受信できることを期待しない。すなわち、この場合、端末装置２は、基地局装置１から下りリンク信号が送信されること（下りリンク送信があること）を期待しない。そのため、この場合、端末装置２は、セカンダリーセルにおいて、下りリンク信号の受信を行なわなくてもよい。また、この場合、基地局装置１は、端末装置２に対して、セカンダリーセルにおいて、下りリンク信号の送信を行なわなくてもよい。
【０１５１】
また、異なるフレーム構造タイプが適用される複数のセルが集約され、端末装置２に集約された複数のセル間で同時に送受信を行なう機能がない場合、プライマリーセルのサブフレームが上りリンク送信が要求されていない上りリンクサブフレーム（無効な上りリンクサブフレーム）であれば、端末装置２は、同じサブフレームのセカンダリーセルにおいて、下りリンク信号の受信を行なってもよい。この場合、基地局装置１は、端末装置２に対して、セカンダリーセルにおいて、下りリンク信号の送信を行なってもよい。
【０１５２】
また、異なるフレーム構造タイプが適用される複数のセルが集約され、端末装置２に集約された複数のセル間で同時に送受信を行なう機能がない場合、プライマリーセル（またはセカンダリーセル）におけるクロスキャリアスケジューリングによって、セカンダリーセルのあるサブフレームに対して、上りリンク送信が要求されていれば、端末装置２は、同じサブフレームのプライマリーセルにおいて、下りリンク信号が受信できることを期待しない。すなわち、この場合、端末装置２は、基地局装置１から下りリンク信号が送信されることを期待しない。そのため、この場合、端末装置２は、下りリンク信号の受信を行なわなくてもよい。
【０１５３】
また、異なるフレーム構造タイプが適用される複数のセルが集約され、端末装置２に集約された複数のセル間で同時に送受信を行なう機能がない場合、プライマリーセル（セカンダリーセル）におけるマルチサブフレームスケジューリングまたはクロスサブフレームスケジューリングによって、セカンダリーセルのあるサブフレームに対して、上りリンク送信が要求されていれば、端末装置２は、同じサブフレームのプライマリーセルにおいて、下りリンク信号が受信できることを期待しない。すなわち、この場合、端末装置２は、基地局装置１から下りリンク信号が送信されることを期待しない。そのため、この場合、端末装置２は、下りリンク信号の受信を行なわなくてもよい。また、この場合、基地局装置１は、端末装置２に対して、セカンダリーセルにおいて、下りリンク信号の送信を行なわなくてもよい。
【０１５４】
また、異なるフレーム構造タイプが適用される複数のセルが集約され、端末装置２に集約された複数のセル間で同時に送受信を行なう機能がない場合、プライマリーセル（またはセカンダリーセル）におけるマルチサブフレームスケジューリングまたはクロスサブフレームスケジューリングによって、セカンダリーセルのサブフレームに対して、下りリンク送信が示されていれば、端末装置２は、同じサブフレームのプライマリーセルにおいて、上りリンク信号が送信できることを期待しない。すなわち、この場合、端末装置２は、そのサブフレームにおいて、上りリンク送信が要求されることを期待しない。そのため、この場合、端末装置２は、上りリンク信号の送信を行なわなくてもよい。例えば、Ｐ−ＳＲＳの送信サブフレームと同じサブフレームであったとしてもＰ−ＳＲＳの送信をドロップしてもよい。
【０１５５】
また、異なるフレーム構造タイプが適用される複数のセルが集約され、端末装置２に集約された複数のセル間で同時に送受信を行なう機能がない場合、プライマリーセルのサブフレームがスペシャルサブフレームであれば、端末装置２は、同じサブフレームのセカンダリーセルにおいて、ＰＤＳＣＨ／ＥＰＤＣＣＨ／ＰＭＣＨ／ＰＲＳが受信できることを期待しない。また、この場合、端末装置２は、ＰＵＳＣＨ／ＰＵＣＣＨ／ＰＲＡＣＨフォーマット１〜３を送信しなくてもよい。また、この場合、基地局装置１は、端末装置２からＰＵＳＣＨ／ＰＵＣＣＨ／ＰＲＡＣＨフォーマット１〜３が送信されることを期待しない。
【０１５６】
また、異なるフレーム構造タイプが適用される複数のセルが集約され、端末装置２に集約された複数のセル間で同時に送受信を行なう機能がない場合、プライマリーセルのスペシャルサブフレームとセカンダリーセルの下りリンクサブフレームが同じサブフレームであれば、端末装置２は、プライマリーセルのサブフレーム内のガード期間とＵｐＰＴＳに重複するセカンダリーセルのＯＦＤＭシンボルにおいて、下りリンク信号が受信できることを期待しない。この場合、端末装置２は、下りリンク信号の受信を行なわなくてもよい。また、この場合、端末装置２は、プライマリーセルのサブフレーム内のガード期間とＵｐＰＴＳに重複していないセカンダリーセルのＯＦＤＭシンボルにおいて、下りリンク信号（例えば、ＰＤＣＣＨ）の受信を行なってもよい。また、この場合、基地局装置１は、ライマリーセルのサブフレーム内のガード期間とＵｐＰＴＳに重複していないセカンダリーセルのＯＦＤＭシンボルにおいて、下りリンク信号の送信を行なってもよい。
【０１５７】
また、異なるフレーム構造タイプが適用される複数のセルが集約され、端末装置２に集約された複数のセル間で同時に送受信を行なう機能がない場合、プライマリーセルのスペシャルサブフレームとセカンダリーセルの上りリンクサブフレームが同じサブフレームであれば、端末装置２は、プライマリーセルのサブフレーム内のガード期間とＤｗＰＴＳに重複するセカンダリーセルのＳＣ−ＦＤＭＡシンボル（ＯＦＤＭシンボル）において、上りリンク信号を送信できることを期待しない。この場合、端末装置２は、上りリンク信号を送信しなくてもよい。また、この場合、端末装置２は、プライマリーセルのサブフレーム内のガード期間とＤｗＰＴＳに重複していないセカンダリーセルのＳＣ−ＦＤＭＡシンボルでは上りリンク信号（例えば、ＵｐＰＴＳに配置可能なＳＲＳやＰＲＡＣＨフォーマット４）を送信してもよい。また、この場合、基地局装置１は、プライマリーセルのサブフレーム内のガード期間とＤｗＰＴＳに重複していないセカンダリーセルのＳＣ−ＦＤＭＡシンボルで上りリンク信号を受信する。
【０１５８】
また、異なるフレーム構造タイプが適用される複数のセルが集約され、端末装置２に集約された複数のセル間で同時に送受信を行なう機能がない場合、複数のセルのうち、あるセルのあるサブフレームにおいて、上りリンク送信が要求されると、他のセルが下りリンクサブフレームであっても、その下りリンクサブフレームで下りリンク信号が受信できることを期待しない。言い換えると、端末装置２は、他のセルの同じサブフレームにおいて、基地局装置１から下りリンク信号が送信されることを期待しない。すなわち、この場合、端末装置２は、基地局装置１から下りリンク信号が送信されることを期待しない。そのため、この場合、端末装置２は、下りリンク信号の受信を行なわなくてもよい。この場合、基地局装置１は、端末装置２に対して、下りリンク信号を送信しなくてもよい。
【０１５９】
また、異なるフレーム構造タイプが適用される複数のセルが集約され、端末装置２に集約された複数のセル間で同時に送受信を行なう機能がなく、上りリンクキャリアアグリゲーションを行なう機能がない場合、プライマリーセルのサブフレームに対して、上りリンク送信が要求されていれば、端末装置２は、同じサブフレームのセカンダリーセルにおいて、同時に上りリンク信号の送信および下りリンク信号の受信を行なわない。また、クロスキャリアスケジューリング（またはクロスサブフレームスケジューリング、マルチサブフレームスケジューリング）によって、セカンダリーセルのあるサブフレームに対して、上りリンク送信が要求されていれば、同じサブフレームのプライマリーセルにおいて、上りリンク信号の送信および下りリンク信号の受信を行なわなくてもよい。この場合、同じサブフレームのプライマリーセルにおいて、基地局装置１は、上りリンク信号の受信および下りリンク信号の送信を行なわなくてもよい。
【０１６０】
また、異なるフレーム構造タイプが適用される複数のセルが集約され、端末装置２に集約された複数のセル間で同時に送受信を行なう機能がなく、下りリンクキャリアアグリゲーションを行なう機能がない場合、プライマリーセルのあるサブフレームに対して、上りリンク送信が要求されていれば、同じサブフレームのセカンダリーセルにおいて、下りリンク信号が受信できることを期待しない。また、クロスキャリアスケジューリング（またはクロスサブフレームスケジューリング、マルチサブフレームスケジューリング）によって、セカンダリーセルのあるサブフレームに対して、上りリンク送信が要求されていれば、同じサブフレームのプライマリーセルにおいて、下りリンク信号が受信できることを期待しない。すなわち、この場合、端末装置２は、基地局装置１から下りリンク信号が送信されることを期待しない。そのため、この場合、端末装置２は、下りリンク信号の受信を行なわなくてもよい。
【０１６１】
また、異なるフレーム構造タイプが適用される複数のセルが集約され、端末装置２に集約された複数のセル間で上りリンクにおいては同時に送受信を行なう機能がない場合、プライマリーセルのサブフレームが下りリンクサブフレームであれば、同じサブフレームのセカンダリーセルにおいて、端末装置２は、上りリンク信号を送信しない。この場合、基地局装置１は、同じサブフレームのセカンダリーセルにおいて、端末装置２から上りリンク信号が送信されることを期待しない。
【０１６２】
また、異なるフレーム構造タイプが適用される複数のセルが集約され、端末装置２に集約された複数のセル間で上りリンクにおいては同時に送受信を行なう機能がない場合、プライマリーセルのサブフレームがスペシャルサブフレームであれば、端末装置２は、同じサブフレームのセカンダリーセルにおいて、ＰＤＳＣＨ／ＥＰＤＣＣＨ／ＰＭＣＨ／ＰＲＳが受信できることを期待しない。この場合、端末装置２は、ＰＤＳＣＨ／ＥＰＤＣＣＨ／ＰＭＣＨ／ＰＲＳの受信を行なわなくてもよい。また、この場合、端末装置２は、ＰＵＳＣＨ／ＰＵＣＣＨ／ＰＲＡＣＨフォーマット１〜３を送信しなくてもよい。
【０１６３】
また、異なるフレーム構造タイプが適用される複数のセルが集約され、端末装置２に集約された複数のセル間で下りリンクにおいては同時に送受信を行なう機能がない場合、プライマリーセルのサブフレームが上りリンクサブフレームであれば、端末装置２は、同じサブフレームのセカンダリーセルにおいて下りリンク信号を受信できることを期待しない。すなわち、この場合、端末装置２は、下りリンク信号の受信を行なわなくてもよい。
【０１６４】
また、異なるフレーム構造タイプが適用される複数のセルが集約され、端末装置２に集約された複数のセル間で下りリンクにおいては同時に送受信を行なう機能がない場合、プライマリーセルのスペシャルサブフレームとセカンダリーセルの上りリンクサブフレームが同じサブフレームであれば、端末装置２は、プライマリーセルのサブフレーム内のガード期間とＤｗＰＴＳに重複するセカンダリーセルのＳＣ−ＦＤＭＡシンボル（ＯＦＤＭシンボル）において、上りリンク信号を送信できることを期待しない。この場合、端末装置２は、上りリンク信号を送信しなくてもよい。また、この場合、プライマリーセルのサブフレーム内のガード期間とＤｗＰＴＳに重複していないセカンダリーセルのＳＣ−ＦＤＭＡシンボルでは上りリンク信号（例えば、ＵｐＰＴＳに配置可能なＳＲＳやＰＲＡＣＨフォーマット４）を送信してもよい。
【０１６５】
また、異なるフレーム構造タイプが適用される複数のセルが集約され、端末装置２に集約された複数のセルのうち、セカンダリーセルの上りリンクにおいては同時に送受信を行なう機能がない場合、プライマリーセルのサブフレームが下りリンクサブフレームであれば、同じサブフレームのセカンダリーセルにおいて、端末装置２は、上りリンク信号を送信しない。
【０１６６】
また、異なるフレーム構造タイプが適用される複数のセルが集約され、端末装置２に集約された複数のセルのうち、セカンダリーセルの上りリンクにおいては同時に送受信を行なう機能がない場合、プライマリーセルのサブフレームがスペシャルサブフレームであれば、端末装置２は、同じサブフレームのセカンダリーセルにおいて、ＰＤＳＣＨ／ＥＰＤＣＣＨ／ＰＭＣＨ／ＰＲＳが受信できることを期待しない。この場合、端末装置２は、ＰＤＳＣＨ／ＥＰＤＣＣＨ／ＰＭＣＨ／ＰＲＳの受信を行なわなくてもよい。また、この場合、端末装置２は、ＰＵＳＣＨ／ＰＵＣＣＨ／ＰＲＡＣＨフォーマット１〜３を送信しなくてもよい。
【０１６７】
また、異なるフレーム構造タイプが適用される複数のセルが集約され、端末装置２に集約された複数のセルのうち、セカンダリーセルの下りリンクにおいては同時に送受信を行なう機能がない場合、プライマリーセルのサブフレームが上りリンクサブフレームであれば、端末装置２は、同じサブフレームのセカンダリーセルにおいて下りリンク信号を受信できることを期待しない。すなわち、この場合、端末装置２は、下りリンク信号の受信を行なわなくてもよい。
【０１６８】
また、異なるフレーム構造タイプが適用される複数のセルが集約され、端末装置２に集約された複数のセルのうち、セカンダリーセルの下りリンクにおいては同時に送受信を行なう機能がない場合、プライマリーセルのスペシャルサブフレームとセカンダリーセルの上りリンクサブフレームが同じサブフレームであれば、端末装置２は、プライマリーセルのサブフレーム内のガード期間とＤｗＰＴＳに重複するセカンダリーセルのＳＣ−ＦＤＭＡシンボル（ＯＦＤＭシンボル）において、上りリンク信号を送信できることを期待しない。この場合、端末装置２は、上りリンク信号を送信しなくてもよい。また、この場合、プライマリーセルのサブフレーム内のガード期間とＤｗＰＴＳに重複していないセカンダリーセルのＳＣ−ＦＤＭＡシンボルでは上りリンク信号（例えば、ＵｐＰＴＳに配置可能なＳＲＳやＰＲＡＣＨフォーマット４）を送信してもよい。
【０１６９】
ここで、異なるフレーム構造タイプが適用される複数のセルが集約されるとは、例えば、フレーム構造タイプがタイプ１（ＦＤＤ）であるセルとフレーム構造タイプがタイプ２（ＴＤＤ）であるセルを集約することを含む。また、異なるフレーム構造タイプが適用される複数のセルが集約されるとは、例えば、フレーム構造タイプがタイプ１（ＦＤＤ）である複数のセルとフレーム構造タイプがタイプ２（ＴＤＤ）である複数のセルを集約することを含む。つまり、異なるフレーム構造タイプが適用される複数のセルが集約されるとは、例えば、フレーム構造タイプがタイプ１（ＦＤＤ）である１つ以上のセルとフレーム構造タイプがタイプ２（ＴＤＤ）である１つ以上のセルを集約することを含む。なお、フレーム構造タイプについては、一例であり、タイプ３やタイプ４が定義された場合も同様に適用されてもよい。
【０１７０】
また、端末装置２は、プライマリーセルに対するフレーム構造タイプがＦＤＤで、セカンダリーセルのうち、少なくとも１つのセカンダリーセルに対するフレーム構造タイプがＴＤＤであり、端末装置２に集約された異なるフレーム構造タイプの複数のセル間で同時に送受信を行なう機能がない場合、端末装置２は、ＴＤＤが設定されたセカンダリーセルにおいて、上りリンクサブフレームで上りリンク信号を送信しない。
【０１７１】
また、端末装置２は、プライマリーセルに対するフレーム構造タイプがＦＤＤで、セカンダリーセルのうち、少なくとも１つのセカンダリーセルに対するフレーム構造タイプがＴＤＤであり、端末装置２に集約された異なるフレーム構造タイプの複数のセル間で同時に送受信を行なう機能がない場合、プライマリーセルのあるサブフレームに対して、上りリンク送信が要求されていれば、端末装置２は、同じサブフレームのセカンダリーセルにおいて、下りリンク信号を受信しなくてもよい。言い換えると、プライマリーセルのあるサブフレームに対して、上りリンク送信が要求されていれば、同じサブフレームのセカンダリーセルにおいて、端末装置２は、基地局装置１から下りリンク信号が送信されることを期待しない。
【０１７２】
また、端末装置２は、プライマリーセルに対するフレーム構造タイプがＦＤＤで、セカンダリーセルのうち、少なくとも１つのセカンダリーセルに対するフレーム構造タイプがＴＤＤであり、端末装置２に集約された異なるフレーム構造タイプの複数のセル間で同時に送受信を行なう機能がない場合、プライマリーセルのＦＤＤバンドに対して、ハーフデュプレックスがサポートされていれば、端末装置２は、プライマリーセルにおいて、常に、下りリンクサブフレームまたはＰＤＣＣＨまたはＣＲＳをモニタすることがなくなるため、プライマリーセルにおいて、下りリンクサブフレームから上りリンクサブフレームに切り替わった場合、同じサブフレームのセカンダリーセルにおいて、上りリンク信号の送信を行なってもよい。また、同様に、この場合、端末装置２は、プライマリーセルで上りリンク送信が要求されたサブフレームと同じサブフレームのセカンダリーセルにおいて、下りリンク信号を受信できることを期待しないが、プライマリーセルで上りリンク送信が要求されていないサブフレームと同じサブフレームのセカンダリーセルにおいて、下りリンク信号の受信を行なってもよい。
【０１７３】
また、端末装置２は、プライマリーセルがＦＤＤで、セカンダリーセルのうち、少なくとも１つのセカンダリーセルがＴＤＤであり、端末装置２に集約された異なるフレーム構造タイプの複数のセル間で同時に送受信を行なう機能がない場合、クロスキャリアスケジューリング（またはクロスサブフレームスケジューリング、マルチサブフレームスケジューリング）によって、セカンダリーセルのあるサブフレームに対して、上りリンク送信が要求されていれば、同じサブフレームのプライマリーセルにおいて、下りリンク信号を受信しなくてもよい。言い換えると、クロスキャリアスケジューリング（またはクロスサブフレームスケジューリング、マルチサブフレームスケジューリング）によって、セカンダリーセルのあるサブフレームに対して、上りリンク送信が要求された場合、端末装置２は、同じサブフレームのプライマリーセルにおいて、基地局装置１から下りリンク信号が送信されることを期待しない。また、クロスキャリアスケジューリング（またはクロスサブフレームスケジューリング、マルチサブフレームスケジューリング）によって、セカンダリーセルのあるサブフレームに対して、下りリンク送信が示された場合、端末装置２は、同じサブフレームのプライマリーセルにおいて、上りリンク信号を送信しなくてもよい。
【０１７４】
また、端末装置２は、プライマリーセルがＴＤＤで、セカンダリーセルのうち、少なくとも１つのセカンダリーセルがＦＤＤであり、端末装置２に集約された異なるフレーム構造タイプの複数のセル間で同時に送受信を行なう機能がない場合、プライマリーセルのサブフレームが下りリンクサブフレームであれば、セカンダリーセルの同じサブフレームにおいて、上りリンク信号を送信しない。
【０１７５】
また、端末装置２は、プライマリーセルがＴＤＤで、セカンダリーセルのうち、少なくとも１つのセカンダリーセルがＦＤＤであり、端末装置２に集約された異なるフレーム構造タイプの複数のセル間で同時に送受信を行なう機能がない場合、プライマリーセルのあるサブフレームにおいて、上りリンク信号がスケジュールされていれば、セカンダリーセルの同じサブフレームにおいて、基地局装置１から下りリンク信号が送信されることを期待しない。端末装置２は、プライマリーセルのあるサブフレームにおいて、上りリンク送信が要求されていれていなければ、同じサブフレームのセカンダリーセルにおいて、下りリンク信号を受信してもよい。
【０１７６】
また、端末装置２は、プライマリーセルがＴＤＤで、セカンダリーセルのうち、少なくとも１つのセカンダリーセルがＦＤＤであり、端末装置２に集約された異なるフレーム構造タイプの複数のセル間で同時に送受信を行なう機能がない場合、クロスキャリアスケジューリング（またはクロスサブフレームスケジューリング、マルチサブフレームスケジューリング）によって、セカンダリーセルのあるサブフレームに対して、上りリンク送信が要求されていれば、同じサブフレームのプライマリーセルにおいて、基地局装置１から下りリンク信号が送信されることを期待しない。また、クロスキャリアスケジューリング（またはクロスサブフレームスケジューリング、マルチサブフレームスケジューリング）によって、セカンダリーセルのあるサブフレームに対して、下りリンク送信が示されていれば、プライマリーセルの同じサブフレームにおいて、端末装置２は、上りリンク信号を送信しなくてもよい。
【０１７７】
また、端末装置２は、プライマリーセルがＴＤＤで、セカンダリーセルのうち、少なくとも１つのセカンダリーセルがプライマリーセルとは異なるＴＤＤ  ＵＬ／ＤＬ設定であり、端末装置２に集約された異なるフレーム構造タイプの複数のセル間で同時に送受信を行なう機能がない場合、端末装置２は、同じサブフレームで、プライマリーセルとセカンダリーセルで同時に送受信を行なわない。なお、複数のセル間で比較するＴＤＤ  ＵＬ／ＤＬ設定は、上りリンク参照ＴＤＤ  ＵＬ／ＤＬ設定であってもよい。また、複数のセル間で比較するＴＤＤ  ＵＬ／ＤＬ設定は、下りリンク参照ＴＤＤ  ＵＬ／ＤＬ設定であってもよい。また、複数のセル間で比較するＴＤＤ  ＵＬ／ＤＬ設定は、ＳＩＢ１で送信されたＴＤＤ  ＵＬ／ＤＬ設定であってもよい。また、複数のセル間で比較するＴＤＤ  ＵＬ／ＤＬ設定は、ＲＲＣシグナリングで送信されたＴＤＤ  ＵＬ／ＤＬ設定であってもよい（ＲＲＣでシグナリングされたＴＤＤ  ＵＬ／ＤＬ設定であってもよい）。また、複数のセル間で比較するＴＤＤ  ＵＬ／ＤＬ設定は、一方がＳＩＢ１で送信され、もう一方がＲＲＣシグナリングで送信されてもよい。
【０１７８】
なお、同じフレーム構造タイプの複数のセルで集約される場合、フレーム構造タイプがＦＤＤであれば、セル間で同時に送受信を行なってもよい。また、同じフレーム構造タイプの複数のセルで集約される場合、フレーム構造タイプがＴＤＤであれば、セル間で異なるＴＤＤ  ＵＬ／ＤＬ設定がされているか否かに応じて、同時に送受信を行なってもよいか否かを決定してもよい。
【０１７９】
ここで、上りリンク送信が要求されるとは、上りリンク送信に対するグラント（dynamic scheduled grant, semi-persistent scheduling grant, random access response grant, uplink grant）によって上りリンク信号がスケジュールされることであってもよい。また、上りリンク送信が要求されるとは、ＤＣＩフォーマットに含まれるＳＲＳリクエストやＣＳＩリクエストによって、ＰＵＳＣＨやＳＲＳが要求されることであってもよい。また、上りリンク送信が要求されるとは、上位層によって設定されたパラメータによって上りリンク信号がスケジュールされることであってもよい。ここで、上りリンク送信が要求された上りリンクサブフレームを有効な上りリンクサブフレームと呼称する。また、上りリンク送信が要求されていない上りリンクサブフレームを無効な上りリンクサブフレームと呼称する。
【０１８０】
また、有効な下りリンクサブフレームとは、下りリンクグラントによって、ＰＤＳＣＨのリソースが割り当てられているサブフレームであってもよい。また、有効な下りリンクサブフレームとは、上位層によって下りリンク信号の送信間隔または受信間隔、測定間隔が設定された下りリンクサブフレームであってもよい。例えば、ＣＳＩ測定サブフレームセットによってビットマップで示されてもよい。また、測定サブフレームパターンによってビットマップで示されてもよい。周期とサブフレームオフセットによって、測定する下りリンクサブフレームが示されてもよい。上位層によって測定間隔が示されていない下りリンクサブフレームにおいて、端末装置２は、無効な下りリンクサブフレームとして、下りリンク信号が送信されることを期待しなくてもよい。
【０１８１】
図５は、本発明の第１の実施形態に係る端末装置２の処理３の手順を示すフローチャートである。
集約された複数のセルのフレーム構造タイプは、ＴＤＤか否かを判定する（ステップＳ５０１）。集約された複数のセルのフレーム構造タイプがＴＤＤである場合（Ｓ５０１：ＹＥＳ）、複数のセル間で異なるＴＤＤ  ＵＬ／ＤＬ設定がセットされているか否かを判定する（Ｓ５０２）。複数のセル間で異なるＴＤＤ  ＵＬ／ＤＬ設定がセットされている場合（Ｓ５０２：ＹＥＳ）、処理４へ移行する。複数のセル間で異なるＴＤＤ  ＵＬ／ＤＬ設定がセットされていない場合（Ｓ５０２：ＮＯ）、すなわち、複数のセル間で同じＴＤＤ  ＵＬ／ＤＬ設定がセットされている場合、同じサブフレームの複数のセルにおいて、同時に送信または同時に受信することはあっても、同時に送受信を行なうことはないため、以降の処理は発生しない（ステップＳ５０３）。集約された複数のセルのフレーム構造タイプがＴＤＤでない場合（Ｓ５０１：ＮＯ）、例えば、集約された複数のセルのフレーム構造タイプがＦＤＤである場合、処理５へ移行する。
【０１８２】
以下に処理４の例を示す。
【０１８３】
異なるＴＤＤ  ＵＬ／ＤＬ設定の複数のセルが集約され、端末装置２に集約された複数のセル間で同時に送受信を行なう機能がない場合、端末装置２は、プライマリーセルのサブフレームの種類に応じて、同じサブフレームのセカンダリーセルにおいて、同時に送受信を行なうか決定する。
【０１８４】
また、異なるＴＤＤ  ＵＬ／ＤＬ設定の複数のセルが集約され、端末装置２に集約された複数のセル間で同時に送受信を行なう機能がない場合、プライマリーセルのサブフレームが下りリンクサブフレームであれば、端末装置２は、同じサブフレームのセカンダリーセルにおいて、上りリンク信号（上りリンク信号を含むどのチャネルまたは信号）の送信を行なわない。
【０１８５】
また、異なるＴＤＤ  ＵＬ／ＤＬ設定の複数のセルが集約され、端末装置２に集約された複数のセル間で同時に送受信を行なう機能がない場合、プライマリーセルのサブフレームが上りリンクサブフレームであれば、端末装置２は、同じサブフレームのセカンダリーセルにおいて、下りリンク信号が受信できることを期待しない。すなわち、この場合、端末装置２は、基地局装置１から下りリンク信号が送信されることを期待しない。そのため、この場合、端末装置２は、セカンダリーセルにおいて、下りリンク信号の受信を行なわなくてもよい。
【０１８６】
また、異なるＴＤＤ  ＵＬ／ＤＬ設定の複数のセルが集約され、端末装置２に集約された複数のセル間で同時に送受信を行なう機能がない場合、プライマリーセルのサブフレームがスペシャルサブフレームであれば、端末装置２は、同じサブフレームのセカンダリーセルにおいて、ＰＤＳＣＨ／ＥＰＤＣＣＨ／ＰＭＣＨ／ＰＲＳが受信できることを期待しない。また、この場合、端末装置２は、ＰＵＳＣＨ／ＰＵＣＣＨ／ＰＲＡＣＨフォーマット１〜３を送信しなくてもよい。
【０１８７】
また、異なるＴＤＤ  ＵＬ／ＤＬ設定の複数のセルが集約され、端末装置２に集約された複数のセル間で同時に送受信を行なう機能がない場合、プライマリーセルのスペシャルサブフレームとセカンダリーセルの下りリンクサブフレームが同じサブフレームであれば、端末装置２は、プライマリーセルのサブフレーム内のガード期間とＵｐＰＴＳに重複するセカンダリーセルのＯＦＤＭシンボルにおいて、下りリンク信号が受信できることを期待しない。この場合、端末装置２は、下りリンク信号の受信を行なわなくてもよい。また、この場合、プライマリーセルのサブフレーム内のガード期間とＵｐＰＴＳに重複していないセカンダリーセルのＯＦＤＭシンボルにおいて、下りリンク信号（例えば、ＰＤＣＣＨ）の受信を行なってもよい。
【０１８８】
以下に処理５の例を示す。
【０１８９】
複数のセルのフレーム構造タイプがＦＤＤである場合、同時に集約される異なるＦＤＤバンド（デュプレックスモードがＦＤＤのバンド）において、上りリンクキャリアアグリゲーションおよび／または下りリンクキャリアアグリゲーションが適用されるか否かによって、端末装置２は、複数のセル間で同時に送受信を行なえるか否かを判定する。同時に集約される異なるＦＤＤバンドにおいて、上りリンクキャリアアグリゲーションおよび／または下りリンクキャリアアグリゲーションが可能な場合、同じサブフレームの複数のセルにおいて、同時に送受信を行なうことができる。異なるＦＤＤバンドにおいて、ハーフデュプレックスが適用される場合、同じサブフレームの複数のセルにおいて、同時に送受信を行なわなくてもよい。また、端末装置２に２つ以上の無線送信部および／または無線受信部（無線送受信部、ＲＦ部）を有している場合には、複数のセル間で同時に送受信を行なってもよい。
【０１９０】
また、本実施形態は、異なるバンド（E-UTRA Operating Band, E-UTRA Band, Band）に対しても適用されてもよい。
【０１９１】
ここで、デュプレックスモードがＴＤＤのバンドをＴＤＤバンド、デュプレックスモードがＦＤＤのバンドをＦＤＤバンドと呼称する場合もある。同様に、フレーム構造タイプがＦＤＤ（タイプ１）のセル（キャリア）をＦＤＤセル（ＦＤＤキャリア）、フレーム構造タイプがＴＤＤ（タイプ２）のセル（キャリア）をＴＤＤセル（ＴＤＤキャリア）と呼称する場合もある。
【０１９２】
セルアグリゲーションを行なう端末装置２は、異なるバンドの複数のセル間で同時に送受信を行なう機能がある場合、同じサブフレームで異なるバンドの複数のセルにおいて、同時に送受信を行なってもよい。デュプレックスモードがＴＤＤである複数のセルがある場合、その複数のセル（ＴＤＤセル）のＴＤＤ  ＵＬ／ＤＬ設定が異なっても同時に送受信できてもよい。ＴＤＤがサポートされた異なるバンド間のセルアグリゲーションにおいて、同時に送受信を行なう機能が有しているか否かによって、複数のＴＤＤセルでセルアグリゲーションが行なえるか否かが判定されてもよい。
【０１９３】
また、異なるバンドの複数のセルが集約され、端末装置２に異なるバンドの複数のセル間で同時に送受信を行なう機能がない場合、端末装置２は、プライマリーセルのサブフレームが下りリンクサブフレームであれば、同じサブフレームでセカンダリーセルにおいては、上りリンク信号（物理チャネル、物理信号）を送信しない。
【０１９４】
また、異なるバンドの複数のセルが集約され、端末装置２に異なるバンドの複数のセル間で同時に送受信を行なう機能がない場合、端末装置２は、同じサブフレームで、プライマリーセルのサブフレームがスペシャルサブフレームで、セカンダリーセルのサブフレームが下りリンクサブフレームであれば、セカンダリーセルで、ＰＤＳＣＨ／ＥＰＤＣＣＨ／ＰＭＣＨ／ＰＲＳが受信できることを期待しない。
【０１９５】
また、異なるバンドの複数のセルが集約され、端末装置２に異なるバンドの複数のセル間で同時に送受信を行なう機能がない場合、端末装置２は、同じサブフレームで、プライマリーセルのサブフレームがスペシャルサブフレームで、セカンダリーセルのサブフレームが下りリンクサブフレームであれば、プライマリーセルのガード期間とＵｐＰＴＳと重複するセカンダリーセルのＯＦＤＭシンボルで他の信号（下りリンク信号）が受信できることを期待しない。
【０１９６】
また、異なるバンドの複数のセルが集約され、端末装置２に異なるバンドの複数のセル間で同時に送受信を行なう機能がない場合、端末装置２は、プライマリーセルのサブフレームが上りリンク送信が要求された上りリンクサブフレームであれば、セカンダリーセルの同じサブフレームにおいて、下りリンク信号を受信できることを期待しない。
【０１９７】
また、異なるバンドの複数のセルが集約され、端末装置２に異なるバンドの複数のセル間で同時に送受信を行なう機能がない場合、端末装置２は、セカンダリーセルのサブフレームが上りリンク送信が要求された上りリンクサブフレームであれば、プライマリーセルの同じサブフレームにおいて、下りリンク信号を受信できることを期待しない。
【０１９８】
つまり、異なるバンドの複数のセルが集約され、端末装置２に異なるバンドの複数のセル間で同時に送受信を行なう機能がない場合、端末装置２は、プライマリーセルかセカンダリーセルかに因らず、あるセルで上りリンク送信が要求された上りリンクサブフレームがあれば、他のセルの同じサブフレームにおいて、下りリンク信号の受信を行なわなくてもよい。
【０１９９】
また、異なるバンドの複数のセルが集約され、端末装置２に異なるバンドの複数のセル間で同時に送受信を行なう機能がない場合、端末装置２は、プライマリーセルかセカンダリーセルかに因らず、端末装置２がサポートしているセルにおいて上りリンク送信が要求された上りリンクサブフレームがなければ、同じサブフレームで下りリンク信号を受信してもよい。
【０２００】
異なるバンドの複数のセルが集約され、端末装置２に異なるバンドの複数のセル間で同時に送受信を行なう機能がなく、端末装置２がサポートしているバンド間で上りリンクキャリアアグリゲーションを行なう機能がない場合、端末装置２は、プライマリーセルのあるサブフレームに対して、上りリンク送信が要求されていれば、同じサブフレームのセカンダリーセルにおいて、上りリンク信号の送信および下りリンク信号の受信を行なわない。また、クロスキャリアスケジューリング（またはクロスサブフレームスケジューリング、マルチサブフレームスケジューリング）によって、セカンダリーセルのあるサブフレームに対して、上りリンク送信が要求されていれば、同じサブフレームのプライマリーセルにおいて、上りリンク信号の送信および下りリンク信号の受信を行なわない。
【０２０１】
異なるバンドの複数のセルが集約され、端末装置２に異なるバンドの複数のセル間で同時に送受信を行なう機能がなく、端末装置２がサポートしているバンド間で下りリンクキャリアアグリゲーションを行なう機能がない場合、端末装置２は、プライマリーセルのあるサブフレームに対して、上りリンク送信が要求されていれば、同じサブフレームのセカンダリーセルにおいて、下りリンク信号の受信を行なわなくてもよい。また、クロスキャリアスケジューリング（またはクロスサブフレームスケジューリング、マルチサブフレームスケジューリング）によって、セカンダリーセルのあるサブフレームに対して、上りリンク送信が要求されていれば、端末装置２は、同じサブフレームのプライマリーセルにおいて、下りリンク信号の受信を行なわなくてもよい。この場合、端末装置２は、下りリンク信号が受信できることを期待しない。また、クロスキャリアスケジューリング（またはクロスサブフレームスケジューリング、マルチサブフレームスケジューリング）によって、セカンダリーセルのあるサブフレームに対して、下りリンク送信が示されていれば、端末装置２は、同じサブフレームのプライマリーセルにおいて、上りリンク信号の送信を行なわなくてもよい。
【０２０２】
本実施形態において、端末装置２は、複数のセルそれぞれに対してＣＲＳやＣＳＩ−ＲＳを測定するサブフレーム、ＰＤＣＣＨやＥＰＤＣＣＨをモニタするサブフレームが上位層シグナリングによって設定されている場合、そのサブフレームにおいて、第１のセルに対する上りリンク送信が要求されていなければ、第２のセルに対するＣＲＳやＣＳＩ−ＲＳを測定し、ＰＤＣＣＨやＥＰＤＣＣＨをモニタしてもよい。また、そのサブフレームにおいて、第１のセルに対する第２のＰ−ＳＲＳの送信が生じる場合には、Ｐ−ＳＲＳの送信をドロップしてもよい。また、そのサブフレームにおいて、第１のセルに対するＣＳＩを伴うＰＵＣＣＨの送信が生じる場合、ＣＳＩを伴うＰＵＣＣＨの送信を優先し、第２のセルに対するＣＲＳやＣＳＩ−ＲＳを測定しなくてもよいし、ＰＤＣＣＨやＥＰＤＣＣＨをモニタしなくてもよい。そのサブフレームにおいて、第１のセルに対するＨＡＲＱ−ＡＣＫおよび／またはＳＲを伴うＰＵＣＣＨの送信が生じる場合、ＨＡＲＱ−ＡＣＫおよび／またはＳＲを伴うＰＵＣＣＨの送信を優先し、第２のセルに対するＣＲＳやＣＳＩ−ＲＳを測定しなくてもよいし、ＰＤＣＣＨやＥＰＤＣＣＨをモニタしなくてもよい。
【０２０３】
本実施形態において、端末装置２は、ＣＲＳやＣＳＩ−ＲＳを測定するサブフレーム、ＰＤＣＣＨやＥＰＤＣＣＨをモニタするサブフレームが上位層シグナリングによって設定されなかった場合、同じサブフレームで、第１のセルでは、上りリンクサブフレームで、第２のセルでは、下りリンクサブフレームであり、第１のセルの上りリンクサブフレームでＰ−ＳＲＳの送信が生じる場合、第２のセルでＰＤＣＣＨを検出できなければ、そのサブフレームでＰ−ＳＲＳを送信してもよい。
【０２０４】
本実施形態において、ＴＤＤバンドとＦＤＤバンドの複数のセルが集約され、集約された複数のセルで同時に送受信を行なう機能がない場合、端末装置２は、そのＦＤＤのバンド（ＦＤＤバンドのセル）においては、ハーフデュプレックスのみサポートしてもよい（そのＦＤＤバンドにおいて、フルデュプレックスをサポートしなくてもよい）。この場合、集約された複数のセルのうち、少なくとも１つのセルに適用されているＦＤＤバンドにハーフデュプレックスがサポートされているか否かは、集約されたＴＤＤバンドのセルとＦＤＤバンドのセルで同時に送受信を行なう機能がサポートされているかに対応付けられてもよい。
【０２０５】
また、ＴＤＤバンドとＦＤＤバンドの複数のセルが集約され、集約された複数のセルで同時に送受信を行なう機能がある場合、そのＦＤＤバンドにおいて、ハーフデュプレックスがサポートされているかに応じて、そのＦＤＤバンドでハーフデュプレックスかフルデュプレックスかを決定してもよい。すなわち、この場合、ＦＤＤバンドにハーフデュプレックスをサポートするかは独立に示されてもよい。
【０２０６】
クロスキャリアスケジューリングが設定された端末装置２は、上りリンクおよび下りリンクのクロスキャリアスケジューリングが可能となる。しかし、ＴＤＤキャリアとＦＤＤキャリアによるキャリアアグリゲーションを行なう端末装置２にとって、上りリンクに対するクロスキャリアスケジューリングと下りリンクに対するクロスキャリアスケジューリングは、独立に設定されることによって、通信効率が向上する。
【０２０７】
図６は、本発明の第１の実施形態に係わる端末装置２の処理６の手順を示すフローチャートである。端末装置２は、端末装置２の機能に上りリンクおよび下りリンクに対するクロスキャリアスケジューリングを行なう機能が独立にサポートされているか否かを判定する（ステップＳ６０１）。端末装置２は、端末装置２の機能に上りリンクおよび下りリンクに対するクロスキャリアスケジューリングを行なう機能が独立にサポートされている場合（Ｓ６０１：ＹＥＳ）、その機能情報を基地局装置１へ送信する。基地局装置１は、その機能情報に基づいて、端末装置２に上りリンクおよび下りリンクに対するクロスキャリアスケジューリングに関する設定を独立にセットし、その設定情報を端末装置２へ送信する。端末装置２は、その設定情報に基づいて、上りリンクおよび下りリンクに対するクロスキャリアスケジューリングを行なう。その際、上りリンクおよび下りリンクに対するクロスキャリアスケジューリングが何れか一方のみ行なうことがセットされているか否かを判定する（ステップＳ６０２）。上りリンクおよび下りリンクに対するクロスキャリアスケジューリングが何れか一方のみ行なうことがセットされている場合（Ｓ６０２：ＹＥＳ）、端末装置２は、処理７へ移行する。。上りリンクおよび下りリンクに対するクロスキャリアスケジューリングが何れも設定されていない、または、上りリンクおよび下りリンクに対するクロスキャリアスケジューリングが何れも設定されている場合（Ｓ６０２：ＮＯ）、ブラインドデコーディングの総数は、予め設定（定義）された値を超えない。上りリンクおよび下りリンクに対するクロスキャリアスケジューリングを行なう機能が独立にサポートされていない場合（Ｓ６０１：ＮＯ）、端末装置２は処理８へ移行する。
【０２０８】
以下に処理７の例を示す。
【０２０９】
上りリンクに対するクロスキャリアスケジューリングと下りリンクに対するクロスキャリアスケジューリングのうち、何れか一方に対するクロスキャリアスケジューリングのみが設定されることによって、ＣＩＦが含まれるＤＣＩフォーマット（ＰＤＣＣＨ）とＣＩＦが含まれないＤＣＩフォーマットに分かれる。ＣＩＦが含まれるか否かによって、ＤＣＩフォーマットサイズが異なるＤＣＩフォーマットが増えるため、その分、ブラインドデコーディング数も増加する。
【０２１０】
上りリンクと下りリンクに対して、独立にクロスキャリアスケジューリングを行なう機能があり、何れか一方のクロスキャリアスケジューリングが設定された場合、ＣＩＦを含むＤＣＩフォーマットとＣＩＦを含まないＤＣＩフォーマットを用いてスケジューリングが行なわれるため、ブラインドデコーディングの総数は増加する。
【０２１１】
ＴＤＤセルに対するクロスキャリアスケジューリングとＦＤＤセルに対するクロスキャリアスケジューリングを行なう場合には、ＴＤＤセルに対するＤＣＩフォーマットとＦＤＤセルに対するＤＣＩフォーマットでは、同じＤＣＩフォーマットであっても、そのＤＣＩフォーマットに含まれるＤＣＩが異なる場合がある。そのため、ＴＤＤセルに対するＤＣＩフォーマットとＦＤＤセルに対するＤＣＩフォーマットでは、同じＤＣＩフォーマットサイズにならない場合があるので、ブラインドデコーディングの総数は増加する。なお、基地局装置１は、ＴＤＤセルに対するＤＣＩフォーマットとＦＤＤセルに対するＤＣＩフォーマットのＤＣＩフォーマットサイズを同じサイズにすることで、ブラインドデコーディングの総数を増加しないように制御してもよい。
【０２１２】
また、上りリンクと下りリンクに対して、独立にクロスキャリアスケジューリングが設定されることによって、上りリンクグラントと下りリンクグラントが、それぞれ異なるセル（コンポーネントキャリア）で送信される。そのため、異なるセルから送信された同じフォーマットサイズのＤＣＩフォーマットにおいても独立にブラインドデコーディングを行なわれ、その分のブラインドデコーディング数が増加する。つまり、上りリンクと下りリンクでともにクロスキャリアスケジューリングを行なう場合には、ブラインドデコーディングの総数が増えないように通信制御を行なうことができる。また、上りリンクと下りリンクでともにクロスキャリアスケジューリングを行なわない場合はには、ブラインドデコーディングの総数が増えないように通信制御を行なうことができる。
【０２１３】
上りリンクと下りリンクに対して、独立にクロスキャリアスケジューリングが設定される場合、何れか一方のにクロスキャリアスケジューリングが設定されなければ、ブラインドデコーディングの総数が増える。この場合、受信処理遅延を増加させないようにするために、ブラインドデコーディングの総数を増やさないようにする必要がある。
【０２１４】
例えば、下りリンクに対するクロスキャリアスケジューリングだけを行なう場合、各セルに対する下りリンクグラントは、常に、１つのセルからしか送信されないように送信制御／受信制御してもよい。その１つのセルは、上位層によって設定されてもよい。すなわち、基地局装置１から端末装置２へ上位層シグナリングを用いて通知されてもよい。また、この場合、各セルにおけるＵＳＳに対するブラインドデコーディング数を低減してもよい。また、この場合、各セルにおけるＵＳＳに対するＰＤＣＣＨ候補数を低減することによってブラインドデコーディング数を低減してもよい。また、この場合、各セルにおけるＵＳＳに対するアグリゲーションレベルを制限することによってブラインドデコーディング数を低減してもよい。なお、上りリンクに対するるクロスキャリアスケジューリングだけを行なう場合についても同様の処理を行なってもよい。なお、この場合、クロスキャリアスケジューリングを行なわないグラント（ＤＣＩフォーマット）に対してもＣＩＦが含まれてもよい。
【０２１５】
上りリンクと下りリンクに対して、独立にクロスキャリアスケジューリングが設定されることによってブラインドデコーディングの総数が所定の値を超える場合、所定の値を超えないようにブランドデコーディングを制限する。
【０２１６】
以下に処理８の例を示す。
【０２１７】
端末装置２に、上りリンクおよび下りリンクに対するクロスキャリアスケジューリングを行なう機能が独立にサポートされていない、または、上りリンクおよび下りリンクに対してクロスキャリアスケジューリングを行なう共通の機能がサポートされている場合には、上りリンク対するＤＣＩフォーマットと下りリンクに対するＤＣＩフォーマットには、常にＣＩＦが含まれる、または、ＣＩＦが含まれてないため、ブラインドデコーディングの総数は、所定の値を超えない。
【０２１８】
図１は、本発明の基地局装置１の構成を示す概略ブロック図である。図示するように、基地局装置１は、上位層処理部１０１、制御部１０３、受信部１０５、送信部１０７、チャネル測定部１０９、および、送受信アンテナ１１１、を含んで構成される。また、受信部１０５は、復号化部１０５１、復調部１０５３、多重分離部１０５５と無線受信部１０５７を含んで構成される。また、基地局装置１の受信処理は、上位層処理部１０１、制御部１０３、受信部１０５、送受信アンテナ１１１で行なわれる。また、送信部１０７は、符号化部１０７１、変調部１０７３、多重部１０７５、無線送信部１０７７と下りリンク参照信号生成部１０７９を含んで構成される。また、基地局装置１の送信処理は、上位層処理部１０１、制御部１０３、送信部１０７、送受信アンテナ１１１で行なわれる。
【０２１９】
上位層処理部１０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行う。
【０２２０】
上位層処理部１０１は、下りリンクの各チャネルに配置する情報を生成、又は上位ノードから取得し、送信部１０７に出力する。また、上位層処理部１０１は、上りリンクの無線リソースの中から、端末装置２が上りリンクのデータ情報である物理上りリンク共用チャネル（PUSCH: Physical Uplink Shared Channel）を配置する無線リソースを割り当てる。また、上位層処理部１０１は、下りリンクの無線リソースの中から、下りリンクのデータ情報である物理下りリンク共用チャネル（PDSCH: Physical Downlink Shared Channel）を配置する無線リソースを決定する。
【０２２１】
上位層処理部１０１は、当該無線リソースの割り当てを示す下りリンク制御情報を生成し、送信部１０７を介して、端末装置２に送信する。
【０２２２】
上位層処理部１０１は、ＰＵＳＣＨを配置する無線リソースを割り当てる際に、チャネル測定部１０９から入力された上りリンクのチャネル測定結果を基に、チャネル品質のよい無線リソースを優先的に割り当てる。つまり、上位層処理部１０１は、ある端末装置またはあるセルに対して各種下りリンク信号の設定に関する情報および各種上りリンク信号の設定に関する情報を生成する。
【０２２３】
また、上位層処理部１０１は、種々の下りリンク信号の設定に関する情報および種々の上りリンク信号の設定に関する情報をセル毎に生成してもよい。また、上位層処理部１０１は、種々の下りリンク信号の設定に関する情報および種々の上りリンク信号の設定に関する情報を端末装置２毎に生成してもよい。
【０２２４】
また、上位層処理部１０１は、ある端末装置２またはあるセルに対して、つまり、端末装置固有および／またはセル固有に、第１の設定に関する情報から第ｎの設定に関する情報（ｎは自然数）を生成し、送信部１０７を介して、端末装置２へ送信してもよい。例えば、下りリンク信号および／または上りリンク信号の設定に関する情報とは、リソース割り当てに関するパラメータを含んでもよい。
【０２２５】
また、下りリンク信号および／または上りリンク信号の設定に関する情報とは、系列算出に使用するパラメータを含んでもよい。なお、これらの無線リソースを時間周波数リソース、サブキャリア、リソースエレメント（RE: Resource Element）、リソースエレメントグループ（REG: Resource Element Group）、制御チャネル要素（CCE: Control Channel Element）、リソースブロック（RB: Resource Block）、リソースブロックグループ（RBG: Resource Block Group）などと呼称する場合もある。
【０２２６】
これらの設定情報および制御情報を情報要素として定義してもよい。また、これらの設定情報および制御情報をＲＲＣメッセージとして定義してもよい。また、これらの設定情報および制御情報をシステム情報で端末装置２へ送信してもよい。また、これらの設定情報および制御情報を専用シグナリングで端末装置２へ送信してもよい。
【０２２７】
また、上位層処理部１０１は、システムインフォメーションブロックタイプ１に少なくとも１つのＴＤＤ  ＵＬ／ＤＬ設定（TDD UL/DL configuration(s), TDD config, tdd-Config, uplink-downlink configuration(s)）を設定する。ＴＤＤ  ＵＬ／ＤＬ設定は、図３のように定義されてもよい。インデックスを設定することによって、ＴＤＤの構成を示してもよい。さらに、下りリンク参照として、第２のＴＤＤ  ＵＬ／ＤＬ設定を設定してもよい。また、システムインフォメーションブロックは複数のタイプを用意してもよい。例えば、システムインフォメーションブロックタイプ１には、ＴＤＤ  ＵＬ／ＤＬ設定に関する情報要素が含まれる。
【０２２８】
また、システムインフォメーションブロックタイプ２には、無線リソース制御に関する情報要素が含まれる。なお、ある情報要素の中に、その情報要素に係るパラメータが情報要素として含まれてもよい。例えば、物理層では、パラメータと呼称されるものが、上位層では、情報要素として定義されてもよい。
【０２２９】
なお、本発明では、identity, identifier, identificationをＩＤ（識別子、識別符号、識別番号）と呼称する。端末固有に設定されるＩＤ（ＵＥＩＤ）には、Ｃ−ＲＮＴＩ（Cell Radio Network Temporary Identifier），ＳＰＳ  Ｃ−ＲＮＴＩ（Semi-persistent Scheduling C-RNTI），Ｔｅｍｐｏｒａｒｙ  Ｃ−ＲＮＴＩ，ＴＰＣ−ＰＵＳＣＨ  ＲＮＴＩ，ＴＰＣ−ＰＵＣＣＨ  ＲＮＴＩ、コンテンションレゾリューションのためのランダム値がある。これらのＩＤは、セル単位で使用される。これらのＩＤは、上位層処理部１０１によって設定される。
【０２３０】
また、上位層処理部１０１は、端末装置２に対して種々の識別子を設定し、送信部１０７を介して、端末装置２へ通知する。例えば、ＲＮＴIを設定し、端末装置２へ通知する。また、物理層セルＩＤまたは仮想セルＩＤまたは仮想セルＩＤに相当するＩＤを設定し、通知する。例えば、仮想セルＩＤに相当するＩＤとして、物理チャネル固有に設定可能なＩＤ（ＰＵＳＣＨ  ＩＤ，ＰＵＣＣＨ  ＩＤ，スクランブリング初期化ＩＤ，参照信号ＩＤ（ＲＳＩＤ）など）がある。物理層セルＩＤや仮想セルＩＤは物理チャネルおよび物理信号の系列生成に用いることがある。
【０２３１】
また、上位層処理部１０１は、ＰＤＣＣＨまたはＥＰＤＣＣＨを用いて送信されるＤＣＩを生成し、送信部１０７を介して、端末装置２へ送信する。
【０２３２】
上位層処理部１０１は、端末装置２から物理上りリンク制御チャネル（PUCCH: Physical Uplink Control Channel）で通知された上りリンク制御情報（UCI: Uplink Control Information）、および端末装置２から通知されたバッファの状況や上位層処理部１０１が設定した端末装置２各々の各種設定情報（ＲＲＣメッセージ、システムインフォメーション、パラメータ、情報要素）に基づき、受信部１０５および送信部１０７の制御を行うために制御情報を生成し、制御部１０３に出力する。なお、ＵＣＩには、ＨＡＲＱ応答情報（ＨＡＲＱ−ＡＣＫ、ＡＣＫ／ＮＡＣＫ／ＤＴＸ）、スケジューリング要求（SR: Scheduling Request）、チャネル状態情報（CSI: Channel State Information）のうち少なくとも一つが含まれる。なお、ＣＳＩには、ＣＱＩ，ＰＭＩ，ＲＩのうち少なくとも一つが含まれる。
【０２３３】
上位層処理部１０１は、上りリンク信号（ＰＲＡＣＨ、ＰＵＣＣＨ、ＰＵＳＣＨ、ＵＬ  ＤＭＲＳ、Ｐ−ＳＲＳ、およびＡ−ＳＲＳ）の送信電力および送信電力に関するパラメータを設定する。また、上位層処理部１０１は、下りリンク信号（ＣＲＳ、ＤＬ  ＤＭＲＳ、ＣＳＩ−ＲＳ、ＰＤＳＣＨ、ＰＤＣＣＨ／ＥＰＤＣＣＨなど）の送信電力および送信電力に関するパラメータを、送信部１０７を介して、端末装置２に送信する。つまり、上位層処理部１０１は、上りリンクおよび下りリンクの電力制御に関する情報を、送信部１０７を介して、端末装置２に送信する。言い換えると、上位層処理部１０１は、基地局装置１および端末装置２の送信電力制御に関する情報を生成する。例えば、上位層処理部１０１は、基地局装置１の送信電力に関するパラメータを端末装置２に送信する。
【０２３４】
また、上位層処理部１０１は、端末装置２の最大送信電力ＰＣＭＡＸ，ｃおよび総最大出力電力ＰＣＭＡＸを設定するために用いられるパラメータを端末装置２に送信する。また、上位層処理部１０１は、種々の物理チャネルの送信電力制御に関する情報を端末装置２に送信する。
【０２３５】
また、上位層処理部１０１は、隣接する基地局装置からの干渉量を示す情報、隣接する基地局装置から通知された隣接する基地局装置１に与えている干渉量を示す情報、またチャネル測定部１０９から入力されたチャネルの品質などに応じて、ＰＵＳＣＨなどが所定のチャネル品質を満たすよう、また、隣接する基地局装置１への干渉を考慮し、端末装置２の送信電力をセットし、これらの設定を示す情報を、送信部１０７を介して、端末装置２に送信する。
【０２３６】
具体的には、上位層処理部１０１は、端末装置２間で共有する情報（上りリンク電力制御に関する共有パラメータの情報）または端末装置２間で共通なパラメータとして設定される情報として、ＰＵＳＣＨとＰＵＣＣＨそれぞれに対する標準電力（ＰＯ＿ＮＯＭＩＮＡＬ＿ＰＵＳＣＨ，ＰＯ＿ＮＯＭＩＮＡＬ＿ＰＵＣＣＨ）、伝搬路損失補償係数（減衰係数）α、メッセージ３用の電力オフセット、ＰＵＣＣＨフォーマット毎に規定される電力オフセットなどをシステムインフォメーションで送信する。その際、ＰＵＣＣＨフォーマット３の電力オフセットおよびデルタＰＵＣＣＨフォーマット１ｂＣＳの電力オフセットを追加して通知してもよい。また、これらの共有パラメータの情報は、ＲＲＣメッセージで通知されてもよい。
【０２３７】
また、上位層処理部１０１は、端末装置２毎に設定可能な情報（上りリンク電力制御に関する専用パラメータの情報）として、端末装置固有ＰＵＳＣＨ電力Ｐ０＿ＵＥ＿ＰＵＳＣＨ、デルタＭＣＳが有効か否かを指示するパラメータ（deltaMCS-Enabled）、アキュムレーションが有効か否かを指示するパラメータ（accumulationEnabled）、端末装置固有ＰＵＣＣＨ電力Ｐ０＿ＵＥ＿ＰＵＣＣＨ、Ｐ−ＳＲＳ電力オフセットＰＳＲＳ＿ＯＦＦＳＥＴ（０）、フィルタ係数をＲＲＣメッセージで通知する。その際、各ＰＵＣＣＨフォーマットにおける送信ダイバーシチの電力オフセット、Ａ−ＳＲＳ電力オフセットＰＳＲＳ＿ＯＦＦＳＥＴ（１）を通知してもよい。なお、ここで述べるαとはパスロス値と共に送信電力をセットするために用いられ、パスロスを補償する度合いを表す係数、言い換えるとパスロスに応じてどの程度送信電力を増減させるか（つまり、どの程度送信電力を補償するか）を決定する係数（減衰係数、伝送路損失補償係数）である。αは通常０から１の値をとり、０であればパスロスに応じた電力の補償は行なわず、１であればパスロスの影響が基地局装置１において生じないよう端末装置２の送信電力を補償する。これらの情報は、再設定情報として端末装置２へ送信されてもよい。なお、これらの共有パラメータおよび専用パラメータは、プライマリーセルとセカンダリーセルまたは複数のサービングセルでそれぞれ独立に設定されてもよい。
【０２３８】
また、上位層処理部１０１は、受信部１０５において、端末装置２から端末装置２の機能情報を受信した場合、端末装置２の機能情報に基づいて、種々の設定を行なう。例えば、端末装置２の機能情報に基づいて、端末装置２がサポートしているバンド（EUTRA Operating Band）から、上りリンクのキャリア周波数と下りリンクのキャリア周波数を決定する。また、端末装置２の機能情報に基づいて、端末装置２に対してＭＩＭＯ通信を行なうか否かを決定する。また、端末装置２の機能情報に基づいて、キャリアアグリゲーションを行なうか否かを決定する。また、端末装置２の機能情報に基づいて、異なるフレーム構造タイプのコンポーネントキャリアによるキャリアアグリゲーションを行なうか否かを決定する。すなわち、セカンダリーセルを設定するか否かおよびセカンダリーセルに対して用いる種々のパラメータを決定する。決定した情報を端末装置２へ通知する。なお、キャリア周波数に関する情報は、ＲＲＣメッセージで通知されてもよい。すなわち、キャリア周波数に関する情報は、システムインフォメーションで通知されてもよい。また、キャリア周波数に関する情報は、モビリティ制御情報に含まれて通知されてもよい。また、キャリア周波数に関する情報は、ＲＲＣ情報として上位層より通知されてもよい。
【０２３９】
上位層処理部１０１は、端末装置２から送信された機能情報に、上りリンクに対するクロスキャリアスケジューリングを行なう機能をサポートしていることが示されていれば、上りリンクに対するクロスキャリアスケジューリングに関する設定（CrossCarrierSchedulingConfig-UL）をセットし、その設定情報を、送信部１０７を介して、上位層シグナリングを用いて、端末装置２へ送信する。また、上りリンクに対するクロスキャリアスケジューリングに関する設定に、上りリンクグラントをシグナルするセル（どのセルが上りリンクグラントをシグナルするか）を示す情報（schedulingCellId-UL）が含まれてもよい。また、上りリンクに対するクロスキャリアスケジューリングに関する設定に、ＰＤＣＣＨ／ＥＰＤＣＣＨ  ＤＣＩフォーマットにＣＩＦが含まれているか否かを示す情報（cif-Presence-UL）が含まれてもよい。
【０２４０】
上位層処理部１０１は、端末装置２から送信された機能情報に、下りリンクに対するクロスキャリアスケジューリングを行なう機能をサポートしていることが示されていれば、下りリンクに対するクロスキャリアスケジューリングに関する設定（CrossCarrierSchedulingConfig-DL）をセットし、その設定情報を、送信部１０７を介して、上位層シグナリングを用いて、端末装置２へ送信する。また、下りリンクに対するクロスキャリアスケジューリングに関する設定に、下りリンクアロケーション（下りリンクグラント）をシグナルするセル（どのセルが下りリンクアロケーションをシグナルするか）を示す情報（schedulingCellId-DL）が含まれてもよい。また、下りリンクに対するクロスキャリアスケジューリングに関する設定に、セルを示す情報に対応する開始ＯＦＤＭシンボルを示す情報（pdsch-Start）が含まれてもよい。また、下りリンクに対するクロスキャリアスケジューリングに関する設定に、ＰＤＣＣＨ／ＥＰＤＣＣＨ  ＤＣＩフォーマットにＣＩＦが含まれているか否かを示す情報（cif-Presence-DL）が含まれてもよい。
【０２４１】
また、上位層処理部１０１は、端末装置２に対して、セカンダリーセルを設定する場合、セカンダリーセルに特定の値（例えば、“０”または“０”に相当する情報ビット）以外のセルインデックスを付与し、その設定情報を端末装置２へ送信する。セカンダリーセルが設定された場合、端末装置２は、プライマリーセルのセルインデックスを特定の値とみなす。
【０２４２】
また、上位層処理部１０１は、端末装置２毎に下りリンク信号／上りリンク信号の送信電力または送信電力に関するパラメータを設定してもよい。また、上位層処理部１０１は、端末装置２間で共通の下りリンク／上りリンク信号の送信電力または送信電力に関するパラメータを設定してもよい。上位層処理部１０１は、これらのパラメータに関する情報を上りリンク電力制御に関する情報（上りリンク電力制御に関するパラメータの情報）および／または下りリンク電力制御に関する情報（下りリンク電力制御に関するパラメータの情報）として端末装置２へ送信してもよい。上りリンク電力制御に関するパラメータの情報および下りリンク電力制御に関するパラメータの情報には、少なくとも１つのパラメータが含まれて端末装置２へ送信される。
【０２４３】
上位層処理部１０１は、種々の物理チャネル／物理信号に係る種々のＩＤの設定を行ない、制御部１０３を介して、受信部１０５および送信部１０７へＩＤの設定に関する情報を出力する。例えば、上位層処理部１０１は、下りリンク制御情報フォーマットに含まれるＣＲＣをスクランブルするＲＮＴＩ（ＵＥＩＤ）の値を設定する。
【０２４４】
また、上位層処理部１０１は、Ｃ−ＲＮＴＩ（Cell Radio Network Temporary Identifier），Ｔｅｍｐｏｒａｒｙ  Ｃ−ＲＮＴＩ，Ｐ−ＲＮＴＩ（Paging-RNTI），ＲＡ−ＲＮＴＩ（Random Access RNTI），ＳＰＳ  Ｃ−ＲＮＴＩ（Semi-Persistent Scheduling C-RNTI）、ＳＩ−ＲＮＴＩ（System Information RNTI）などの種々の識別子の値を設定してもよい。
【０２４５】
また、上位層処理部１０１は、物理セルＩＤや仮想セルＩＤ、スクランブル初期化ＩＤなどのＩＤの値を設定する。これらの設定情報は、制御部１０３を介して、各処理部へ出力される。また、これらの設定情報は、ＲＲＣメッセージやシステムインフォメーション、端末装置固有の専用情報、情報要素として端末装置２へ送信されてもよい。また、一部のＲＮＴＩはＭＡＣ  ＣＥ（Control Element）を用いて送信されてもよい。
【０２４６】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２４７】
受信部１０５は、制御部１０３から入力された制御信号に従って、送受信アンテナ１１１を介して端末装置２から受信した受信信号を分離、復調、復号し、復号した情報を上位層処理部１０１に出力する。無線受信部１０５７は、送受信アンテナ１１１を介して受信した上りリンクの信号を、中間周波数（IF: Intermediate Frequency）に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（GI: Guard Interval）に相当する部分を除去する。無線受信部１０５７は、ガードインターバルを除去した信号に対して高速フーリエ変換（FFT: Fast Fourier Transform）を行ない、周波数領域の信号を抽出し多重分離部１０５５に出力する。
【０２４８】
多重分離部１０５５は、無線受信部１０５７から入力された信号をＰＵＣＣＨ、ＰＵＳＣＨ、ＵＬ  ＤＭＲＳ、ＳＲＳなどの信号に、それぞれ分離する。尚、この分離は、予め基地局装置１が決定して各端末装置２に通知した無線リソースの割り当て情報に基づいて行われる。また、多重分離部１０５５は、チャネル測定部１０９から入力された伝送路の推定値から、ＰＵＣＣＨとＰＵＳＣＨの伝送路の補償を行なう。また、多重分離部１０５５は、分離したＵＬ  ＤＭＲＳおよびＳＲＳをチャネル測定部１０９に出力する。
【０２４９】
復調部１０５３は、ＰＵＳＣＨを逆離散フーリエ変換（IDFT: Inverse Discrete Fourier Transform）し、変調シンボルを取得し、ＰＵＣＣＨとＰＵＳＣＨの変調シンボルそれぞれに対して、２位相偏移変調（BPSK: Binary Phase Shift Keying）、４相位相偏移変調（QPSK: Quadrature Phase Shift Keying）、１６値直交振幅変調（16QAM: 16 Quadrature Amplitude Modulation）、６４値直交振幅変調（64QAM: 64 Quadrature Amplitude Modulation）等の予め定められた、または基地局装置１が端末装置２各々に下りリンク制御情報で予め通知した変調方式を用いて受信信号の復調を行なう。
【０２５０】
復号化部１０５１は、復調したＰＵＣＣＨとＰＵＳＣＨの符号化ビットを、予め定められた符号化方式の、予め定められた、又は基地局装置１が端末装置２に上りリンクグラント（UL grant）で予め通知した符号化率で復号を行ない、復号したデータ情報と、上りリンク制御情報を上位層処理部１０１へ出力する。
【０２５１】
チャネル測定部１０９は、多重分離部１０５５から入力された上りリンク復調参照信号ＵＬ  ＤＭＲＳとＳＲＳから伝送路の推定値、チャネルの品質などを測定し、多重分離部１０５５および上位層処理部１０１に出力する。また、チャネル測定部１０９は、第１の信号から第ｎの信号の受信電力および／または受信品質を測定し、多重分離部１０５５および上位層処理部１０１に出力する。
【０２５２】
送信部１０７は、制御部１０３から入力された制御信号に基づいて、下りリンクの参照信号（下りリンク参照信号）を生成し、上位層処理部１０１から入力されたデータ情報、下りリンク制御情報を符号化、および変調し、ＰＤＣＣＨ（ＥＰＤＣＣＨ）、ＰＤＳＣＨ、および下りリンク参照信号を多重して、送受信アンテナ１１１を介して端末装置２に下りリンク信号を送信する。
【０２５３】
符号化部１０７１は、上位層処理部１０１から入力された下りリンク制御情報、およびデータ情報を、ターボ符号化、畳み込み符号化、ブロック符号化等の符号化を行う。変調部１０７３は、符号化ビットをＱＰＳＫ、１６ＱＡＭ、６４ＱＡＭ等の変調方式で変調する。下りリンク参照信号生成部１０７９は、基地局装置１を識別するためのセル識別子（Cell ID, Cell Identity, Cell Identifier, Cell Identification）などを基に予め定められた規則で求まる、端末装置２が既知の系列で下りリンク参照信号として生成する。多重部１０７５は、変調した各チャネルと生成した下りリンク参照信号を多重する。
【０２５４】
無線送信部１０７７は、多重した変調シンボルを逆高速フーリエ変換（IFFT: Inverse Fast Fourier Transform）して、ＯＦＤＭ方式の変調を行ない、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナ１１１に出力して送信する。
【０２５５】
図２は、本実施形態に係る端末装置２の構成を示す概略ブロック図である。図示するように、端末装置２は、上位層処理部２０１、制御部２０３、受信部２０５、送信部２０７、チャネル測定部２０９、および、送受信アンテナ２１１、を含んで構成される。また、受信部２０５は、復号化部２０５１、復調部２０５３、多重分離部２０５５と無線受信部２０５７を含んで構成される。端末局装置２の受信処理は、上位層処理部２０１、制御部２０３、受信部２０５、送受信アンテナ２１１で行なわれる。また、送信部２０７は、符号化部２０７１、変調部２０７３、多重部２０７５と無線送信部２０７７を含んで構成される。また、端末装置２の送信処理は、上位層処理部２０１、制御部２０３、送信部２０７、送受信アンテナ２１１で行なわれる。
【０２５６】
上位層処理部２０１は、ユーザの操作等により生成された上りリンクのデータ情報を、送信部に出力する。また、上位層処理部２０１は、媒体アクセス制御（MAC: Medium Access Control）層、パケットデータ統合プロトコル（PDCP: Packet Data Convergence Protocol）層、無線リンク制御（RLC: Radio Link Control）層、無線リソース制御（RRC: Radio Resource Control）層の処理を行なう。
【０２５７】
上位層処理部２０１は、自局の各種設定情報の管理を行なう。また、上位層処理部２０１は、上りリンクの各チャネルに配置する情報を生成し、送信部２０７に出力する。上位層処理部２０１は、基地局装置１からＰＤＣＣＨで通知された下りリンク制御情報、およびＰＤＳＣＨで通知された無線リソース制御情報が設定された上位層処理部２０１が管理する自局の各種設定情報に基づき、受信部２０５、および送信部２０７の制御を行うために制御情報を生成し、制御部２０３に出力する。また、上位層処理部２０１は、基地局装置１から通知された第１の設定に関する情報から第ｎの設定に関する情報に基づいて、各信号の種々のパラメータ（情報要素、ＲＲＣメッセージ）をセットする。また、それらのセットした情報を生成し、制御部２０３を介して、送信部２０７に出力する。また、上位層処理部２０１は、基地局装置１とのコネクションを確立する際に、端末装置２の機能情報を生成し、制御部２０３を介して、送信部２０７に出力し、基地局装置１へ通知する。また、上位層処理部２０１は、基地局装置１とコネクションが確立した後に、機能情報を基地局装置１へ通知してもよい。
【０２５８】
機能情報には、ＲＦのパラメータに関する情報（RF-Parameters）が含まれてもよい。ＲＦのパラメータに関する情報には、端末装置２がサポートしているバンドを示す情報（1st SupportedBandCombination）が含まれてもよい。ＲＦのパラメータに関する情報には、キャリアアグリゲーションおよび／またはＭＩＭＯをサポートしているバンドを示す情報（SupportedBandCombinationExt）が含まれてもよい。ＲＦのパラメータに関する情報には、端末装置２に同時に集約されるバンド間で複数のタイミングアドバンスやバンド間で同時に送受信を行なう機能をサポートしているバンドを示す情報（2nd SupportedBandConbination）が含まれてもよい。これらのバンドは、それぞれリスト化されてもよい。複数のリスト化された情報で示される値（エントリー）は、共通であってもよい（同じものを示してもよい）。
【０２５９】
端末装置２がサポートしているバンド（bandE-UTRA, FreqBandIndicator, E-UTRA Operating Band）それぞれに対して、ハーフデュプレックスをサポートしているかが示されてもよい。ハーフデュプレックスがサポートされていないバンドにおいては、フルデュプレックスをサポートする。
【０２６０】
端末装置２がサポートしているバンドに対して、上りリンクでキャリアアグリゲーションおよび／またはＭＩＭＯをサポートしているかが示されてもよい。
【０２６１】
端末装置２がサポートしているバンドに対して、下りリンクでキャリアアグリゲーションおよび／またはＭＩＭＯをサポートしているかが示されてもよい。
【０２６２】
ＲＦのパラメータに関する情報には、ＴＤＤ−ＦＤＤキャリアアグリゲーションをサポートするバンドを示す情報が含まれてもよい。これらのバンドは、リスト化されてもよい。
【０２６３】
ＲＦのパラメータに関する情報には、ＴＤＤ−ＦＤＤキャリアアグリゲーションをサポートするバンド間で同時に送受信を行なう機能をサポートしているかを示す情報が含まれてもよい。
【０２６４】
また、ＲＦのパラメータに関する情報には、異なるデュプレックスモードのバンド間で同時に送受信を行なえるか否かを示す情報が含まれてもよい。
【０２６５】
機能情報には、物理層のパラメータに関する情報（PhyLayerParameters）が含まれてもよい。物理層のパラメータに関する情報には、クロスキャリアスケジューリングを行なう機能をサポートしているかを示す情報が含まれてもよい。また、物理層のパラメータに関する情報には、上りリンクに対するクロスキャリアスケジューリングを行なう機能（CrossCarrierScheduling-UL）をサポートしているかを示す情報が含まれてもよい。また、物理層のパラメータに関する情報には、下りリンクに対するクロスキャリアスケジューリングを行なう機能（CrossCarrierScheduling-DL）をサポートしているかを示す情報が含まれてもよい。
【０２６６】
上りリンクに対するクロスキャリアスケジューリングを行なう機能がある端末装置２に対して、基地局装置１は、端末装置２に対して、上りリンクに対するクロスキャリアスケジューリングに関する設定を行なうことによって、上りリンクグラントをクロスキャリアスケジューリングによって通知してもよい。すなわち、基地局装置１は、第２のセルに対するＰＵＳＣＨのスケジューリングに関するＤＣＩフォーマット（上りリンクグラント）を第１のセルのＰＤＣＣＨを用いて端末装置２に送信してもよい。端末装置２は、第１のセルのＰＤＣＣＨによって送信されたＰＤＣＣＨに伴うＤＣＩフォーマットに含まれるＣＩＦを読むことによって、どのセルに対するＤＣＩフォーマットであるか識別することができる。
【０２６７】
下りリンクに対するクロスキャリアスケジューリングを行なう機能がある端末装置２に対して、基地局装置１は、端末装置２に対して、下りリンクに対するクロスキャリアスケジューリングに関する設定を行なうことによって、下りリンクグラントをクロスキャリアスケジューリングによって通知してもよい。すなわち、基地局装置１は、第２のセルに対するＰＤＳＣＨのスケジューリングに関するＤＣＩフォーマット（下りリンクグラント）を第１のセルのＰＤＣＣＨを用いて端末装置２に送信してもよい。端末装置２は、第１のセルのＰＤＣＣＨによって送信されたＰＤＣＣＨに伴うＤＣＩフォーマットに含まれるＣＩＦを読むことによって、どのセルに対するＤＣＩフォーマットであるか識別することができる。
【０２６８】
ここで、端末装置２から基地局装置１に通知される端末装置２の能力（機能、性能）の一部として、下りリンクに関するクロスキャリアスケジューリングの能力と上りリンクに関するクロスキャリアスケジューリングの能力とをそれぞれ（独立に）含めることができる。ひとつの例としては、端末装置２から基地局装置１に端末装置２の能力が通知される際に用いられるＲＲＣメッセージの情報エレメント（例えば、ＵＥ−ＥＵＴＲＡ−Ｃａｐａｂｉｌｉｔｙ）の物理層のパラメータ群に、下りリンクに関するクロスキャリアスケジューリングをサポートするかどうかを示すフィールド（第１のフィールド）と、上りリンクに関するクロスキャリアスケジューリングをサポートするかどうかを示すフィールド（第２のフィールド）とが含まれることができる。下りリンクに関するクロスキャリアスケジューリングをサポートする端末装置２は、物理層のパラメータ群に第１のフィールドが含めて基地局装置１に通知する。通知を受けた基地局装置１は、端末装置２が下りリンクに関するクロスキャリアスケジューリングをサポートする端末装置であると認識することができる。下りリンクに関するクロスキャリアスケジューリングをサポートしない端末装置２は、物理層のパラメータ群に第１のフィールドが含めずに（第１のフィールドにセットされる値を省略して）基地局装置１に通知する。通知を受けた基地局装置１は、端末装置２が下りリンクに関するクロスキャリアスケジューリングをサポーしない端末装置であると認識することができる。上りリンクに関するクロスキャリアスケジューリングをサポートする端末装置２は、物理層のパラメータ群に第２のフィールドが含めて基地局装置１に通知する。通知を受けた基地局装置１は、端末装置２が上りリンクに関するクロスキャリアスケジューリングをサポートする端末装置であると認識することができる。上りリンクに関するクロスキャリアスケジューリングをサポートしない端末装置２は、物理層のパラメータ群に第２のフィールドが含めずに基地局装置１に通知する。通知を受けた基地局装置１は、端末装置２が上りリンクに関するクロスキャリアスケジューリングをサポーしない端末装置であると認識することができる。このように、フィールドにセットされる値が省略された場合は、フィールドにセットされたいずれの値（例えば対応する機能をサポートすることを示す値である「１」）とも異なること（例えば対応する機能をサポートしないこと）を意味する。
【０２６９】
なお、これらの機能は、従来のキャリアアグリゲーション（ＦＤＤとＦＤＤのキャリアアグリゲーションおよびＴＤＤとＴＤＤのキャリアアグリゲーション）におけるクロスキャリアスケジューリングをサポートする端末装置のみがサポートするようにしてもよい。すなわち、第１のフィールドおよび／または第２のフィールドに値（例えばサポートを示す「１」）がセットされるためには，従来のキャリアアグリゲーションにおけるクロスキャリアスケジューリングをサポートするかどうかのフィールドに値（例えばサポートを示す「１」）がセットされていることが必要であるとしてもよい。
【０２７０】
他の例としては、端末装置２から基地局装置１に端末装置２の能力が通知される際に用いられるＲＲＣメッセージの情報エレメントにおける機能グループ情報（ＦＧＩ：Ｆｅａｔｕｒｅ  Ｇｒｏｕｐ  Ｉｎｆｏｒｍａｔｉｏｎ）のパラメータ群に、下りリンクに関するクロスキャリアスケジューリングをサポートするかどうかを示すフィールド（第１のフィールド）と上りリンクに関するクロスキャリアスケジューリングをサポートするかどうかを示すフィールド（第２のフィールド）とが常に含まれるようにしておき，これらのフィールドにセットされる値によって、これらの機能をサポートするかどうかを示すようにしてもよい。例えば、これらの機能をサポートする場合は「１」をセットし、これらの機能をサポートしない場合は「０」をセットするようにしてもよい。あるいは、これらの機能をサポートする場合は「０」をセットし、これらの機能をサポートしない場合は「１」をセットするようにしてもよい。
【０２７１】
下りリンクに対するクロスキャリアスケジューリングを行なう機能があり、上りリンクに対するクロスキャリアスケジューリングを行なう機能がない端末装置２に対して、基地局装置１は、下りリンクグラントをクロスキャリアスケジューリングによって通知してもよい。しかし、端末装置２は、上りリンクグラントがクロスキャリアスケジューリングによって通知されてもその上りリンクグラントを無視してもよい。
【０２７２】
上りリンクに対するクロスキャリアスケジューリングを行なう機能があり、下りリンクに対するクロスキャリアスケジューリングを行なう機能がない端末装置２に対して、基地局装置１は、上りリンクグラントをクロスキャリアスケジューリングによって通知してもよい。しかし、端末装置２は、下りリンクグラントがクロスキャリアスケジューリングによって通知されてもその下りリンクグラントを無視してもよい。
【０２７３】
上位層処理部２０１は、機能情報に含まれているこれらの機能のうち、サポートしていない機能がある場合には、その機能をサポートしているか否かを示す情報を機能情報にセットしなくてもよい。基地局装置１は、機能情報にセットされていない機能については、端末装置２はサポートしていないとみなし、種々の設定を行なう。なお、機能をサポートしているか否かを示す情報は、機能をサポートしていることを示す情報であってもよい。
【０２７４】
上位層処理部２０１は、これらの機能情報のうち、サポートしていない機能があれば、その機能について、サポートしていないことを表す特定の値（例えば、“０”）または情報（例えば、“not supported”, “disable”, “FALSE”など）をセットし、その情報を含む機能情報を基地局装置１へ通知してもよい。
【０２７５】
上位層処理部２０１は、これらの機能情報のうち、サポートしている機能があれば、その機能について、サポートしていることを表す特定の値（例えば、“１”）または情報（例えば、“supported”, “enable”, “TRUE”など）をセットし、その情報を含む機能情報を基地局装置１へ通知してもよい。
【０２７６】
上位層処理部２０１は、同時に集約可能なバンド間で同時に送受信する機能がない場合、同時に集約可能なバンド間で同時に送受信する機能をサポートしているか否かを示す情報（simultaneousRx-Tx）にサポートしていないことを示す特定の値または情報をセットする。または、機能情報に、同時に集約可能なバンド間で同時に送受信する機能をサポートしているか否かを示す情報そのものがセットされていなくてもよい。
【０２７７】
上位層処理部２０１は、基地局装置１が報知しているＳＲＳを送信するための無線リソースを予約するサブフレームであるサウンディングサブフレーム（ＳＲＳサブフレーム、ＳＲＳ送信サブフレーム）、およびサウンディングサブフレーム内でＳＲＳを送信するために予約する無線リソースの帯域幅を示す情報、および、基地局装置１が端末装置２に通知したピリオディックＳＲＳを送信するサブフレームと、周波数帯域と、ピリオディックＳＲＳのＣＡＺＡＣ系列に用いるサイクリックシフトの量と、を示す情報、および、基地局装置１が端末装置２に通知したアピリオディックＳＲＳを送信する周波数帯域と、アピリオディックＳＲＳのＣＡＺＡＣ系列に用いるサイクリックシフトの量と、を示す情報を受信部２０５から取得する。
【０２７８】
上位層処理部２０１は、前記情報に従ってＳＲＳ送信の制御を行なう。具体的には、上位層処理部２０１は、前記ピリオディックＳＲＳに関する情報に従ってピリオディックＳＲＳを１回または周期的に送信するよう送信部２０７を制御する。また、上位層処理部２０１は、受信部２０５から入力されたＳＲＳリクエスト（ＳＲＳインディケータ）においてアピリオディックＳＲＳの送信を要求された場合、アピリオディックＳＲＳに関する情報に従ってアピリオディックＳＲＳを予め定められた回数（例えば、１回）だけ送信する。
【０２７９】
上位層処理部２０１は、基地局装置１から送信される種々の上りリンク信号の送信電力制御に関する情報に基づいて、ＰＲＡＣＨ、ＰＵＣＣＨ、ＰＵＳＣＨ、ピリオディックＳＲＳ、およびアピリオディックＳＲＳの送信電力の制御を行なう。具体的には、上位層処理部２０１は、受信部２０５から取得した種々の上りリンク電力制御に関する情報に基づいて種々の上りリンク信号の送信電力を設定する。例えば、ＳＲＳの送信電力は、Ｐ０＿ＰＵＳＣＨ、α、ピリオディックＳＲＳ用の電力オフセットＰＳＲＳ＿ＯＦＦＳＥＴ（０）（第１の電力オフセット（pSRS-Offset））、アピリオディックＳＲＳ用の電力オフセットＰＳＲＳ＿ＯＦＦＳＥＴ（１）（第２の電力オフセット（pSRS-OffsetAp））、およびＴＰＣコマンドに基づいて制御される。なお、上位層処理部２０１は、ＰＳＲＳ＿ＯＦＦＳＥＴに対してピリオディックＳＲＳかアピリオディックＳＲＳかに応じて第１の電力オフセットか第２の電力オフセットかを切り替える。
【０２８０】
また、上位層処理部２０１は、ピリオディックＳＲＳおよび／またはアピリオディックＳＲＳに対して第３の電力オフセットが設定されている場合、第３の電力オフセットに基づいて送信電力をセットする。なお、第３の電力オフセットは、第１の電力オフセットや第２の電力オフセットよりも広い範囲で値が設定されてもよい。第３の電力オフセットは、ピリオディックＳＲＳおよびアピリオディックＳＲＳそれぞれに対して設定されてもよい。つまり、上りリンク電力制御に関するパラメータの情報とは、種々の上りリンク物理チャネルの送信電力の制御に係るパラメータが含まれる情報要素やＲＲＣメッセージのことである。
【０２８１】
また、上位層処理部２０１は、あるサービングセルおよびあるサブフレームにおいて、第１の上りリンク参照信号の送信電力と物理上りリンク共用チャネルの送信電力の合計が端末装置２に設定される最大送信電力（例えば、ＰＣＭＡＸやＰＣＭＡＸ，ｃ）を超える場合、物理上りリンク共用チャネルを送信するように、制御部２０３を介して送信部２０７に指示情報を出力する。
【０２８２】
また、上位層処理部２０１は、あるサービングセルおよびあるサブフレームにおいて、第１の上りリンク参照信号の送信電力と物理上りリンク制御チャネルの送信電力の合計が端末装置２に設定される最大送信電力（例えば、ＰＣＭＡＸやＰＣＭＡＸ，ｃ）を超える場合、物理上りリンク制御チャネルを送信するように、制御部２０３を介して送信部２０７に指示情報を出力する。
【０２８３】
また、上位層処理部２０１は、あるサービングセルおよびあるサブフレームにおいて、第２の上りリンク参照信号の送信電力と物理上りリンク共用チャネルの送信電力の合計が端末装置２に設定される最大送信電力を超える場合、物理上りリンク共用チャネルを送信するように、制御部２０３を介して送信部２０７に指示情報を出力する。
【０２８４】
また、上位層処理部２０１は、あるサービングセル（例えば、サービングセルｃ）およびあるサブフレーム（例えば、サブフレームｉ）において、第２の上りリンク参照信号の送信電力と物理上りリンク制御チャネルの送信電力の合計が端末装置２に設定される最大送信電力を超える場合、物理上りリンク制御チャネルを送信するように、制御部２０３を介して送信部２０７に指示情報を出力する。
【０２８５】
また、上位層処理部２０１は、同じタイミング（例えば、サブフレーム）で複数の物理チャネルの送信が生じる場合、種々の物理チャネルの優先度に応じて、種々の物理チャネルの送信電力を制御したり、種々の物理チャネルの送信を制御したりすることもできる。上位層処理部２０１は、制御部２０３を介してその制御情報を送信部２０７に出力する。
【０２８６】
また、上位層処理部２０１は、複数のサービングセルまたは複数のサービングセルそれぞれに対応する複数のコンポーネントキャリアを用いるキャリアアグリゲーションを行なう場合、物理チャネルの優先度に応じて、種々の物理チャネルの送信電力を制御したり、種々の物理チャネルの送信を制御したりすることもできる。
【０２８７】
また、上位層処理部２０１は、セルの優先度に応じて、該セルから送信される種々の物理チャネルの送信制御を行なってもよい。上位層処理部２０１は、制御部２０３を介してその制御情報を送信部２０７に出力する。
【０２８８】
上位層処理部２０１は、基地局装置１から通知された上りリンク参照信号の設定に関する情報に基づいて上りリンク参照信号の生成等を行なうように制御部２０３を介して送信部２０７に指示情報を出力する。つまり、参照信号制御部２０１３は、制御部２０３を介して、上りリンク参照信号の設定に関する情報を上りリンク参照信号生成部２０７９へ出力する。
【０２８９】
制御部２０３は、上位層処理部２０１からの制御情報に基づいて、受信部２０５、および送信部２０７の制御を行なう制御信号を生成する。制御部２０３は、生成した制御信号を受信部２０５および送信部２０７に出力して、受信部２０５および送信部２０７の制御を行なう。
【０２９０】
受信部２０５は、制御部２０３から入力された制御信号に従って、送受信アンテナ２１１を介して基地局装置１から受信した受信信号を、分離、復調、復号し、復号した情報を上位層処理部２０１に出力する。
【０２９１】
受信部２０５は、第１の設定に関する情報および／または第２の設定に関する情報を受信するか否かによって、適切な受信処理を行なう。例えば、第１の設定に関する情報または第２の設定に関する情報のうち、何れか一方を受信している場合には、受信した下りリンク制御情報フォーマットから第１の制御情報フィールドを検出し、第１の設定に関する情報および第２の設定に関する情報を受信している場合には、受信した下りリンク制御情報フォーマットから第２の制御情報フィールドを検出する。
【０２９２】
無線受信部２０５７は、各受信アンテナを介して受信した下りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０５７は、変換したディジタル信号からガードインターバルに相当する部分を除去し、ガードインターバルを除去した信号に対して高速フーリエ変換を行ない、周波数領域の信号を抽出する。
【０２９３】
多重分離部２０５５は、抽出した信号をＰＤＣＣＨ、ＰＤＳＣＨ、および下りリンク参照信号（DL-RS: Downlink Reference Signal）に、それぞれ分離する。尚、この分離は、下りリンク制御情報で通知された無線リソースの割り当て情報などに基づいて行われる。また、多重分離部２０５５は、チャネル測定部２０９から入力された伝送路の推定値から、ＰＤＣＣＨとＰＤＳＣＨの伝送路の補償を行なう。また、多重分離部２０５５は、分離した下りリンク参照信号をチャネル測定部２０９に出力する。
【０２９４】
復調部２０５３は、ＰＤＣＣＨに対して、ＱＰＳＫ変調方式の復調を行ない、復号化部２０５１へ出力する。また、復調部２０５３は、ＰＤＳＣＨに対して、ＱＰＳＫ、１６ＱＡＭ、６４ＱＡＭ等の下りリンク制御情報で通知された変調方式の復調を行ない、復号化部２０５１へ出力する。
【０２９５】
復号化部２０５１は、ＰＤＣＣＨの復号を試み、復号に成功した場合、復号した下りリンク制御情報を上位層処理部２０１に出力する。また、復号化部２０５１は、下りリンク制御情報で通知された符号化率に対する復号を行い、復号したデータ情報を上位層処理部２０１へ出力する。
【０２９６】
復号化部２０５１は、上りリンクと下りリンクに対して、独立にクロスキャリアスケジューリングを行なう機能がない場合には、ＤＣＩフォーマット０とＤＣＩフォーマット１Ａを１つのＤＣＩフォーマットとして復号処理（ブラインドデコーディング）を行なう。
【０２９７】
復号化部２０５１は、上りリンクと下りリンクに対して、独立にクロスキャリアスケジューリングを行なう機能がある場合には、ＤＣＩフォーマット０とＤＣＩフォーマット１Ａを独立のＤＣＩフォーマットとして復号処理を行なう。
【０２９８】
復号化部２０５１は、上りリンクに対するクロスキャリアスケジューリングを行なう機能がない場合、ＤＣＩフォーマット０またはＤＣＩフォーマット４などの上りリンクグラントのクロスキャリアスケジューリングが行なわれることを期待しない。
【０２９９】
復号化部２０５１は、下りリンクに対するクロスキャリアスケジューリングを行なう機能がない場合、ＤＣＩフォーマット１またはＤＣＩフォーマット１Ａなどの下りリンクグラントのクロスキャリアスケジューリングが行なわれることを期待しない。
【０３００】
復号化部２０５１は、上りリンクと下りリンクに対して、何れか一方のクロスキャリアスケジューリングに関する設定が行なわれた場合には、ブラインドデコーディングの総数を増やしてもよい。
【０３０１】
復号化部２０５１は、上りリンクまたは下りリンクに対するクロスキャリアスケジューリングに関する設定が何れか一方のみセットされる場合、ブラインドデコーディングの総数を超えないように復号化処理を行なう。例えば、ＵＳＳにおいて、ＰＤＣＣＨ候補数を制限する。また、ＵＳＳにおいて、デコーディングを行なうアグリゲーションレベルを制限する。また、復号化処理を行なうセル（コンポーネントキャリア）を制限する。例えば、プライマリーセルに対してのみ、復号化処理を行なう。基地局装置１は、ブラインドデコーディングが増えないように、制限されたＰＤＣＣＨ候補数やアグリゲーションレベル、セルを用いて、ＰＤＣＣＨを送信する。
【０３０２】
チャネル測定部２０９は、多重分離部２０５５から入力された下りリンク参照信号から下りリンクのパスロスを測定し、測定したパスロスを上位層処理部２０１へ出力する。また、チャネル測定部２０９は、下りリンク参照信号から下りリンクの伝送路の推定値を算出し、多重分離部２０５５へ出力する。また、チャネル測定部２０９は、参照信号制御部２０１３から制御部２０３を介して通知された測定に関する種々の情報、測定報告に関する種々の情報に従って、第１の信号および／または第２の信号の受信電力測定や受信品質測定を行なう。その結果を上位層処理部２０１に出力する。また、チャネル測定部２０９は、第１の信号および／または第２の信号のチャネル評価を行なうことを指示された場合、それぞれの信号のチャネル評価に関する結果を上位層処理部２０１に出力してもよい。ここで、第１の信号や第２の信号は、参照信号（パイロット信号、パイロットチャネル、基準信号）であり、第１の信号や第２の信号の他に第３の信号や第４の信号があってもよい。つまり、チャネル測定部２０９は、１つ以上の信号のチャネルを測定する。また、チャネル測定部２０９は、上位層処理部２０１から、制御部２０３を介して、通知された制御情報に従って、チャネル測定を行なう信号を設定する。
【０３０３】
また、チャネル測定部２０９は、あるセル（第１のセル）において、上りリンク送信が要求された上りリンクサブフレームが生じたことによって、あるセルとは異なるセル（第２のセル）の同じサブフレームでＣＲＳやＣＳＩ−ＲＳを測定できなかった場合、第２のセルにおける測定結果（受信電力や受信品質、チャネル品質など）の平均を測定できなかったサブフレームを除いて行なってもよい。言い換えると、チャネル測定部２０９は、受信したＣＲＳやＣＳＩ−ＲＳのみを用いて、測定結果（受信電力や受信品質、チャネル品質など）の平均値を算出してもよい。その算出結果（算出結果に対応するインディケータまたは情報）を送信部２０７を介して、基地局装置１へ送信してもよい。
【０３０４】
送信部２０７は、制御部２０３から入力された制御信号（制御情報）に基づいて、上りリンク復調参照信号（ＵＬ  ＤＭＲＳ）および／またはサウンディング参照信号（ＳＲＳ）を生成し、上位層処理部２０１から入力されたデータ情報を符号化および変調し、ＰＵＣＣＨ、ＰＵＳＣＨ、および生成したＵＬ  ＤＭＲＳおよび／またはＳＲＳを多重し、ＰＵＣＣＨ、ＰＵＳＣＨ、ＵＬ  ＤＭＲＳ、およびＳＲＳの送信電力を調整し、送受信アンテナ２１１を介して基地局装置１に送信する。
【０３０５】
また、送信部２０７は、上位層処理部２０１から測定結果に関する情報が出力された場合、送受信アンテナ２１１を介して基地局装置１に送信する。
【０３０６】
また、送信部２０７は、上位層処理部２０１からチャネル評価に関する結果であるチャネル状態情報が出力された場合、そのチャネル状態情報を基地局装置１へフィードバックする。つまり、上位層処理部２０１は、チャネル測定部２０９から通知された測定結果に基づいてチャネル状態情報（ＣＳＩ、ＣＱＩ、ＰＭＩ、ＲＩ）を生成し、制御部２０３を介して基地局装置１へフィードバックする。
【０３０７】
送信部２０７は、受信部２０５において、所定のグラント（または所定の下りリンク制御情報フォーマット）が検出されると、所定のグラントに対応する上りリンク信号を、グラントを検出したサブフレームから所定のサブフレーム以降の最初の上りリンクサブフレームで上りリンク信号を送信する。例えば、サブフレームｉでグラントを検出すると、サブフレームｉ＋ｋ以降の最初の上りリンクサブフレームで上りリンク信号を送信することができる。
【０３０８】
また、送信部２０７は、上りリンク信号の送信サブフレームがサブフレームｉである場合、サブフレームｉ−ｋで受信したＴＰＣコマンドによって得られる電力制御調整値に基づいて上りリンク信号の送信電力をセットする。ここで、電力制御調整値ｆ（ｉ）（またはｇ（ｉ））は、ＴＰＣコマンドにセットされた値に対応付けられた補正値または絶対値に基づいて設定される。アキュムレーションが有効な場合、ＴＰＣコマンドにセットされた値に対応付けられた補正値を累算し、その累算結果を電力制御調整値として適用する。アキュムレーションが有効でない場合、単一のＴＰＣコマンドにセットされた値に対応付けられた絶対値を電力制御調整値として適用する。
【０３０９】
送信部２０７は、受信部２０５において第１の設定に関する情報または第２の設定に関する情報のうち、何れか一方を受信する場合には、第１の上りリンク電力制御に関するパラメータに基づいて送信電力をセットし、受信部２０５において第１の設定に関する情報および第２の設定に関する情報を受信する場合には、第２の上りリンク電力制御に関するパラメータに基づいて送信電力をセットし、上りリンク信号を送信する。
【０３１０】
符号化部２０７１は、上位層処理部２０１から入力された上りリンク制御情報、およびデータ情報を、ターボ符号化、畳み込み符号化、ブロック符号化等の符号化を行なう。変調部２０７３は、符号化部２０７１から入力された符号化ビットをＢＰＳＫ、ＱＰＳＫ、１６ＱＡＭ、６４ＱＡＭ等の変調方式で変調する。
【０３１１】
上りリンク参照信号生成部２０７９は、上りリンク参照信号の設定に関する情報に基づいて上りリンク参照信号を生成する。つまり、上りリンク参照信号生成部２０７９は、基地局装置１を識別するためのセル識別子、上りリンク復調参照信号、第１の上りリンク参照信号、第２の上りリンク参照信号を配置する帯域幅などを基に予め定められた規則で求まる、基地局装置１が既知のＣＡＺＡＣ系列を生成する。また、上りリンク参照信号生成部２０７９は、制御部２０３から入力された制御信号に基づいて、生成した上りリンク復調参照信号、第１の上りリンク参照信号、第２の上りリンク参照信号のＣＡＺＡＣ系列にサイクリックシフトを与える。
【０３１２】
上りリンク参照信号生成部２０７９は、上りリンク復調参照信号および／またはサウンディング参照信号、上りリンク参照信号の基準系列を所定のパラメータに基づいて初期化してもよい。所定のパラメータは各参照信号で同じパラメータであってもよい。また、所定のパラメータは各参照信号に独立に設定されたパラメータであってもよい。つまり、上りリンク参照信号生成部２０７９は、独立に設定されたパラメータがなければ、同じパラメータで各参照信号の基準系列を初期化することができる。
【０３１３】
多重部２０７５は、制御部２０３から入力された制御信号に基づいて、ＰＵＳＣＨの変調シンボルを並列に並び替えてから離散フーリエ変換（DFT: Discrete Fourier Transform）し、ＰＵＣＣＨとＰＵＳＣＨの信号と生成したＵＬ  ＤＭＲＳおよびＳＲＳを多重する。
【０３１４】
無線送信部２０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数（無線周波数）の信号に変換（アップコンバート）し、余分な周波数成分を除去し、電力増幅し、送受信アンテナ２１１に出力して送信する。
【０３１５】
なお、本発明の実施形態において、受信処理とは、検出処理（Detection）を含んでもよい。また、受信処理とは、復調処理（Demodulation）を含んでもよい。また、受信処理とは、復号処理（Decode, Decoding）を含んでもよい。
【０３１６】
端末装置２は、物理チャネルの種類に応じて送信する物理チャネル／物理信号の優先度が設定または事前に定義されてもよい。
【０３１７】
なお、本発明の実施形態では、端末装置２は、ＣＳＩ−ＲＳまたはＤＲＳ（Discovery Reference Signal）に基づく受信電力の測定結果を基地局装置１へ報告してもよい。端末装置２は、その報告を周期的に行なってもよい。また、端末装置２は、その報告をある条件を満たした場合に行なってもよい。
【０３１８】
なお、本発明の実施形態では、端末装置２はＣＳＩ−ＲＳまたはＤＲＳに基づく受信電力を測定する場合、その受信電力に基づいて上りリンク信号の送信電力制御を行なってもよい。つまり、端末装置２は、下りリンクパスロスをその受信電力に基づいて決定してもよい。
【０３１９】
なお、本発明の実施形態では、端末装置２は、第１の上りリンク参照信号および／または第２の上りリンク参照信号の送信電力を含む種々の上りリンク信号の送信電力の合計が端末装置２に設定される最大送信電力を超える場合、第１の上りリンク参照信号および／または第２の上りリンク参照信号を送信しなくてもよい。
【０３２０】
なお、本発明の実施形態では、基地局装置１または端末装置２は、ある条件を満たすと、一方を上りリンク参照ＵＬ−ＤＬ設定として設定し、もう一方を下りリンク参照ＵＬ−ＤＬ設定として設定してもよい。例えば、端末装置２は、第１の設定に関する情報と第２の設定に関する情報の２つを受信してから上りリンク参照ＵＬ−ＤＬ設定と下りリンク参照ＵＬ−ＤＬ設定に設定してもよい。なお、上りリンクに関連するＤＣＩフォーマット（例えば、ＤＣＩフォーマット０／４）は、上りリンク参照ＵＬ−ＤＬ設定で設定されている下りリンクサブフレームで送信されてもよい。
【０３２１】
また、上りリンク参照ＵＬ−ＤＬ設定と下りリンク参照ＵＬ−ＤＬ設定は同じテーブルを使用してそれぞれ設定されてもよい。ただし、同じテーブルに基づいて上りリンク参照ＵＬ−ＤＬ設定と下りリンク参照ＵＬ−ＤＬ設定のインデックスが設定される場合、上りリンク参照ＵＬ−ＤＬ設定と下りリンク参照ＵＬ−ＤＬ設定は異なるインデックスで設定されることが好ましい。つまり、上りリンク参照ＵＬ−ＤＬ設定と下りリンク参照ＵＬ−ＤＬ設定は、異なるサブフレームパターンが設定されることが好ましい。
【０３２２】
１つのサービングセル（プライマリーセル、セカンダリーセル）に対して、複数のＴＤＤ  ＵＬ／ＤＬ設定（ＵＬ／ＤＬ設定、ＵＬ−ＤＬ設定）が示される場合には、条件に応じて、何れか一方を上りリンク参照ＵＬ−ＤＬ設定として設定し、もう一方を下りリンク参照ＵＬ−ＤＬ設定として設定してもよい。なお、上りリンク参照ＵＬ−ＤＬ設定は、少なくとも物理下りリンク制御チャネルが配置されるサブフレームと前記物理下りリンク制御チャネルが対応する物理上りリンク共用チャネルが配置されるサブフレームとの対応を決定するために用いられ、実際の信号の送信方向（つまり、上りリンクまたは下りリンク）とは異なってもよい。下りリンク参照ＵＬ−ＤＬ設定は、少なくとも物理下りリンク共用チャネルが配置されるサブフレームと前記物理下りリンク共用チャネルに対応するＨＡＲＱ−ＡＣＫが送信されるサブフレームとの対応を決定するために用いられ、実際の信号の送信方向（つまり、上りリンクまたは下りリンク）とは異なっても構わない。すなわち、上りリンク参照ＵＬ−ＤＬ設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。１つのプライマリーセルが設定されている場合、または、１つのプライマリーセルおよび１つのセカンダリーセルが設定され、プライマリーセルに対する上りリンク参照ＵＬ−ＤＬ設定およびセカンダリーセルに対する上りリンク参照ＵＬ−ＤＬ設定が同じ場合は、２つのサービングセルのそれぞれにおいて、対応する上りリンク参照ＵＬ−ＤＬ設定が、ＰＤＣＣＨ／ＥＰＤＣＣＨ／ＰＨＩＣＨが配置されるサブフレームと前記ＰＤＣＣＨ／ＥＰＤＣＣＨ／ＰＨＩＣＨが対応するＰＵＳＣＨが配置されるサブフレームとの対応を決定するために用いられる。また、下りリンク参照ＵＬ−ＤＬ設定は、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。１つのプライマリーセルが設定されている場合、または、１つのプライマリーセルおよび１つのセカンダリーセルが設定され、プライマリーセルに対する下りリンク参照ＵＬ−ＤＬ設定およびセカンダリーセルに対する下りリンク参照ＵＬ−ＤＬ設定が同じ場合は、２つのサービングセルのそれぞれにおいて、対応する下りリンク参照ＵＬ−ＤＬ設定が、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０３２３】
また、端末装置２は、上りリンク送信参照用のＴＤＤ  ＵＬ／ＤＬ設定（第１のＴＤＤ  ＵＬ／ＤＬ設定）と下りリンク送信参照用のＴＤＤ  ＵＬ／ＤＬ設定（第２のＴＤＤ  ＵＬ／ＤＬ設定）が設定され、さらに、上りリンク送信電力制御に関する情報が設定されると、第１のＴＤＤ  ＵＬ／ＤＬ設定と第２のＴＤＤ  ＵＬ／ＤＬ設定で同じ種類のサブフレームが設定されている場合には、そのサブフレームの上りリンク電力制御は第１の上りリンク電力制御に関するパラメータに基づいてセットされ、第１のＴＤＤ  ＵＬ／ＤＬ設定と第２のＴＤＤ  ＵＬ／ＤＬ設定で異なる種類のサブフレームが設定されている場合には、そのサブフレームの上りリンク電力は第２の上りリンク電力制御に関するパラメータに基づいてセットされる。
【０３２４】
なお、フレキシブルサブフレームは、上りリンクサブフレームであり、下りリンクサブフレームであるサブフレームのことである。また、フレキシブルサブフレームは、下りリンクサブフレームであり、スペシャルサブフレームであるサブフレームのことである。また、フレキシブルサブフレームは、上りリンクサブフレームであり、スペシャルサブフレームであるサブフレームのことである。つまり、フレキシブルサブフレームは、第１のサブフレームであり、第２のサブフレームであるサブフレームのことである。例えば、また、フレキシブルサブフレームとして設定されるサブフレームは、条件１の場合、第１のサブフレーム（例えば、上りリンクサブフレーム）として処理され、条件２の場合、第２のサブフレーム（例えば、下りリンクサブフレーム）として処理される。
【０３２５】
なお、フレキシブルサブフレームは、第１の設定および第２の設定に基づいてセットされてもよい。例えば、あるサブフレームｉに対して第１の設定では上りリンクサブフレーム、第２の設定では下りリンクサブフレームとして設定された場合、サブフレームｉはフレキシブルサブフレームとなる。フレキシブルサブフレームは、フレキシブルサブフレームのサブフレームパターンを指示する情報に基づいて設定されてもよい。
【０３２６】
また、複数のサブフレームセットは、２つのＴＤＤ  ＵＬ／ＤＬ設定ではなく、１つのＴＤＤ  ＵＬ／ＤＬ設定とフレキシブルサブフレームパターン（下りリンク候補サブフレームパターンまたは上りリンク候補サブフレームパターン、追加サブフレーム）に基づいて設定されてもよい。端末装置２は、フレキシブルサブフレームパターンで示されるサブフレームインデックスにおいては、ＴＤＤ  ＵＬ／ＤＬ設定で上りリンクサブフレームと示されていてもそのサブフレームで上りリンク信号を送信することがなければ、下りリンク信号を受信することができるし、ＴＤＤ  ＵＬ／ＤＬ設定で下りリンクサブフレームと示されていても事前にそのサブフレームで上りリンク信号を送信することを指示されていれば、上りリンク信号を送信することができる。特定のサブフレームに対して上りリンク／下りリンク候補のサブフレームとして指示されてもよい。
【０３２７】
端末装置２は、ある条件を満たすと、何れか一方を上りリンクのためのサブフレームセットと認識し、もう一方を下りリンクのためのサブフレームセットと認識してもよい。ここで、上りリンクのためのサブフレームセットとは、ＰＵＳＣＨおよびＰＨＩＣＨの送信のために設定されるサブフレームのセットであり、下りリンクサブフレームセットとは、ＰＤＳＣＨおよびＨＡＲＱの送信のために設定されるサブフレームのセットである。ＰＵＳＣＨとＰＨＩＣＨのサブフレームの関連を示す情報とＰＤＳＣＨとＨＡＲＱのサブフレームの関連を示す情報が端末装置２に事前に設定されてもよい。
【０３２８】
なお、本発明の実施形態において、１つのサービングセル（プライマリーセル、セカンダリーセル、キャリア周波数、送信周波数、コンポーネントキャリア）に対して複数のサブフレームセットが設定されてもよい。複数のサブフレームセットが設定されるセルと複数のサブフレームセットが設定されないセルがあってもよい。
【０３２９】
なお、本発明の実施形態において、１つのサービングセルに対して、２つ以上のサブフレームセットが独立に構成される場合、それぞれのサブフレームセットに対して、端末装置２毎に設定される最大送信電力（ＰＣＭＡＸ、ＰＣＭＡＸ，ｃ）が設定されてもよい。つまり、端末装置２は、独立した最大送信電力を複数設定してもよい。つまり、１つのサービングセルに対して、複数の最大送信電力（ＰＣＭＡＸ、ＰＣＭＡＸ，ｃ）がセットされてもよい。また、１つのサービングセルに対して、複数の最大許容出力電力（ＰＥＭＡＸ，ｃ）が設定されてもよい。
【０３３０】
また、種々の上りリンク信号のリソース割り当てが同じ場合、基地局装置１は、各上りリンク信号の信号系列の違いによって、種々の上りリンク信号を検出することができる。つまり、基地局装置１は、受信した上りリンク信号の信号系列の違いによって、各上りリンク信号を識別することができる。また、基地局装置１は、受信した上りリンク信号の信号系列の違いによって、自局宛ての送信か否かを判定することができる。
【０３３１】
さらに、端末装置２は、基地局装置１からＣＳＩ−ＲＳまたはＤＲＳによる受信電力測定が指示された場合、その測定結果に基づいて下りリンクパスロスを算出し、上りリンク送信電力制御に用いてもよい。
【０３３２】
ここで、受信電力測定は、参照信号受信電力（RSRP: Reference Signal Received Power）測定や受信信号電力測定と呼称する場合もある。また、受信品質測定は、参照信号受信品質（RSRQ: Reference Signal Received Quality）測定や受信信号品質測定と呼称する場合もある。
【０３３３】
また、ＣＳＩ−ＲＳまたはＤＲＳのリソース割り当て（Resource allocation, mapping to resource elements, mapping to physical resources）は、周波数シフトされてもよい。ＣＳＩ−ＲＳまたはＤＲＳの周波数シフトは、物理セルＩＤに基づいて決定されてもよい。また、ＣＳＩ−ＲＳまたはＤＲＳの周波数シフトは、仮想セルＩＤに基づいて決定されてもよい。
【０３３４】
例えば、端末装置２は、基地局装置１から情報が通知されなければ、第１の下りリンク参照信号の受信電力測定を行なう。基地局装置１から端末装置２に対して、第２の下りリンク参照信号の受信電力測定を行なうか否かを指示する情報が通知される。端末装置２は、その指示情報が第２の下りリンク参照信号の受信電力測定を行なうことができると指示している場合、第２の下りリンク参照信号の受信電力測定を行なう。この時、端末装置２は、パラレルに第１の下りリンク参照信号の受信電力測定を行なってもよい。端末装置２は、その指示情報が第２の下りリンク参照信号の受信電力測定を行なうことができないと指示している場合、端末装置２は、第１の下りリンク参照信号のみの受信電力測定を行なう。さらに、この指示情報には、第２の下りリンク参照信号の受信品質測定を行なうか否かを指示する情報が含まれてもよい。また、第３の下りリンク参照信号は、この指示情報によらず、受信電力測定を行なってもよい。
【０３３５】
１つのサービングセルに対して、２つのサブフレームセットが設定される場合、第２のサブフレームセットがフレキシブルサブフレームのサブフレームパターンであるとすると、フレキシブルサブフレームに対するＴＰＣコマンドフィールドを含むＤＣＩフォーマットを受信可能なサブフレームのパターンを指示する情報が基地局装置１から端末装置２へ送信されてもよい。
【０３３６】
第１のサブフレームセットに属する上りリンクサブフレームに対して適用可能なＴＰＣコマンドが送信されるサブフレームのパターンと第２のサブフレームセットに属する上りリンクサブフレームに対して適用可能なＴＰＣコマンドが送信されるサブフレームのパターンがそれぞれ設定されてもよい。上りリンクサブフレームとその上りリンクサブフレームに対するＴＰＣコマンドを含むＤＣＩフォーマットが送信される下りリンクサブフレームの対応付け（紐付け）がテーブル管理されてもよい。
【０３３７】
また、ＲＳＲＰ測定結果をサブフレームセットで独立であってもよい。固定サブフレームの下りリンクサブフレームで受信したＣＲＳによるＲＳＲＰとフレキシブルサブフレームで受信したＣＲＳによるＲＳＲＰの測定は独立に行なってもよい。
【０３３８】
なお、本発明の実施形態では、１つのセル（サービングセル、プライマリーセル、セカンダリーセル）において、複数のサブフレームセットが設定される場合、それらのサブフレームセットは、ビットマップ（ビット列）で示されてもよい。例えば、固定サブフレームで構成されるサブフレームセットをビット列で示されてもよい。また、フレキシブルサブフレームで構成されるサブフレームセットをビット列で示されてもよい。また、それらのサブフレームセットは、ＦＤＤとＴＤＤで独立に設定されてもよい。例えば、ＦＤＤでは、４０ビットのビット列、ＴＤＤでは、サブフレーム設定（ＴＤＤ  ＵＬ／ＤＬ設定）１〜５では、２０ビットのビット列、サブフレーム設定０では、７０ビットのビット列、サブフレーム設定６では、６０ビットのビット列で示されてもよい。これらのビット列の最初のビットまたは左端のビットが、システムフレーム番号（SFN: System Frame Number）ｍｏｄ  ｘ＝０を満たす無線フレームのサブフレーム＃０に対応する。ビット列のうち、“１”がセットされたサブフレームが使われる。例えば、１０ビットのビット列で“１０１１００００１１”で示される場合、サブフレーム＃０、＃２、＃３、＃８、＃９が使われる。
【０３３９】
なお、本発明の実施形態では、１つのセル（サービングセル、プライマリーセル、セカンダリーセル）において、複数のサブフレームセットが設定される場合、上りリンクサブフレームセットは、上りリンク参照ＵＬ／ＤＬ設定に基づいて設定され、下りリンクサブフレームセットは、下りリンク参照ＵＬ／ＤＬ設定に基づいて設定されてもよい。
【０３４０】
本発明の実施形態では、プライマリーセルに対して、ＲＳＲＰ／ＲＳＲＱ／無線リンクモニタリングなどのプライマリーセル測定に対するサブフレームパターン（measSubframePatternPCell）と、ＣＳＩを測定するためのサブフレームパターン（csi-measSubframeSet1, csi-measSubframeSet2）と、ＥＰＤＣＣＨをモニタリングするためのサブフレームパターン（epdcch-SubframePattern）が設定される。
【０３４１】
本発明の実施形態では、セカンダリーセルに対して、ＥＰＤＣＣＨをモニタリングするためのサブフレームパターン（epdcch-SubframePattern）が設定される。
【０３４２】
本発明の実施形態では、隣接セルに対して、キャリア周波数におけるＲＳＲＰとＲＳＲＱを測定するためのサブフレームパターン（measSubframePatternNeigh）が設定される。
【０３４３】
本発明の実施形態では、ＣＳＩを測定するためのサブフレームパターン（csi-measSubframeSet1, csi-measSubframeSet2）は、プライマリーセルとセカンダリーセルで共通であってもよい。
【０３４４】
本発明の実施形態では、サブフレームパターンは、ＦＤＤとＴＤＤで独立に設定されてもよい。例えば、ＦＤＤでは、４０ビットのビット列、ＴＤＤでは、サブフレーム設定（ＴＤＤ  ＵＬ／ＤＬ設定）１〜５では、２０ビットのビット列、サブフレーム設定０では、７０ビットのビット列、サブフレーム設定６では、６０ビットのビット列で示されてもよい。これらのビット列の最初のビットまたは左端のビットが、システムフレーム番号（SFN: System Frame Number）ｍｏｄ  ｘ＝０を満たす無線フレームのサブフレーム＃０に対応する。ビット列のうち、“１”がセットされたサブフレームが使われる。例えば、１０ビットのビット列で“１０１１００００１１”で示される場合、サブフレーム＃０、＃２、＃３、＃８、＃９が使われる。
【０３４５】
本発明の実施形態において、ＴＤＤ  ＵＬ／ＤＬ設定は、基地局装置１から端末装置２へ送信（通知、伝送）される。また、ＴＤＤ  ＵＬ／ＤＬ設定は、ＳＩＢ１で通知されてもよい。また、ＴＤＤ  ＵＬ／ＤＬ設定は、上位層シグナリング（ＲＲＣシグナリング、ＲＲＣメッセージ）で通知されてもよい。複数のＴＤＤ  ＵＬ／ＤＬ設定を用いて通信を行なう端末装置２に対して、基地局装置１は、ＴＤＤ  ＵＬ／ＤＬ設定をＬ１シグナリングまたはＬ２シグナリングで通知してもよい。
【０３４６】
本発明の実施形態において、１つのセルにおいて、複数のＴＤＤ  ＵＬ／ＤＬ設定がセットされる場合、１つは、上りリンク参照として用いられ、１つは、下りリンク参照として用いられる。上りリンク参照として設定されるＴＤＤ  ＵＬ／ＤＬ設定は、ＰＵＳＣＨの送信タイミング、ＰＵＳＣＨに対するＰＨＩＣＨの受信タイミング、上りリンクグラントの受信タイミングなど、上りリンク送信／受信に関する処理を行なうために用いられる。また、下りリンク参照として設定されるＴＤＤ  ＵＬ／ＤＬ設定は、ＰＤＣＣＨ／ＥＰＤＣＣＨ／ＰＤＳＣＨの受信タイミング（モニタリング）、下りリンクグラントの受信タイミング、ＨＡＲＱ−ＡＣＫを伴うＰＵＣＣＨの送信タイミングなど、下りリンク送信／受信に関する処理を行なうために用いられる。
【０３４７】
本発明の実施形態において、プライマリーセルに対して複数のＴＤＤ  ＵＬ／ＤＬ設定（ＵＬ／ＤＬ設定）がセットされる場合、プライマリーセルにおける各サブフレームパターンは、ＳＩＢ１で通知されるＴＤＤ  ＵＬ／ＤＬ設定に基づいて決定されてもよい。また、プライマリーセルにおける各サブフレームパターンは、上位層シグナリング（ＲＲＣシグナリング、ＲＲＣメッセージ）で通知されるＴＤＤ  ＵＬ／ＤＬ設定に基づいて決定されてもよい。また、プライマリーセルにおける各サブフレームパターンは、Ｌ１シグナリング（下りリンクグラント、上りリンクグラント、ＰＤＣＣＨ／ＥＰＤＣＣＨ、ＤＣＩフォーマット）で通知されたＴＤＤ  ＵＬ／ＤＬ設定に基づいて決定されてもよい。また、プライマリーセルにおける各サブフレームパターンは、Ｌ２シグナリング（ＭＡＣ  ＣＥ）で通知されたＴＤＤ  ＵＬ／ＤＬ設定に基づいて決定されてもよい。また、プライマリーセルにおける各サブフレームパターンは、上りリンク参照として用いられるＴＤＤ  ＵＬ／ＤＬ設定（上りリンク参照ＵＬ／ＤＬ設定）に基づいて決定されてもよい。また、プライマリーセルにおける各サブフレームパターンは、下りリンク参照として用いられるＴＤＤ  ＵＬ／ＤＬ設定（下りリンク参照ＵＬ／ＤＬ設定）に基づいて決定されてもよい。また、プライマリーセルにおける各サブフレームパターンは、共通のＴＤＤ  ＵＬ／ＤＬ設定に基づいて決定されてもよい。また、プライマリーセルにおける各サブフレームパターンは、独立に決定されてもよい。例えば、プライマリーセル測定に対するサブフレームパターンは、ＳＩＢ１で通知されるＴＤＤ  ＵＬ／ＤＬ設定に基づき、ＥＰＤＣＣＨをモニタリングするためのサブフレームパターンは、上位層シグナリング（ＲＲＣシグナリング、ＲＲＣメッセージ）で通知されるＴＤＤ  ＵＬ／ＤＬ設定に基づいて決定されてもよい。プライマリーセル測定に対するサブフレームパターンは、ＳＩＢ１で通知されるＴＤＤ  ＵＬ／ＤＬ設定に基づき、ＣＳＩを測定するためのサブフレームパターンは、Ｌ１シグナリングに基づいて決定されてもよい。具体的には、プライマリーセル測定に対するサブフレームパターンは、サブフレーム設定（ＴＤＤ  ＵＬ／ＤＬ設定）０に対応するビット列に基づき、ＥＰＤＣＣＨをモニタリングするためのサブフレームパターンは、サブフレーム設定（ＴＤＤ  ＵＬ／ＤＬ設定）３に基づき、ＣＳＩを測定するためのサブフレームパターンは、サブフレーム設定（ＴＤＤ  ＵＬ／ＤＬ設定）６に基づいてもよい。なお、サブフレーム設定（ＴＤＤ  ＵＬ／ＤＬ設定）の値は一例であって、異なる値であってもよい。
【０３４８】
本発明の実施形態において、セカンダリーセルに対して複数のＴＤＤ  ＵＬ／ＤＬ設定（ＵＬ／ＤＬ設定）がセットされる場合、セカンダリーセルにおけるサブフレームパターンは、セカンダリーセルに対するシステムインフォメーションで通知されるＴＤＤ  ＵＬ／ＤＬ設定に基づいて決定されてもよい。また、セカンダリーセルにおけるサブフレームパターンは、上位層シグナリング（ＲＲＣシグナリング、ＲＲＣメッセージ）で通知されるＴＤＤ  ＵＬ／ＤＬ設定に基づいて決定されてもよい。また、セカンダリーセルにおけるサブフレームパターンは、Ｌ１シグナリング（下りリンクグラント、上りリンクグラント、ＰＤＣＣＨ／ＥＰＤＣＣＨ、ＤＣＩフォーマット）で通知されたＴＤＤ  ＵＬ／ＤＬ設定に基づいて決定されてもよい。また、セカンダリーセルにおけるサブフレームパターンは、Ｌ２シグナリング（ＭＡＣ  ＣＥ）で通知されたＴＤＤ  ＵＬ／ＤＬ設定に基づいて決定されてもよい。また、セカンダリーセルにおけるサブフレームパターンは、上りリンク参照として設定されたＴＤＤ  ＵＬ／ＤＬ設定（上りリンク参照ＵＬ／ＤＬ設定）に基づいて決定されてもよい。また、セカンダリーセルにおけるサブフレームパターンは、下りリンク参照として設定されたＴＤＤ  ＵＬ／ＤＬ設定（下りリンク参照ＵＬ／ＤＬ設定）に基づいて決定されてもよい。なお、ＣＳＩを測定するためのサブフレームパターンがプライマリーセルと独立に設定される場合、セカンダリーセルにおけるＣＳＩを測定するためのサブフレームパターンは、プライマリーセルと独立に決定されてもよい。
【０３４９】
本発明の実施形態において、プライマリーセルとセカンダリーセルに対して、それぞれ複数のＴＤＤ  ＵＬ／ＤＬ設定（ＵＬ／ＤＬ設定）がセットされる場合、プライマリーセルとセカンダリーセルそれぞれにおける各サブフレームパターンは、共通のＴＤＤ  ＵＬ／ＤＬ設定に基づいて決定されてもよい。例えば、ＳＩＢ１で通知されたＴＤＤ  ＵＬ／ＤＬ設定であってもよいし、上位層シグナリングで通知されたＴＤＤ  ＵＬ／ＤＬ設定であってもよいし、Ｌ１／Ｌ２シグナリングで通知されたＴＤＤ  ＵＬ／ＤＬ設定であってもよいし、上りリンク参照として設定されたＴＤＤ  ＵＬ／ＤＬ設定（上りリンク参照ＵＬ／ＤＬ設定）であってもよいし、下りリンク参照として設定されたＴＤＤ  ＵＬ／ＤＬ設定（下りリンク参照ＵＬ／ＤＬ設定）であってもよい。また、プライマリーセルとセカンダリーセルそれぞれにおける各サブフレームパターンは、独立に決定されてもよい。例えば、プライマリーセルにおけるサブフレームパターンは、ＳＩＢ１で通知されたＴＤＤ  ＵＬ／ＤＬ設定に基づき、セカンダリーセルにおけるサブフレームパターンは、Ｌ１／Ｌ２シグナリングで通知されたＴＤＤ  ＵＬ／ＤＬ設定に基づいて決定されてもよい。また、プライマリーセルにおけるサブフレームパターンは、上りリンク参照として設定されたＴＤＤ  ＵＬ／ＤＬ設定に基づき、セカンダリーセルにおけるサブフレームパターンは、下りリンク参照として設定されたＴＤＤ  ＵＬ／ＤＬ設定に基づいてもよい。
【０３５０】
本発明の実施形態において、プライマリーセルとセカンダリーセルに対して、それぞれ複数のＴＤＤ  ＵＬ／ＤＬ設定（ＵＬ／ＤＬ設定）がセットされる場合、プライマリーセルの上りリンク参照ＵＬ／ＤＬ設定は、ＳＩＢ１（またはＳＩＢ１以外のシステムインフォメーション）で通知されてもよい。また、プライマリーセルの上りリンク参照ＵＬ／ＤＬ設定は、上位層シグナリング（ＲＲＣシグナリング、ＲＲＣメッセージ）で通知されてもよい。また、プライマリーセルの上りリンク参照ＵＬ／ＤＬ設定は、端末装置間で共通／専用の上位層シグナリング（ＲＲＣシグナリング、ＲＲＣメッセージ）で通知されてもよい。プライマリーセルの上りリンク参照ＵＬ／ＤＬ設定は、Ｌ１／Ｌ２シグナリングで通知されてもよい。プライマリーセルの下りリンク参照ＵＬ／ＤＬ設定は、プライマリーセルの上りリンク参照ＵＬ／ＤＬ設定で示した同様の方法で通知されてもよい。また、プライマリーセルの上りリンク参照ＵＬ／ＤＬ設定と下りリンク参照ＵＬ／ＤＬ設定は独立なパラメータとして設定されてもよい。
【０３５１】
本発明の実施形態において、プライマリーセルとセカンダリーセルに対して、それぞれ複数のＴＤＤ  ＵＬ／ＤＬ設定（ＵＬ／ＤＬ設定）がセットされる場合、セカンダリーセルの上りリンク参照ＵＬ／ＤＬ設定は、システムインフォメーションに相当する上位層シグナリング（ＲＲＣシグナリング、ＲＲＣメッセージ）で通知されてもよい。また、セカンダリーセルの上りリンク参照ＵＬ／ＤＬ設定は、システムインフォメーションに相当しない、端末装置間で共通／専用の上位層シグナリング（ＲＲＣシグナリング、ＲＲＣメッセージ）で通知されてもよい。セカンダリーセルの上りリンク参照ＵＬ／ＤＬ設定は、Ｌ１／Ｌ２シグナリングで通知されてもよい。セカンダリーセルの下りリンク参照ＵＬ／ＤＬ設定は、セカンダリーセルの上りリンク参照ＵＬ／ＤＬ設定で示した同様の方法で通知されてもよい。また、セカンダリーセルの上りリンク参照ＵＬ／ＤＬ設定と下りリンク参照ＵＬ／ＤＬ設定は独立なパラメータとして設定されてもよい。
【０３５２】
本発明の実施形態において、サービングセルに対する下りリンク参照ＵＬ／ＤＬ設定（ＴＤＤ  ＵＬ／ＤＬ設定）は、プライマリーセルのＴＤＤ  ＵＬ／ＤＬ設定およびセカンダリーセルのＴＤＤ  ＵＬ／ＤＬ設定に基づいて決定される。
【０３５３】
本発明の実施形態において、プライマリーセルとセカンダリーセルに対して、それぞれ複数のＴＤＤ  ＵＬ／ＤＬ設定（ＵＬ／ＤＬ設定）がセットされる場合、サービングセルに対する下りリンク参照ＵＬ／ＤＬ設定は、プライマリーセルをＳＩＢ１で通知されたＴＤＤ  ＵＬ／ＤＬ設定とし、セカンダリーセルを上位層シグナリングで通知されたＴＤＤ  ＵＬ／ＤＬ設定として、決定されてもよい。サービングセルに対する下りリンク参照ＵＬ／ＤＬ設定は、プライマリーセルのＵＬ／ＤＬ設定をＳＩＢ１で通知されたＴＤＤ  ＵＬ／ＤＬ設定とし、セカンダリーセルのＵＬ／ＤＬ設定をＬ１シグナリングで通知されたＴＤＤ  ＵＬ／ＤＬ設定として、決定されてもよい。また、サービングセルに対する下りリンク参照ＵＬ／ＤＬ設定は、プライマリーセルのＵＬ／ＤＬ設定を下りリンク参照ＵＬ／ＤＬ設定とし、セカンダリーセルのＵＬ／ＤＬ設定を下りリンク参照ＵＬ／ＤＬ設定として、決定されてもよい。また、サービングセルに対する下りリンク参照ＵＬ／ＤＬ設定は、プライマリーセルのＵＬ／ＤＬ設定を下りリンク参照ＵＬ／ＤＬ設定とし、セカンダリーセルのＵＬ／ＤＬ設定を上りリンク参照ＴＤＤ  ＵＬ／ＤＬ設定として、決定されてもよい。また、サービングセルに対する下りリンク参照ＵＬ／ＤＬ設定は、プライマリーセルのＵＬ／ＤＬ設定を上りリンク参照ＴＤＤ  ＵＬ／ＤＬ設定とし、セカンダリーセルのＵＬ／ＤＬ設定を下りリンク参照ＴＤＤ  ＵＬ／ＤＬ設定として、決定されてもよい。プライマリーセルおよびセカンダリーセルのＵＬ／ＤＬ設定は一例であって、他の条件によって、通知されたＴＤＤ  ＵＬ／ＤＬ設定であってもよい。
【０３５４】
本発明の実施形態において、サービングセルに対する上りリンク参照ＵＬ／ＤＬ設定（ＴＤＤ  ＵＬ／ＤＬ設定）は、あるサービングセルのＴＤＤ  ＵＬ／ＤＬ設定および他のサービングセルのＴＤＤ  ＵＬ／ＤＬ設定に基づいて決定される。
【０３５５】
本発明の実施形態において、複数のサービングセルに対して、それぞれ複数のＴＤＤ  ＵＬ／ＤＬ設定（ＵＬ／ＤＬ設定）がセットされる場合、サービングセルに対する上りリンク参照ＵＬ／ＤＬ設定は、あるサービングセルをＳＩＢ１で通知されたＴＤＤ  ＵＬ／ＤＬ設定とし、他のサービングセルを上位層シグナリングで通知されたＴＤＤ  ＵＬ／ＤＬ設定として、決定されてもよい。また、サービングセルに対する上りリンク参照ＵＬ／ＤＬ設定は、あるサービングセルのＵＬ／ＤＬ設定をＳＩＢ１で通知されたＴＤＤ  ＵＬ／ＤＬ設定とし、他のサービングセルのＵＬ／ＤＬ設定をＬ１シグナリングで通知されたＴＤＤ  ＵＬ／ＤＬ設定として、決定されてもよい。また、サービングセルに対する上りリンク参照ＵＬ／ＤＬ設定は、あるサービングセルのＵＬ／ＤＬ設定を上りリンク参照ＵＬ／ＤＬ設定とし、他のサービングセルのＵＬ／ＤＬ設定を上りリンク参照ＵＬ／ＤＬ設定として、決定されてもよい。また、サービングセルに対する上りリンク参照ＵＬ／ＤＬ設定は、あるサービングセルのＵＬ／ＤＬ設定を上りリンク参照ＵＬ／ＤＬ設定とし、他のサービングセルのＵＬ／ＤＬ設定を下りリンク参照ＵＬ／ＤＬ設定として、決定されてもよい。また、複数のサービングセルにおけるＴＤＤ  ＵＬ／ＤＬ設定は一例であって、他の条件で設定されたＴＤＤ  ＵＬ／ＤＬ設定であってもよい。
【０３５６】
本発明の実施形態において、複数のサービングセル（プライマリーセルおよびセカンダリーセル）に対して、それぞれ複数のＴＤＤ  ＵＬ／ＤＬ設定（ＵＬ／ＤＬ設定）がセットされ、クロスキャリアスケジューリングが行なわれる場合、プライマリーセルにおける下りリンク送信／受信処理は、サービングセルに対するＵＬ／ＤＬ設定に基づいて行なわれる。また、プライマリーセルにおける上りリンク送信／受信処理は、サービングセルに対する上りリンク参照ＵＬ／ＤＬ設定に基づいて行なわれる。この場合、プライマリーセルにおいて、セカンダリーセルに対する下りリンクグラントを検出するとすれば、セカンダリーセルの下りリンク受信（ＰＤＳＣＨ受信）は、サービングセルに対する下りリンク参照ＵＬ／ＤＬ設定に基づいて行なわれる。また、セカンダリーセルの下りリンク受信に対するＨＡＲＱ−ＡＣＫは、プライマリーセルのＰＵＣＣＨで送信される。その際、ＰＵＣＣＨの送信は、サービングセルに対する下りリンク参照ＵＬ／ＤＬ設定に基づいて行なわれる。また、この場合、プライマリーセルにおいて、セカンダリーセルに対する上りリンクグラントを検出するとすれば、セカンダリーセルの上りリンク送信（例えば、ＰＵＳＣＨ送信）は、サービングセルに対する上りリンク参照ＵＬ／ＤＬ設定に基づいて行なってもよい。セカンダリーセルの上りリンク送信に対するＰＨＩＣＨは、プライマリーセルで送信される。その際、ＰＨＩＣＨの送信は、サービングセルに対する上りリンク参照ＵＬ／ＤＬ設定に基づいて行なわれる。すなわち、この場合、端末装置２および基地局装置１は、上りリンク／下りリンクの送信／受信を上りリンク参照ＵＬ／ＤＬ設定および下りリンク参照ＵＬ／ＤＬ設定に基づいて行なう。また、この場合、サブフレームｎでサービングセルｃからスケジュールされた（サービングセルｃまたはサービングセルｃとは異なるセルに対する）ＰＵＳＣＨ送信に対し、端末装置２は、サブフレームｎ＋ｋＰＨIＣＨでサービングセルｃのＰＨＩＣＨリソースで決定される。ｋＰＨIＣＨは、サービングセルに対する上りリンク参照ＵＬ／ＤＬ設定に基づいて決定される。この場合、基地局装置１は、サブフレームｎでサービングセルｃからスケジュールされた（サービングセルｃまたはサービングセルｃとは異なるセルに対する）ＰＵＳＣＨを受信すれば、サブフレームｎ＋ｋＰＨIＣＨでサービングセルｃのＰＨＩＣＨリソースを用いて、ＰＵＳＣＨに対するＨＡＲＱ−ＡＣＫを送信する。
【０３５７】
本発明の実施形態において、隣接セルに対して複数のＴＤＤ  ＵＬ／ＤＬ設定（ＵＬ／ＤＬ設定）がセットされる場合、隣接セルにおけるサブフレームパターンは、隣接セルに対するシステムインフォメーションで通知されるＴＤＤ  ＵＬ／ＤＬ設定に基づいて決定されてもよい。また、隣接セルにおけるサブフレームパターンは、上位層シグナリング（ＲＲＣシグナリング、ＲＲＣメッセージ）で通知されるＴＤＤ  ＵＬ／ＤＬ設定に基づいて決定されてもよい。また、隣接セルにおけるサブフレームパターンは、端末装置間で共通／専用の上位層シグナリング（ＲＲＣシグナリング、ＲＲＣメッセージ）で通知されるＴＤＤ  ＵＬ／ＤＬ設定に基づいて決定されてもよい。また、隣接セルにおけるサブフレームパターンは、Ｌ１シグナリング（下りリンクグラント、上りリンクグラント、ＰＤＣＣＨ／ＥＰＤＣＣＨ、ＤＣＩフォーマット）で通知されたＴＤＤ  ＵＬ／ＤＬ設定に基づいて決定されてもよい。また、隣接セルにおけるサブフレームパターンは、Ｌ２シグナリング（ＭＡＣ  ＣＥ）で通知されたＴＤＤ  ＵＬ／ＤＬ設定に基づいて決定されてもよい。また、隣接セルにおけるサブフレームパターンは、上りリンク参照として設定されたＴＤＤ  ＵＬ／ＤＬ設定（上りリンク参照ＵＬ／ＤＬ設定）に基づいて決定されてもよい。また、隣接セルにおけるサブフレームパターンは、下りリンク参照として設定されたＴＤＤ  ＵＬ／ＤＬ設定（下りリンク参照ＵＬ／ＤＬ設定）に基づいて決定されてもよい。
【０３５８】
なお、本発明の実施形態では、種々の上りリンク信号や下りリンク信号のマッピング単位としてリソースエレメントやリソースブロックを用い、時間方向の送信単位としてシンボル、サブフレームや無線フレームを用いて説明したが、これに限るものではない。任意の周波数と時間で構成される領域および時間単位をこれらに代えて用いても、同様の効果を得ることができる。なお、本発明の実施形態では、プリコーディング処理されたＲＳを用いて復調する場合について説明し、プリコーディング処理されたＲＳに対応するポートとして、ＭＩＭＯのレイヤーと等価であるポートを用いて説明したが、これに限るものではない。この他にも、互いに異なる参照信号に対応するポートに対して、本発明を適用することにより、同様の効果を得ることができる。例えば、Ｐｒｅｃｏｄｅｄ  ＲＳではなくＵｎｐｒｅｃｏｄｅｄ（Ｎｏｎｐｒｅｃｏｄｅｄ）  ＲＳを用い、ポートとしては、プリコーディング処理後の出力端と等価であるポートあるいは物理アンテナ（あるいは物理アンテナの組み合わせ）と等価であるポートを用いることができる。
【０３５９】
なお、本発明の実施形態において、ある下りリンクサブフレームでＤＣＩフォーマット３／３Ａのみを受信した場合、ＤＣＩフォーマット３／３Ａに含まれているＴＰＣコマンドフィールドにセットされている値に対応する補正値（または絶対値）は、下りリンクサブフレームがどのサブフレームセットに属しているかに因らず、特定のサブフレームセットで送信されるＰＵＳＣＨの送信電力に対する電力制御調整値に対して適用される。ある下りリンクサブフレームでＤＣＩフォーマット３／３Ａのみを受信した場合、ＤＣＩフォーマット３／３Ａに含まれているＴＰＣコマンドのアキュムレーションは、特定のサブフレームセットで送信されるＰＵＳＣＨに対する送信電力に用いられる電力制御調整値に対して適用されてもよい。なお、特定のサブフレームセットは、固定サブフレームのセットであってもよいし、フレキシブルサブフレームのセットでもよいし、任意のサブフレームのセットでもよい。
【０３６０】
なお、本発明の実施形態では、上りリンク電力制御に関するパラメータとは、上りリンク物理チャネル／物理信号（ＰＵＳＣＨ、ＰＵＣＣＨ、ＰＲＡＣＨ、ＳＲＳ、ＤＭＲＳなど）の送信電力制御に用いられるパラメータのことであり、送信電力制御に用いられるパラメータには、種々の上りリンク物理チャネルの送信電力の設定に用いられる種々のパラメータの切り替えまたは（再）設定に関する情報を含んでいる。また、下りリンク送信電力制御に関するパラメータとは、下りリンク物理チャネル／物理信号（ＣＲＳ，ＵＥＲＳ（ＤＬ  ＤＭＲＳ），ＣＳＩ−ＲＳ，ＰＤＳＣＨ，ＰＤＣＣＨ／ＥＰＤＣＣＨ，ＰＢＣＨ，ＰＳＳ／ＳＳＳ，ＰＭＣＨ，ＰＲＳなど）の送信電力制御に用いられるパラメータのことであり、送信電力制御に用いられるパラメータには、種々の下りリンク物理チャネルの送信電力の設定に使用する種々のパラメータの切り替えまたは（再）設定に関する情報を含んでいる。
【０３６１】
なお、本発明の実施形態では、基地局装置１は、１つの端末装置２に対して複数の仮想セルＩＤを設定できるようにしてもよい。例えば、基地局装置１および少なくとも１つの基地局装置１を含むネットワークは、物理チャネル／物理信号毎に独立に仮想セルＩＤを設定できるようにしてもよい。また、１つの物理チャネル／物理信号に対して複数の仮想セルＩＤを設定できるようにしてもよい。つまり、各物理チャネル／物理信号の設定毎に仮想セルＩＤがセットできるようにしてもよい。また、複数の物理チャネル／物理信号で仮想セルＩＤは共有されてもよい。
【０３６２】
なお、本発明の実施形態の説明では、例えば、電力をセットすることは電力の値をセットすることを含み、電力をセットすることは電力に関するパラメータに値をセットすることを含み、電力を計算することは電力の値を計算することを含み、電力を測定することは電力の値を測定することを含み、電力を報告することは電力の値を報告することを含む。このように、電力という表現は、適宜電力の値という意味も含まれる。
【０３６３】
なお、本発明の実施形態の説明では、送信を行なわないとは、送信処理を行なわないことを含む。また、送信を行なわないとは、送信のための信号生成を行なわないことを含む。また、送信を行なわないとは、信号（または情報）までは生成し、信号（または情報）を送信しないことを含む。また、受信を行なわないとは、受信処理を行なわないことを含む。また、受信を行なわないとは、検出処理を行なわないことを含む。また、受信を行なわないとは、復号・復調処理を行なわないことを含む。
【０３６４】
なお、本発明の実施形態の説明では、例えば、パスロスを計算することはパスロスの値を計算することを含む。このように、パスロスという表現には、適宜パスロスの値という意味も含まれる。
【０３６５】
なお、本発明の実施形態の説明では、種々のパラメータを設定することは種々のパラメータの値を設定することを含む。このように、種々のパラメータという表現には、適宜種々のパラメータの値という意味も含まれる。
【０３６６】
本発明に関わる基地局装置１および端末装置２で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０３６７】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における基地局装置１および端末装置２の一部、または全部を典型的には集積回路であるＬＳＩとして実現してもよい。基地局装置１および端末装置２の各機能ブロックは個別にチップ化してもよいし、一部、または全部を集積してチップ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いることも可能である。
【０３６８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、本発明の実施形態に記載された要素であり、同様の効果を奏する要素同士を置換した構成も含まれる。
【０３６９】
なお、本願発明は、上述の実施形態に限定されるものではない。本願発明の端末装置は、移動局への適用に限定されるものではなく、屋内外に設置される据え置き型または非可動型の電子機器、例えば、ＡＶ機器、キッチン機器、掃除・洗濯機器、空調機器、オフィス機器、自動販売機、その他生活機器などに適用できることは言うまでもない。また、本発明は、無線基地局装置や無線端末装置や無線通信システムや無線通信方法に用いて好適である。
【符号の説明】
【０３７０】
１  基地局装置
２  端末装置
１０１  上位層処理部
１０３  制御部
１０５  受信部
１０７  送信部
１０９  チャネル測定部
１１１  送受信アンテナ
１０５１  復号化部
１０５３  復調部
１０５５  多重分離部
１０５７  無線受信部
１０７１  符号化部
１０７３  変調部
１０７５  多重部
１０７７  無線送信部
１０７９  下りリンク参照信号生成部
２０１  上位層処理部
２０３  制御部
２０５  受信部
２０７  送信部
２０９  チャネル測定部
２１１  送受信アンテナ
２０５１  復号化部
２０５３  復調部
２０５５  多重分離部
２０５７  無線受信部
２０７１  符号化部
２０７３  変調部
２０７５  多重部
２０７７  無線送信部
２０７９  上りリンク参照信号生成部
【図１】
2015095668.tif 000003
【図２】
2015095668.tif 000004
【図３】
2015095668.tif 000005
【図４】
2015095668.tif 000006
【図５】
2015095668.tif 000007
【図６】
2015095668.tif 000008